(57)【要約】【課題】  上下方向、左右方向及び奥行方向に大きな寸法の遊技盤を取り付けることができる外枠、本体枠、及び扉枠を備えたパチンコ遊技機を提供する。【解決手段】  扉枠５が本体枠３の横幅寸法とほぼ同じ横幅寸法を有するように構成されると共に、遊技窓１０１の周囲に設けられる扉レンズユニットにおけるレンズカバー１５１，１５６，１５７をその基部寸法に対して突出寸法が大きな断面楔形状としたので、遊技窓１０１の開口寸法を大きくしても扉レンズユニットを取り付けることができ、遊技盤の遊技領域を確実に視認することができる。そして、扉枠５に皿ユニット３００が１つだけ設けられているため、その分、扉枠５の遊技窓１０１の上下方向の寸法を大きくすることができるため、上下方向の寸法を大きくした遊技盤の遊技領域を確実に視認することができる。【選択図】        図２
2008183303.tif 000002
【特許請求の範囲】
【請求項１】
島に設置される外枠と、該外枠に開閉自在に軸支され且つ遊技盤を収納するための遊技盤設置凹部を形成する側面壁を有する本体枠と、該本体枠に開閉自在に軸支され且つ前記遊技盤の遊技領域を遊技者が透明板ユニットを介して視認し得る遊技窓が形成される扉枠と、を備えたパチンコ遊技機において、
前記外枠は、上枠板と下枠板と左右の側枠板とが方形状に組み付けられて構成されると共に、前記上枠板及び前記下枠板が木製材料で平板状に形成される一方、前記左右の側枠板が金属材料で平板状に形成され、
前記本体枠は、前記遊技盤設置凹部を形成する側面壁が、前記遊技盤の厚さとほぼ同じ奥行寸法を有する前側面壁と、前記遊技盤の周辺部裏面と当接する段差部を有して前記前側面壁から後方に向ってほぼ当該前側面壁と平行状に延設され且つ前記遊技盤に設けられる遊技装置の後方突出部を収納する後側面壁と、から構成されると共に、前記後側面壁のすべての部位の後方への突出量を当該本体枠の裏面側上部に固定される賞球タンクの球の貯留部の後端辺とほぼ同じ位置となるように形成し、さらに、前記前側面壁のうち、開放側の前側面壁の外側に前記扉枠と前記本体枠との施錠及び前記本体枠と前記外枠との施錠を行う錠装置を取り付け、前記後側面壁のうち、上部の後側面壁の後端辺と左右側方の後側面壁の後端辺とに、パチンコ遊技機の正面と平行になる上後面壁と側後面壁とがそれぞれ連接されるように形成されると共に、前記上後面壁の裏面に前記賞球タンクの球を下流側に誘導するタンクレール部材を取り付け、前記側後面壁の裏面に前記タンクレール部材から供給される球を払い出すための球通路ユニット及び賞球ユニットとを取り付け、
前記扉枠は、前記本体枠の横幅寸法とほぼ同じ横幅寸法を有するように構成されると共に、前記遊技窓の周囲に設けられ且つその基部寸法に対して突出寸法が大きな断面楔形状のレンズカバーを備えた扉レンズユニットと、前記遊技窓の下辺に沿って設けられ且つ前記賞球ユニットから払い出された球を貯留部に貯留すると共に該貯留部に貯留された球を外部に球抜きする球抜き機構が設けられる皿ユニットと、を備え、
前記本体枠を前記外枠に対して閉じたときに、前記外枠の軸支側の側枠板と前記本体枠の軸支側の前側面壁とが僅かな隙間を置いて対面すると共に、前記外枠の開放側の側枠板と前記本体枠の軸支側の前側面壁に取り付けられる前記錠装置とが僅かな隙間を置いて対面していることを特徴とするパチンコ遊技機。
【請求項２】
前記錠装置は、前記扉枠を係止するための扉枠用フック部を有する扉枠用摺動杆と、前記本体枠を係止するためのフック部を有する本体枠用摺動杆と、断面コ字状に形成される空間内に前記扉枠用摺動杆と本体枠用摺動杆とを摺動可能に収納支持する錠基体と、から構成され、
前記錠装置を前記本体枠の開放側の前記前側面壁の外側に固定する際に、前記錠基体の前記本体枠の開放側裏面と当接する前方部に形成される前方固定手段と、前記錠基体の前記本体枠の前側面壁に添った後方部に形成される後方固定手段と、をそれぞれ前記本体枠の開放側裏面と前記本体枠の前側面壁に固定したことを特徴とする請求項１記載のパチンコ遊技機。
【請求項３】
前記錠基体は、前記本体枠の縦方向のほぼ全長に亘る長さを有し、
前記前方固定手段は、前記本体枠の開放側裏面に適宜間隔で形成される係止穴に係止される係止突起で構成され、
前記後方固定手段は、前記本体枠の前側面壁に適宜間隔で形成される取付穴に螺着手段で固定される止め部で構成されていることを特徴とする請求項２記載のパチンコ遊技機。
【請求項４】
前記賞球タンクは、球を貯留する貯留部と、パチンコ遊技機の正面側から見て前記貯留部の後面壁から外側に突出して設けられ且つ前記貯留部に貯留されている球が前記タンクレール部材に向かって排出される排出口と、からなり、
前記賞球タンクの貯留部は、前記後側面壁の上部外側に載置された状態で固定される一方、前記賞球タンクの排出口は、パチンコ遊技機の正面側から見て前記後側面壁よりも後方に突出して設けられていることを特徴とする請求項１乃至請求項３のいずれかに記載のパチンコ遊技機。
【発明の詳細な説明】
【技術分野】
【０００１】
本発明は、島に設置される外枠と、該外枠に開閉自在に軸支され且つ遊技盤を収納するための遊技盤設置凹部を形成する側面壁を有する本体枠と、該本体枠に開閉自在に軸支され且つ前記遊技盤の遊技領域を遊技者が透明板ユニットを介して視認し得る遊技窓が形成される扉枠と、を備えたパチンコ遊技機に関する。
【背景技術】
【０００２】
従来、球を弾発して遊技を行うパチンコ遊技機等においては、遊技盤を収納するための本体枠（前面枠とも言う）が外枠に対して開閉自在に設けられ、また、本体枠に対して遊技盤の前面を覆う扉枠も開閉自在に設けられている。そして、例えば、特開平１１−１４６９４０号公報（特許文献１）、特開２００５−２６１９３５号公報（特許文献２）、特開２００５−１９２５８９号公報（特許文献３）に示されるように、本体枠には、遊技盤を収納するために側面壁で遊技盤設置凹部を形成している。
【特許文献１】特開平１１−１４６９４０号公報（図１、図２、図６、図１３、図２１）
【特許文献２】特開２００５−２６１９３５号公報（図２、図５、図１０）
【特許文献３】特開２００５−１９２５８９号公報（図１、図１１、図１４−２、）
【発明の開示】
【発明が解決しようとする課題】
【０００３】
上記特許文献１〜３に記載される技術において、方形状の外枠を構成する上下左右の枠板が所定の肉厚を有する木製材料で平板状に形成され、また、本体枠に形成される側面壁は、遊技盤の厚さとほぼ同じ奥行寸法を有する前側面壁と、遊技盤の周辺部裏面と当接する段差部を有して前側面壁から後方に向かってほぼ当該前側面壁と平行状に延設され且つ遊技盤に設けられる遊技装置の後方突出部を収納する後側面壁とから構成されているものの、一部の後側面壁（例えば、側方に形成される後側面壁）の奥行き幅寸法が前側面壁よりも若干大きな寸法（遊技盤の厚さよりも若干大きい）程度であった。更に、本体枠の前面に開閉自在に軸支される扉枠の遊技窓を囲むように内部の発光源によって照射されるレンズカバーも平面部を多く有する形状となっていた。
【０００４】
即ち、従来のパチンコ遊技機においては、外枠を構成する４つの枠板がすべて同じ肉厚の木製材料で形成されているため、本体枠に形成される遊技盤設置凹部の特に左右方向の寸法を外枠の枠板の肉厚の分だけ小さく形成しなければならないという不都合があり、また、本体枠の遊技盤設置凹部の深さがすべての領域で深いものではなく、一部だけが深く他の箇所で浅くなっているため、例えば、近年のように、遊技盤の裏面側の中心部だけではなく周辺部に亘って後方突出部を有する大型表示装置等の遊技装置を設けた遊技盤を取り付けることができない場合があるという不都合があり、更に、本体枠の前面側を覆う扉枠若しくはその扉枠の下方には、２つの貯留皿が設けられているため、遊技窓の下辺部の位置がその２つの貯留皿を設ける必要上ある程度上方位置に設計する必要があるため、結果的に遊技盤設置凹部の上下方向の寸法も制限されるという不都合があった。つまり、上記した不都合により、従来のパチンコ遊技機においては、本体枠に形成される遊技盤設置凹部の上下方向、左右方向及び奥行方向の寸法を制限する要素が多いため、その遊技盤設置凹部に設置される遊技盤の大きさも制限を受けていた。本発明は、上記した不都合を解消するためになされたものであり、その目的とするところは、上下方向、左右方向及び奥行方向に大きな寸法の遊技盤を取り付けることができる外枠、本体枠、及び扉枠を備えたパチンコ遊技機を提供することにある。
【課題を解決するための手段】
【０００５】
上記目的を達成するために、請求項１が採用した手段は、島に設置される外枠と、該外枠に開閉自在に軸支され且つ遊技盤を収納するための遊技盤設置凹部を形成する側面壁を有する本体枠と、該本体枠に開閉自在に軸支され且つ前記遊技盤の遊技領域を遊技者が透明板ユニットを介して視認し得る遊技窓が形成される扉枠と、を備えたパチンコ遊技機において、前記外枠は、上枠板と下枠板と左右の側枠板とが方形状に組み付けられて構成されると共に、前記上枠板及び前記下枠板が木製材料で平板状に形成される一方、前記左右の側枠板が金属材料で平板状に形成され、前記本体枠は、前記遊技盤設置凹部を形成する側面壁が、前記遊技盤の厚さとほぼ同じ奥行寸法を有する前側面壁と、前記遊技盤の周辺部裏面と当接する段差部を有して前記前側面壁から後方に向ってほぼ当該前側面壁と平行状に延設され且つ前記遊技盤に設けられる遊技装置の後方突出部を収納する後側面壁と、から構成されると共に、前記後側面壁のすべての部位の後方への突出量を当該本体枠の裏面側上部に固定される賞球タンクの球の貯留部の後端辺とほぼ同じ位置となるように形成し、さらに、前記前側面壁のうち、開放側の前側面壁の外側に前記扉枠と前記本体枠との施錠及び前記本体枠と前記外枠との施錠を行う錠装置を取り付け、前記後側面壁のうち、上部の後側面壁の後端辺と左右側方の後側面壁の後端辺とに、パチンコ遊技機の正面と平行になる上後面壁と側後面壁とがそれぞれ連接されるように形成されると共に、前記上後面壁の裏面に前記賞球タンクの球を下流側に誘導するタンクレール部材を取り付け、前記側後面壁の裏面に前記タンクレール部材から供給される球を払い出すための球通路ユニット及び賞球ユニットとを取り付け、前記扉枠は、前記本体枠の横幅寸法とほぼ同じ横幅寸法を有するように構成されると共に、前記遊技窓の周囲に設けられ且つその基部寸法に対して突出寸法が大きな断面楔形状のレンズカバーを備えた扉レンズユニットと、前記遊技窓の下辺に沿って設けられ且つ前記賞球ユニットから払い出された球を貯留部に貯留すると共に該貯留部に貯留された球を外部に球抜きする球抜き機構が設けられる皿ユニットと、を備え、前記本体枠を前記外枠に対して閉じたときに、前記外枠の軸支側の側枠板と前記本体枠の軸支側の前側面壁とが僅かな隙間を置いて対面すると共に、前記外枠の開放側の側枠板と前記本体枠の軸支側の前側面壁に取り付けられる前記錠装置とが僅かな隙間を置いて対面していることを特徴とする。
【０００６】
また、請求項２が採用した手段は、請求項１記載のパチンコ遊技機において、前記錠装置は、前記扉枠を係止するための扉枠用フック部を有する扉枠用摺動杆と、前記本体枠を係止するためのフック部を有する本体枠用摺動杆と、断面コ字状に形成される空間内に前記扉枠用摺動杆と本体枠用摺動杆とを摺動可能に収納支持する錠基体と、から構成され、前記錠装置を前記本体枠の開放側の前記前側面壁の外側に固定する際に、前記錠基体の前記本体枠の開放側裏面と当接する前方部に形成される前方固定手段と、前記錠基体の前記本体枠の前側面壁に添った後方部に形成される後方固定手段と、をそれぞれ前記本体枠の開放側裏面と前記本体枠の前側面壁に固定したことを特徴とする。
【０００７】
また、請求項３が採用した手段は、請求項２記載のパチンコ遊技機において、前記錠基体は、前記本体枠の縦方向のほぼ全長に亘る長さを有し、前記前方固定手段は、前記本体枠の開放側裏面に適宜間隔で形成される係止穴に係止される係止突起で構成され、前記後方固定手段は、前記本体枠の前側面壁に適宜間隔で形成される取付穴に螺着手段で固定される止め部で構成されていることを特徴とする。
【０００８】
更に、請求項４が採用した手段は、請求項１乃至請求項３のいずれかに記載のパチンコ遊技機において、前記賞球タンクは、球を貯留する貯留部と、パチンコ遊技機の正面側から見て前記貯留部の後面壁から外側に突出して設けられ且つ前記貯留部に貯留されている球が前記タンクレール部材に向かって排出される排出口と、からなり、前記賞球タンクの貯留部は、前記後側面壁の上部外側に載置された状態で固定される一方、前記賞球タンクの排出口は、パチンコ遊技機の正面側から見て前記後側面壁よりも後方に突出して設けられていることを特徴とする。
【発明の効果】
【０００９】
請求項１に係る発明においては、外枠の左右の側枠板が金属材料で平板状に形成されているため、側枠板の内側に対面する本体枠の前側面壁の正面から見た左右方向の寸法を大きくすることができるため、左右方向の寸法の大きな遊技盤を本体枠の遊技盤収納凹部に収納することができることになる。
【００１０】
また、本体枠の後側面壁のすべての部位の後方への突出量が、当該本体枠の裏面側上部に固定される賞球タンクの球を貯留する貯留部の後端辺とほぼ同じ位置となるように形成されているので、遊技盤の裏面に設けられる遊技装置の後方突出部が遊技盤の周辺部に亘って突出していても、遊技装置の後方突出部を収納する後側面壁が、パチンコ遊技機の後面側において大きく突出している賞球タンクとほぼ同じ寸法で形成されているので、奥行方向の寸法の大きな遊技盤を本体枠の遊技盤収納凹部に楽に収納することができる。そして、この場合、後側面壁のうち、上部の後側面壁の後端辺と左右側方の後側面壁の後端辺とに、パチンコ遊技機の正面と平行になる上後面壁と側後面壁とがそれぞれ連接されるように形成されると共に、その上後面壁の裏面に賞球タンクの球を下流側に誘導するタンクレール部材を取り付け、側後面壁の裏面にタンクレール部材から供給される球を払い出すための球通路ユニット及び賞球ユニットとを取り付けたので、上後面壁及び側後面壁の内側に、タンクレール部材や球通路ユニット及び賞球ユニットの一部が突出することなく、上後側面壁及び側後面壁で囲まれる空間をすべて遊技装置の後方突出部を収納する空間として利用することができる。
【００１１】
更に、扉枠が本体枠の横幅寸法とほぼ同じ横幅寸法を有するように構成されると共に、遊技窓の周囲に設けられる扉レンズユニットにおけるレンズカバーをその基部寸法に対して突出寸法が大きな断面楔形状としたので、遊技窓の開口寸法を大きくしても扉レンズユニットを取り付けることができ、前述したように左右方向の寸法を大きくした遊技盤を本体枠に取り付けた状態でも遊技盤の遊技領域を確実に視認することができる。そして、遊技盤の大きさを左右方向だけではなく、従来２つの貯留皿が設けられる扉枠に対して賞球ユニットから払い出された球を貯留部に貯留すると共に該貯留部に貯留された球を外部に球抜きする球抜き機構が設けられる皿ユニットが１つだけ設けられているため、その分、扉枠の遊技窓の上下方向の寸法を大きくすることができるため、上下方向の寸法を大きくした遊技盤を本体枠に取り付けた状態でも遊技盤の遊技領域を確実に視認することができる。
【００１２】
請求項２に係る発明においては、錠装置を本体枠の開放側の前側面壁の外側に固定する際に、断面コ字状に形成される錠基体の本体枠の開放側裏面と当接する前方部に形成される前方固定手段と、錠基体の本体枠の側面壁に添った後方部に形成される後方固定手段と、をそれぞれ本体枠の開放側裏面と本体枠の前側面壁に固定したので、錠基体を扉用摺動杆と本体枠用摺動杆とが収納される程度の薄い幅で形成しても、錠基体の前方部と後方部とで錠装置を強固に本体枠に固定することができる。このため、錠装置の取付領域を狭くすることができるので、遊技盤を収納するための本体枠の側面壁の左右方向の寸法を大きくすることができる。
【００１３】
また、請求項３に係る発明においては、前方固定手段を、本体枠の開放側裏面に適宜間隔で形成される係止穴に係止される係止突起で構成し、後方固定手段を、本体枠の前側面壁に適宜間隔で形成される取付穴に螺着手段で固定される止め部で構成することにより、錠装置の前方部を係止突起と係止穴で係止し、錠装置の後方部を止め部と取付穴で固定するという簡単な作業で、錠装置を本体枠に強固に固定することができる。
【００１４】
更に、請求項４に係る発明においては、後側面壁の上部外側に賞球タンクの貯留部が載置された状態で、しかも、賞球タンクの排出口がパチンコ遊技機の正面側から見て貯留部の後面壁よりも後方に突出して設けられているため、パチンコ遊技機の平面視においてタンクレール部材が賞球タンクの貯留部の後方（パチンコ遊技機の正面側から見て奥側）に位置してタンクレール部材と賞球タンクの貯留部とが上下方向に重複しない位置となっているので、遊技盤の裏面に設けられる遊技装置の後方突出部を収納する後側面壁の上辺を本体枠の上辺に近い位置で後方に向かって突出させることができ、これにより、遊技装置の後方突出部が遊技盤の上辺部で突出していても後側面壁の内部に楽に収納することができる。
【発明を実施するための最良の形態】
【００１５】
〔パチンコ遊技機の全体構造〕
以下、図面を参照して本発明の好適な実施形態について、図面を参照して説明する。まず、図１乃至図８を参照して実施形態に係るパチンコ遊技機の全体について説明する。図１は、実施形態に係るパチンコ遊技機１の外枠２に対して本体枠３を開放し、本体枠３に対して扉枠５を開放した状態を示す斜視図であり、図２は、パチンコ遊技機の正面から見た斜視図であり、図３は、パチンコ遊技機１の正面図であり、図４は、パチンコ遊技機１の側面図であり、図５は、パチンコ遊技機１の平面図であり、図６は、パチンコ遊技機１の背面図であり、図７は、パチンコ遊技機１を構成する外枠２、本体枠３、遊技盤４、扉枠５の後方から見た分解斜視図であり、図８は、パチンコ遊技機１を構成する外枠２、本体枠３、遊技盤４、扉枠５の前方から見た分解斜視図である。
【００１６】
図１乃至図８において、本実施形態に係るパチンコ遊技機１は、島（図示しない）に設置される外枠２と、該外枠２に開閉自在に軸支され且つ遊技盤４を装着し得る本体枠３と、該本体枠３に開閉自在に軸支され且つ前記遊技盤４に形成されて球が打ち込まれる遊技領域６０５を遊技者が視認し得る遊技窓１０１と該遊技窓１０１の下方に配置され且つ遊技の結果によって払出される球を貯留する貯留皿としての皿ユニット３００とを備えた扉枠５と、を備えて構成されている。
【００１７】
外枠２には、その下方前方に表面が装飾カバー板１５によって被覆されている下部前面板１４が固着されている。また、本体枠３には、上記したように遊技盤４が着脱自在に装着し得る他に、その裏面下部に打球発射装置６５０と、遊技盤４を除く扉枠５や本体枠３に設けられる電気的部品を制御するための各種の制御基板や電源基板等が一纏めに設けられている基板ユニット１１００が取り付けられ、本体枠３の後面開口５８０（図７参照）を覆うカバー体１２５０が着脱自在に設けられている。更に、扉枠５には、上記した皿ユニット３００の他に、遊技窓１０１を閉塞するようにガラスユニット２５０と、ハンドル装置４６０とが設けられている。そして、本実施形態の特徴は、扉枠５に設けられる皿ユニット３００が１つであり、しかも、従来は本体枠３に設けられていたハンドル装置４６０が扉枠５に設けられ、また、扉枠５と本体枠３とが正面から見てほぼ同じ方形の大きさであるため、正面から本体枠３が視認できなくした点である。以下、パチンコ遊技機１を構成する部材について詳細に説明する。
【００１８】
〔外枠〕
外枠２について、主として図９乃至図２１を参照して説明する。図９は、外枠２の正面斜視図であり、図１０は、同外枠２の正面から見た分解斜視図であり、図１１は、同外枠２の正面図であり、図１２は、同外枠２の背面図であり、図１３は、図１１のＢ−Ｂ断面図（Ａ）と図１３（Ａ）のＣ−Ｃ断面図（Ｂ）、Ｄ−Ｄ断面図（Ｃ）、Ｅ−Ｅ断面図（Ｄ）であり、図１４は、他の実施形態に係る外枠２の正面図であり、図１５は、同外枠２の背面図であり、図１６は、同外枠２の正面から見た斜視図であり、図１７は、外枠２の正面図（Ａ）、正面図のＢ−Ｂ線で切断した断面図（Ｂ）、正面図のＡ−Ａ線で切断した側枠板１２の端面図（Ｃ）であり、図１８は、本体枠３の上軸支金具５０３と外枠２の上支持金具４５との脱着構造を説明するための斜視図であり、図１９は、外枠２の上支持金具４５の裏面に設けられるロック部材５８の取付状態を示す分解斜視図（Ａ）と下方から見た斜視図（Ｂ）であり、図２０は、軸支ピン５０４とロック部材５８との関係を説明するための上支持金具４５部分の裏面図であり、図２１は、ロック部材５８の作用を説明するための上支持金具４５部分の裏面図である。
【００１９】
図９及び図１０において、本実施形態に係る外枠２は、上下の上枠板１０及び下枠板１１と左右の側枠板１２，１３とを、それぞれの端部を連結するための連結部材１９で連結することによって方形状に組み付けられるものである。具体的には、連結部材１９は、中央と左右とに段差のある表彰台状に形成され、突出した中央の部分が上枠板１０及び下枠板１１の両端部中央に形成された係合切欠部２０に嵌合され、一段下がった左右の部分の平面に上枠板１０の裏面と下枠板１１の上面とが当接し且つ一段下がった左右の部分の一側面に側枠板１２，１３の内側面が当接するようになっている。そして、その状態で、上枠板１０の係合切欠部２０の両側方及び下枠板１１の係合切欠部２０の両側方にそれぞれ形成される挿通穴２１と連結部材１９の一段下がった左右の部分の平面に形成される複数（図示の場合２個）の連結穴２２（図１０の上枠板１０と側枠板１２とを連結する連結部材１９に表示するが、他の連結部材１９にも存在する）とを一致させて上方又は下方から複数（図示の場合２本）の連結ビス２３で止着し、更に、側枠板１２，１３の上下端部分に穿設される複数（図示の場合２個）の取付穴２４と連結部材１９の一段下がった左右の部分の側面に形成される複数（図示の場合３個）の連結穴２５とを一致させて側方外側から複数（図示の場合３本）の連結ビス２６，２７で止着することにより、上下の上枠板１０及び下枠板１１と左右の側枠板１２，１３とが強固に連結固定される。ただし、３本の連結ビス２６，２７のうち、１本の連結ビス２７は、側枠板１２，１３と連結部材１９とを連結するものではなく、上枠板１０及び下枠板１１と連結部材１９とを側方から直接連結するものである。
【００２０】
外枠２を構成する上枠板１０と下枠板１１、及び側枠板１２，１３のうち、上枠板１０と下枠板１１とは従来と同じ木製であり、側枠板１２，１３は、軽量金属、例えば、アルミニュウム合金の押出し成型板により構成されている。上枠板１０及び下枠板１１を従来と同じ木製で構成した理由は、パチンコ遊技機１を遊技場に列設される島に設置する場合に、島の垂直面に対し所定の角度をつけて固定する作業を行う必要があるが、そのような作業は上枠板１０及び下枠板１１と島とに釘を打ち付けて行われるため、釘を打ち易くするためである。一方、側枠板１２，１３をアルミニュウム合金の押出し成型板により構成した理由は、従来の木製に比べ強度を維持しつつ肉厚を薄く形成することができるため、側枠板１２，１３の内側に隣接する本体枠３の側面壁５４０〜５４３（図９７参照）の正面から見たときの左右幅を広くすることができる。このため左右方向の寸法の大きな遊技盤４を本体枠３に装着することができることになり、結果的に遊技盤４の遊技領域６０５を大きく形成することができるからである。ただし、側枠板１２，１３をアルミニュウム合金の平板で構成すると、充分な剛性が確保できないため、図１３（Ｃ）に示すように、側枠板１２（側枠板１３も全く同じ構造である。）の後方部分内側にリブによって後方が開放した空間部２８（側枠板１３の空間部２８は図１２に表示）を形成して後方部分の肉厚ｈ１が厚くなるように引き抜き成型されている。もちろん、この肉厚ｈ１は、従来の木製の肉厚と同等若しくは若干薄い寸法となっている。また、図１３（Ｂ），（Ｄ）に示すように、側枠板１２の空間部２８の前方には、連結部材１９の一段下がった左右の部分の一方の部分が嵌め込まれる溝部２９（側枠板１３の溝部２９は図９に表示）が形成されている。側枠板１２の溝部２９から前端部までは、図１３（Ｂ）〜（Ｄ）に示すように、その内側面が連結部材１９の一段下がった左右の部分の他方の部分が当接する平板状をなすものであるが、その平板部に材料軽減のための浅い凹部が形成されている。更に、前記溝部２９が形成される反対側の面（外側面）には、図９及び図１３（Ｂ）に示すように、上支持金具４５の垂下片部５３が挿入される凹部３０（側枠板１３の凹部３０は図１０に表示）が形成されている。
【００２１】
そして、上記のように形成される軸支側の側枠板１２には、連結部材１９を取り付けるための構成以外に、その上部に上支持金具４５の垂下片部５３を側枠板１２の外側に止着ビス３２で止着するための取付穴３１が穿設されると共に、その下部に下支持金具６６の垂直当接片７２に形成される取付穴６９と一致させて止着ビス３４で止着するための取付穴３３が穿設されている。また、取付穴３３の下部であって側枠板１２の前方部分に側枠板１２と下部前面板１４とを止着ビス３６で止着するための取付穴３５が形成されている。一方、開放側の側枠部１３には、連結部材１９を取り付けるための構成以外に、その上部に閉鎖用突起３８を取付ネジ３９で取り付けるための取付穴３７が穿設され、その下部に閉鎖用突起４１を取付ネジ４２で取り付けるための取付穴４０が穿設されると共に、さらに最下方に側枠板１３と下部前面板１４とを止着ビス４４で止着するための取付穴４３が形成されている。なお、この閉鎖用突起３８，４１は、外枠２に対して本体枠３を閉じる際に、本体枠３の開放側辺に沿って取り付けられる錠装置１０００のフック部１０５４，１０６５（図１４７参照）と係合するものであり、後に詳述するように錠装置１０００のシリンダー錠１０１０に鍵を差し込んで一方に回動することにより、フック部１０５４，１０６５と閉鎖用突起３８，４１との係合が外れて本体枠３を外枠２に対して開放することができるものである。
【００２２】
また、下枠板１１と左右の側枠板１２，１３の下部前面に固定される下部前面板１４は、閉止時においてその上面に本体枠３が載置されるものであり、下部前面板１４の表面及び側面は、装飾カバー板１５によって被覆されているが、装飾カバー板１５の裏面に、その後端に弾性爪が形成される止着突起１６（図１２参照）が突設され、その止着突起１６が下部前面板１４に貫通される止着穴１７に貫通させられることにより下部前面板１４に取り付けられている。なお、外枠２の装飾カバー板１５の開放側の上面には、本体枠３の閉止時に該本体枠３をスムーズに案内するための案内板１８が交換可能に装着されている。
【００２３】
ところで、本体枠３を開閉自在に軸支する構造として、上枠板１０と側枠板１２とを連結する機能も兼用する上支持金具４５と下部前面板１４の一側上面に沿って取り付けられる下支持金具６６とが設けられている。上支持金具４５には、前方に突出している支持突出片４６に該支持突出片４６の側方から先端中央部に向かって屈曲して形成された支持鉤穴４７が形成されており、この支持鉤穴４７に本体枠３の後述する上軸支金具５０３の軸支ピン５０４（図１８参照）が着脱自在に係合されるようになっている。この支持鉤穴４７と軸支ピン５０４との係合関係については、後に詳述する。また、下支持金具６６も前方に突出した形状に形成されているが、この突出した部分に上向きに支持突起６８が突設され、この支持突起６８に本体枠３の後述する枠支持板５０６（図１００参照）に形成される支持穴が挿入される。したがって、外枠２に本体枠３を支持するためには、下支持金具６６の支持突起６８に本体枠３の枠支持板５０６に形成される支持穴を係合させた後、本体枠３の上軸支金具５０３の軸支ピン５０４を支持鉤穴４７に掛け止めることにより簡単に開閉自在に軸支することができる。
【００２４】
また、上支持金具４５は、上枠板１０の軸支側の上面及び前面に凹状に形成される取付段部４９に装着されるものであるが、その装着に際し、上支持金具４５に形成される複数（図示の場合２個）の取付穴４８と取付段部４９に穿設される複数（図示の場合２個）の取付穴５０とを一致させて取付ビス５１を上方から差し込み、上枠板１０の裏面から押し当てられる挟持板５２に止着することにより上支持金具４５が上枠板１０に堅固に固定される。また、上支持金具４５の外側側方には、側枠板１２の外側に当接する垂下片部５３があり、その垂下片部５３にも取付穴５４（図１９（Ａ）参照）が穿設され、この取付穴５４と前記取付穴３１とを止着ビス３２で止着することにより、上支持金具４５と側枠板１２とを固定すると共に、上枠板１０と側枠板１２とを上支持金具４５を介して連結している。一方、下支持金具６６は、前述したように側枠板１２の取付穴３３と垂直当接片７２の取付穴６９とを一致させた状態で取付ビス３４で止着し、さらに、下支持金具６６の水平面の中程に穿設される取付穴７０に取付ネジ７１を差し込むことにより、前記装飾カバー板１５を介して前記下部前面板１４の上面に止着されるものである。
【００２５】
上記のように構成される外枠２において、その構成部材である上枠板１０と下枠板１１と側枠板１２，１３とを連結部材１９で連結することにより、連結部材１９が側枠板１２，１３の内面に密着して止着されると共に連結部材１９と上枠板１０及び下枠板１１が係合した状態で止着されるので、その組み付け強度が高く頑丈な方形状の枠組みとすることができる。上記した連結部材１９と上枠板１０及び下枠板１１との係合状態に加え、連結部材１９の側枠板１２，１３への取り付けに際し、溝部２９に連結部材１９の一段下がった左右の部分の一方の部分が嵌め込まれる構造であるため、連結部材１９の側枠板１２，１３への取り付けが強固となり、これによっても方形状の枠組みの強度を向上することができると共にその位置決めを正確に行うことができる。また、連結部材１９によって上枠板１０、下枠板１１、側枠板１２，１３を連結した後、上支持金具４５を所定の位置に取り付けたときに、図１１及び図１２に示すように、各枠板１０，１１，１２，１３の外側面（外周面）から外側に突出する部材は存在しないので、パチンコ遊技機１を図示しないパチンコ島台に設置する際に、隣接する装置（例えば、隣接する玉貸器）と密着して取り付けることができる。また、下支持金具６６を取り付けたときにも、下部前面板１４の上面と下支持金具６６の上面とがほぼ同一平面となるようになっている。
【００２６】
〔外枠の他の実施形態〕
上記した図９〜図１３に示した実施形態に係る外枠２（以下、第１実施形態に係る外枠２と称す。）は、４つの枠板１０〜１３を連結部材１９で連結したものを示したが、上下の枠板を木製とし、左右の側枠板を軽量金属製とした他の実施形態に係る外枠２（以下、第２実施形態に係る外枠２と称す。）について、主として図１４乃至図１７を参照して説明する。
【００２７】
第２実施形態に係る外枠２は、上下の上枠板８０及び下枠板８１と左右の側枠板８２，８３とを、それぞれの端部を連結するためのコーナー金具８８〜９１で連結することによって方形状に組み付けられるものである。具体的には、開放側の上部は、上枠板８０の端部上面及び後面と側枠板１３の端部外側面及び後面に差し渡されるコーナー金具９０をビス止めすることにより連結し、開放側の下部は、下枠板８１の端部底面及び後面と側枠板８３の端部外側面及び後面に差し渡されるコーナー金具９１をビス止めすることにより連結し、軸支側の上部は、上枠板８０の端部上面と側枠板８２の端部外側面に差し渡される支持突出片９２（第１実施形態に係る外枠２の支持突出片４６に相当）を有するコーナー金具８８をビス止めすることにより連結し、軸支側の下部は、下枠板８１の端部底面及び後面と側枠板８２の端部外側面及び後面に差し渡されるコーナー金具８９をビス止めすることにより連結される。
【００２８】
外枠２を構成する上枠板８０と下枠板８１、及び側枠板８２，８３のうち、第１実施形態に係る外枠２と同様に、上枠板８０と下枠板８１とは従来と同じ木製であり、側枠板８２，８３は、軽量金属、例えば、アルミニュウム合金の押出し成型板により構成されている。上枠板８０及び下枠板８１を従来と同じ木製で構成した理由は、第１実施形態に係る外枠２と同じであり、側枠板８２，８３をアルミニュウム合金の押出し成型板により構成した理由も、第１実施形態に係る外枠２と同じである。ただし、側枠板８２，８３をアルミニュウム合金の平板で構成すると、充分な剛性が確保できないため、図１７（Ｃ）に示すように、側枠板８２，８３の後方部分内側にリブによって空間部９６を形成して後方部分の肉厚ｈ２が厚くなるように引き抜き成型されている。もちろん、この肉厚ｈ２は、従来の木製の肉厚よりも薄い寸法となっている。
【００２９】
また、下枠板８１と左右の側枠板８２，８３の下部前面に固定される装飾カバー板１５は、閉止時においてその上面に本体枠３が載置されるものである。下部前面板８４の表面は、装飾カバー板８５によって被覆されているが、装飾カバー板８５の裏面に、その後端に弾性爪が形成される止着突起８６（図１５、図１７（Ｂ）参照）が突設され、その止着突起８６が下部前面板８４に貫通される取付穴に貫通させられることにより下部前面板８４に取り付けられている。また、下部前面板８４の裏面上部には、後当て板８７が固着され、本体枠３が載置される下部前面板８４の強度を補強している。
【００３０】
ところで、本体枠３を開閉自在に軸支する構造として、上枠板８０と側枠板８２とを連結するための支持突出片９２を有するコーナー金具８８と下部前面板８４の一側上面に沿って取り付けられる下支持金具９３とが設けられている。コーナー金具８８には、前方に突出している支持突出片９２に屈曲した支持鉤穴９８が形成されており、第１実施形態に係る外枠２と同じように、この支持鉤穴９８に本体枠３の後述する上軸支金具５０３の軸支ピン５０４が係合されるようになっている。また、下支持金具９３６も前方に突出した形状に形成されているが、この突出した部分に上向きに支持突起９９が突設され、第１実施形態に係る外枠２と同じように、この支持突起６８に本体枠３の後述する枠支持板５０６に形成される支持穴が挿入される。したがって、外枠２に本体枠３を支持するためには、下支持金具９３の支持突起９９に本体枠３の枠支持板５０６に形成される支持穴を係合させた後、本体枠３の上軸支金具５０３の軸支ピン５０４を支持鉤穴９８に掛け止めることにより簡単に開閉自在に軸支することができる。
【００３１】
一方、開放側の側枠板８３の内側上下には、閉鎖用突起９４，９５が固着されている。この閉鎖用突起９４，９５は、外枠２に対して本体枠３を閉じる際に、本体枠３の開放側辺に沿って取り付けられる錠装置１０００のフック部１０５４，１０６５と係合するものである。そして、錠装置１０００のシリンダー錠１０１０に鍵を差し込んで一方に回動することにより、フック部１０５４，１０６５と閉鎖用突起９４，９５との係合が外れて本体枠３を外枠２に対して開放することができる。
【００３２】
なお、外枠２を構成する上枠板８０、下枠板８１、側枠板８２，８３を連結するためのコーナー金具８８〜９１をそれぞれ所定の位置に取り付けたときに、図１４及び図１５に示すように、各金具８８〜９１の外側面と各枠板８０〜８３の外側面とがほぼ同一平面となるように、各金具８８〜９１の取付部分に対応する各枠板８０〜８３の端部が凹状に形成されている。また、下支持金具９３を取り付けたときにも、下部前面板８４の上面と下支持金具９３の上面とがほぼ同一平面となるようになっている。
【００３３】
ところで、本体枠３を開閉自在に軸支するための上支持金具４５の支持突出片４６（第２実施形態においては、コーナー金具８８の支持突出片９２）の裏面には、図１９に示すようにロック部材５８が回動自在に軸支されている。より詳細に説明すると、図１９（Ａ）に示すように、上支持金具４５の支持突出片４６は、先端部が円弧状の平板として形成されると共に支持突出片４６の外側縁に沿って直角に折り曲げられた垂下壁５５が形成される。この垂下壁５５により、上支持金具４５の支持突出片４６の強度を向上させることができると共に、正面から見たときに次に説明するロック部材５８が視認できないようにして外観を良くし、更に、次に説明するロック部材５８の弾性片６１の先端当接部が当接する部位として利用したりロック部材５８が支持突出片４６から外側に飛び出さないように停止部として利用している。また、支持突出片４６に形成される支持鉤穴４７は、垂下壁５５が形成されない反対側の側方から内側にやや向ってさらに先端中央部に向かって傾斜状となるように屈曲して形成されている。そして、支持鉤穴４７の傾斜状穴部の溝寸法は、軸支ピン５０４の直径よりもやや大きな寸法に形成されている。また、上記した垂下壁５５は、支持鉤穴４７の前方の入口端部から支持突出片４６及び上支持金具４５の外側縁に沿って直角に折り曲げられて形成されていると共に、支持鉤穴４７の前方の入口端部の部分で内側に向って折り曲げられて停止垂下部５６となっている。また、支持突出片４６のほぼ中央に取付穴５７が穿設され、該取付穴５７にロック部材５８がリベット６３によって回転自在に軸支されている。ロック部材５８は、合成樹脂によって成型されるものであり、ストッパー部５９と操作部６０とがＬ字状に形成され、また操作部６０と反対側に円弧状の弾性片６１が一体的に延設されている。そして、ストッパー部５９と操作部６０とがなすＬ字状の基部に前記リベット６３が挿通される取付穴２５ｄが形成されている。しかして、ロック部材５８がリベット６３によって取付穴５７に取り付けられて支持突出片４６の裏面に回転自在に固定した状態においては、図１９（Ｂ）に示すように、弾性片６１の先端当接部が垂下壁５５の内側面と当接しており、ストッパー部５９が支持鉤穴４７の傾斜状穴部を閉塞するようになっている。また、このときストッパー部５９の先端部分は、支持鉤穴４７の傾斜状穴部の先頭空間部分を閉塞した状態となっていない。即ち、通常の状態で支持鉤穴４７の先頭空間部分には、本体枠３の上軸支金具５０３の軸支ピン５０４が挿入される空間が形成されている。
【００３４】
ところで、軸支ピン５０４が支持鉤穴４７の傾斜状穴部の先端空間部分に挿入されてストッパー部５９の先端側方が入口端部の停止垂下部５６に対向している状態（この状態ではストッパー部５９の先端側方と停止垂下部５６との間に僅かな隙間があり当接した状態となっていない）である通常の軸支状態においては、屈曲して形成される支持鉤穴４７の傾斜状穴部の先端空間部分に位置する軸支ピン５０４とストッパー部５９の先端面６４とのそれぞれの中心が斜め方向にずれて対向した状態となっている。そして、この通常の軸支状態においては、重量のある本体枠３を軸支している軸支ピン５０４が支持鉤穴４７の先端部分に当接した状態となっているので、軸支ピン５０４からストッパー部５９の先端面６４への負荷がほとんどかかっていないため、ロック部材５８の弾性片６１に対し負荷がかかっていない状態となっている。また、図２０（Ａ）に示すように、ストッパー部５９の先端面６４が操作部６０を操作して回動したときにロック部材５８がスムーズに回動するように円弧状に形成されている。図示の場合、この円弧状先端面６４の円弧中心は、リベット６３の中心（ロック部材５８の回転中心）である。このため、軸支ピン５０４が支持鉤穴４７の傾斜状穴部の傾斜に沿って抜ける方向に作用力Ｆがかかって円弧状の先端面６４に当接したとき、その作用力Ｆを、軸支ピン５０４と円弧状の先端面６４との当接部分に作用する分力Ｆ１（円弧状先端面６４の円弧の法線方向）と、軸支ピン５０４と支持鉤穴４７の傾斜状穴部の一側内面との当接部分に作用する分力Ｆ２と、に分けたときに、分力Ｆ１の方向がリベット６３の中心（ロック部材５８の回転中心）を向くため、ロック部材５８のストッパー部５９の先端部が支持突出片４６から外れる方向（図示の時計方向）に回転させるモーメントが働かず、軸支ピン５０４がロック部材５８のストッパー部５９の先端部と支持鉤穴４７の傾斜状穴部の一側内面との間に挟持された状態を保持する。このため、通常の軸支状態でもあるいは軸支ピン５０４の作用力がロック部材５８にかかった状態でも、ロック部材５８の弾性片６１に常時負荷がかからず、合成樹脂で一体形成される弾性片６１のクリープによる塑性変形を防止し、長期間に亘って軸支ピン５０４の支持鉤穴４７からの脱落を防止することができる。なお、仮に無理な力がかかってロック部材５８のストッパー部５９の先端部が支持突出片４６から外れる方向（図示の時計方向）に回転させられても、ストッパー部５９の先端部の一側方が停止垂下部５６に当接してそれ以上外れる方向に回転しないので、ロック部材５８が支持突出片４６の外側にはみ出ることはない。
【００３５】
また、図２０（Ａ）に示す実施形態においては、ストッパー部５９の円弧状先端面６４の円弧中心がリベット６３の中心（ロック部材５８の回転中心）であることにより、軸支ピン５０４に対し支持鉤穴４７の傾斜状穴部の傾斜に沿って抜ける方向の作用力Ｆがかかってもロック部材５８に回転モーメントが生じないものについて説明したが、図２０（Ｂ）に示すように、ストッパー部５９の円弧状先端面２５ｆの曲率半径をさらに小さくし、且つロック部材５８のリベット６３による軸支位置を支持突出片４６の内側にした場合に、軸支ピン５０４が支持鉤穴４７の傾斜状穴部の傾斜に沿って抜ける方向に作用力Ｆがかかって円弧状の先端面６４ａに当接したとき、その作用力Ｆを、軸支ピン５０４と円弧状の先端面６４ａとの当接部分に作用する分力Ｆ１（円弧状先端面６４ａの円弧の法線方向）と、軸支ピン５０４と支持鉤穴４７の傾斜状穴部の一側内面との当接部分に作用する分力Ｆ２と、に分けた場合において、分力Ｆ１によって回転モーメントが働いてロック部材５８を図示の矢印方向（時計回転方向）に回転させるが、ロック部材５８が回転してもストッパー部５９の先端一側方が停止垂下部５６に当接するだけであるため、ロック部材５８が支持突出片４６の外側にはみ出ることもないし、ロック部材５８の弾性片６１に対しても負荷がかかることもない。
【００３６】
つまり、図２０（Ａ）及び図２０（Ｂ）に示す実施形態から理解することができる点は、軸支ピン５０４が支持鉤穴４７の傾斜状穴部の傾斜に沿って抜ける方向に作用力Ｆがかかって先端面６４，６４ａに当接したとき、その作用力Ｆの軸支ピン５０４と先端面６４，６４ａとの当接部分に作用する分力Ｆ１によってロック部材５８を回転させる回転モーメントが生じない位置若しくはロック部材５８をその先端部が支持突出片４６の外側に向って回転させる回転モーメントが生ずる位置にロック部材５８の回転中心（リベット６３により固定される軸）を位置させることにより、常時ロック部材５８の弾性片６１に対しても負荷がかかることはないし、ロック部材５８が回転してもストッパー部５９の先端一側方が停止垂下部５６に当接するだけであるため、ロック部材５８が支持突出片４６の外側にはみ出ることもない。なお、ストッパー部５９の先端面の形状が円弧状でなくても、上記した分力Ｆ１の作用により回転モーメントが生じない位置又はロック部材５８をその先端部が支持突出片４６の外側に向って回転させる回転モーメントが生ずる位置にロック部材５８の回転中心（リベット６３により固定される軸）を位置させることにより、常時ロック部材５８の弾性片６１に対しても負荷がかかることはないし、ロック部材５８が回転してもストッパー部５９の先端一側方が停止垂下部５６に当接するだけであるため、ロック部材５８が支持突出片４６の外側にはみ出ることもないという点を本出願人は確認している。
【００３７】
上記のように構成されるロック部材５８の作用について図２１を参照して説明する。外枠２に本体枠３を開閉自在に軸支する前提として、本体枠３の枠支持板５０６（図９９参照）に形成される支持穴（図示しない）に下支持金具６６の支持突起６８が挿通されていることが必要である。そのような前提において、図２１（Ａ）に示すように、本体枠３の上軸支金具５０３の軸支ピン５０４をロック部材５８のストッパー部５９の側面に当接させて押し込むことにより、図２１（Ｂ）に示すように、ロック部材５８が弾性片６１を変形させながら反時計方向に回動させるので、軸支ピン５０４を支持鉤穴４７に挿入することができる。そして、軸支ピン５０４が支持鉤穴４７の傾斜状穴部の先頭空間部分に到達すると、図２１（Ｃ）に示すように、軸支ピン５０４とストッパー部５９の先端側面とが当接しなくなるためロック部材５８が弾性片６１の弾性力に付勢されて時計方向に回動し、ロック部材５８のストッパー部５９が再度通常の状態に戻って支持鉤穴４７の入口部分を閉塞すると同時に、ストッパー部５９の先端部分が軸支ピン５０４と対向して軸支ピン５０４が支持鉤穴４７から抜け落ちないようになっている。そして、この状態は、図２１（Ｄ）に示すように、本体枠３が完全に閉じられた状態でもあるいは本体枠３の通常の開閉動作中も保持される。次いで、軸支ピン５０４を支持鉤穴４７から取り外すためには、図２１（Ｅ）に示すように、指を支持突出片４６の裏面に差し入れてロック部材５８の操作部６０を反時計方向に回動することにより、ロック部材５８が弾性片６１の弾性力に抗して回動し、ストッパー部５９の先端部分が支持鉤穴４７から退避した状態となるため、軸支ピン５０４を支持鉤穴４７から取り出すことができる。その後、本体枠３を持ち上げて、枠支持板５０６に形成される支持穴と下支持金具６６の支持突起６８との係合を解除することにより、本体枠３を外枠２から取り外すことができる。
【００３８】
上記したように、外枠２の上支持金具４５に設けられるロック部材５８は、ストッパー部５９と操作部６０と弾性片６１とが合成樹脂によって一体的に形成されているので、上支持金具４５の裏面に極めて簡単に取り付けることができると共に、極めて簡単な構造であるため故障も少なく且つ製造コストの低減を計ることができる。また、軸支ピン５０４が支持鉤穴４７の傾斜状穴部の傾斜に沿って抜ける方向に作用力Ｆがかかって先端面６４，６４ａに当接したとき、その作用力Ｆの軸支ピン５０４と先端面６４，６４ａとの当接部分に作用する分力Ｆ１によってロック部材５８を回転させる回転モーメントが生じない位置若しくはロック部材５８をその先端部が支持突出片４６の外側に向って回転させる回転モーメントが生ずる位置にロック部材５８の回転中心（リベット６３により固定される軸）を位置させることにより、常時ロック部材５８の弾性片６１に対しても負荷がかかることはなく、合成樹脂で一体形成される弾性片６１のクリープによる塑性変形を防止し、長期間に亘って軸支ピン５０４の支持鉤穴４７からの脱落を防止することができると共に、ロック部材５８が回転してもストッパー部５９の先端一側方が停止垂下部５６に当接するだけであるため、ロック部材５８が支持突出片４６の外側にはみ出ることもない。なお、このロック部材５８は、第２実施形態に係る外枠２のコーナー金具８８の支持突出片９２にもそのまま適用されている。
【００３９】
〔扉枠〕
次に、上記した本体枠３の前面側に開閉自在に設けられる扉枠５について、図２２乃至図８７を参照して説明する。図２２は、扉枠５の正面図であり、図２３は、扉枠５の背面図であり、図２４は、図２２に表示されるＡ−Ａ断面図であり、図２５は、図２２に表示されるＢ−Ｂ断面図であり、図２６は、図２２に表示されるＣ−Ｃ断面図であり、図２７は、図２２に表示されるＤ−Ｄ断面図であり、図２８は、図２３に表示されるＥ−Ｅ断面図であり、図２９は、図２３に表示されるＦ−Ｆ断面図であり、図３０は、図２９と同じ断面図の部位における従来の補強板金１６３の開放側外折曲突片２２３の形状を示す断面図であり、図３１は、扉枠５の正面から見た分解斜視図であり、図３２は、扉枠５の背面から見た分解斜視図であり、図３３は、扉枠５の前面側に取り付けられる扉レンズユニット１２０の正面から見た分解斜視図であり、図３４は、扉レンズユニット１２０に設けられるレンズベース体１２１と冷陰極管１３１との関係を示す平面図であり、図３５は、冷陰極管１３１の支持構造を説明するための拡大平面図であり、図３６は、レンズベース体１２１と冷陰極管１３１との関係を示す斜視図であり、図３７は、扉レンズユニット１２０のレンズカバー１５０と皿ユニット３００に設けられるレンズカバー３１０との関係を示すパチンコ遊技機１の正面斜視図であり、図３８は、扉枠５の防犯カバー２７０を取り外した状態の背面図であり、図３９は、扉枠５とガラスユニット２５０との関係を示す分解斜視図であり、図４０は、扉枠５に着脱自在に取り付けられるガラスユニット２５０の正面図（Ａ）・背面図（Ｂ）であり、図４１は、ガラスユニット２５０の分解斜視図であり、図４２は、ガラスユニット２５０の乾燥剤挿入部分の拡大斜視図であり、図４３は、図４２の乾燥剤挿入部分の断面図であり、図４４は、扉枠５に取り付けられる防犯カバー２７０の正面から見た斜視図（Ａ）と背面から見た斜視図（Ｂ）であり、図４５は、扉枠５の一側上部に設けられるスピーカを覆うスピーカカバー１６５部分の拡大正面図であり、図４６は、スピーカ１６３の斜視図であり、図４７は、扉枠５の一側上部に設けられるスピーカ１６３部分の背面から見た従来例（Ａ）と本実施形態例（Ｂ）の拡大斜視図であり、図４８は、スピーカカバー１６５及び装飾部材１８５を構成する部材のうち、ＬＥＤに照射される部材を取り除いた場合の扉枠５の正面図であり、図４９は、一方のスピーカカバー１６５及び装飾部材１８５の前面から見た斜視図であり、図５０は、一方のスピーカカバー１６５及び装飾部材１８５の背面から見た斜視図であり、図５１は、扉枠５の前面に設けられる皿ユニット３００の正面図であり、図５２は、図５１に表示されるＡ−Ａ断面図であり、図５３は、図５１に表示されるＢ−Ｂ断面図であり、図５４は、図５１に表示されるＣ−Ｃ断面図であり、図５５は、皿ユニット３００の正面から見た分解斜視図であり、図５６は、皿ユニット３００の背面から見た分解斜視図であり、図５７は、皿ユニット３００の内部に設けられる下部スピーカユニット３４０の正面図（Ａ）・平面図（Ｂ）・背面図（Ｃ）であり、図５８は、下部スピーカユニット３４０の右側面図（Ａ）・正面から見た斜視図（Ｂ）・背面から見た斜視図（Ｃ）であり、図５９は、下部スピーカユニット３４０の正面から見た分解斜視図であり、図６０は、下部スピーカユニット３４０の背面から見た分解斜視図であり、図６１は、下部スピーカボックス３３０の正面図（Ａ）とその正面図中に表示されるＢ−Ｂ断面図（Ｂ）であり、図６２は、下部スピーカボックス３３０とその上部に位置する皿体３８０との関係を示す背面から見た斜視図であり、図６３は、皿体３８０の背面図であり、図６４は、下部スピーカボックス３３０と皿体３８０とを組み付けた状態での背面から見た斜視図であり、図６５は、下部スピーカボックス３３０と皿体３８０とを組み付けた状態での背面図であり、図６６は、皿体３８０に設けられる第２球抜弁３９８と第２球抜ボタン４２１との関係を示す正面から見た斜視図であり、図６７は、皿体３８０に設けられる第２球抜弁３９８と第２球抜ボタン４２１との関係を示す平面図であり、図６８は、皿体３８０に設けられる第２球抜弁３９８と第２球抜ボタン４２１との関係を示す背面から見た斜視図であり、図６９は、第２球抜弁３９８と第２球抜ボタン４２１とを連結するためのリンク機構を示す背面図であり、図７０は、第２球抜弁３９８と第２球抜ボタン４２１の作用を説明するための平面図であり、図７１は、皿ユニット３００に設けられる操作ボタンユニット３２９の斜視図であり、図７２乃至図７４は、皿ユニット３００を組み立てる工程を説明するための背面から見た斜視図であり、図７５は、皿ユニット３００への操作ボタンユニット３２９の組み付けを説明するための斜視図（Ａ）・正面図（Ｂ）であり、図７６は、皿ユニット３００への操作ボタンユニット３２９の組み付けを説明するための断面図であり、図７７は、パチンコ遊技機１の正面図であり、図７８は、図７７に表示されるＡ−Ａ断面図であり、図７９は、図７７に表示されるＢ−Ｂ断面図であり、図８０は、図７７に表示されるＣ−Ｃ断面図であり、図８１は、図７７に表示されるＤ−Ｄ断面図であり、図８２は、図７７に表示されるＥ−Ｅ断面図であり、図８３は、図７７に表示されるＦ−Ｆ断面図であり、図８４は、図７７に表示されるＧ−Ｇ断面図であり、図８５は、図７７に表示されるＨ−Ｈ断面図であり、図８６は、図７７に表示されるＩ−Ｉ断面図であり、図８７は、図７７に表示されるＪ−Ｊ断面図である。
【００４０】
図２２、図２３、図３１及び図３２に示すように、扉枠５は、方形状に形成される扉枠本体１００の上部に縦長六角形状の遊技窓１０１が形成され、該遊技窓１０１の前面周囲に扉レンズユニット１２０が取り付けられ、また、遊技窓１０１の下方の板状部の前面に扉枠本体１００に皿ユニット３００が設けられ、その皿ユニット３００の一側（開放側）にハンドル装置４６０の操作ハンドル部４６１が突設固定されている。また、扉枠本体１００の裏面には、遊技窓１０１の周囲に補強板金２１０が固定され、遊技窓１０１を閉塞するようにガラスユニット２５０が取り付けられると共に、前記遊技窓１０１の下方の板状部の裏面に、前記操作ハンドル部４６１に対応するジョイントユニット４８０、装着台２８０、及び枠装飾中継基板２９０がそれぞれ取り付けられている。なお、ガラスユニット２５０の裏面下部には、防犯機能を有する防犯カバー２７０も装着されている。以下、扉板５を構成する上記の各構成部材のより詳細な構造について説明する。
【００４１】
<扉枠本体>
図３１及び図３２に示すように、扉枠本体１００は、合成樹脂によって額縁状に形成され、前述したように上方部に縦長六角形状の遊技窓１０１が形成され、その遊技窓１０１の下方が板状部となっている。遊技窓１０１の上部左右には、後述するスピーカ１６３を貫通させる円形状のスピーカ用開口１０２が形成され、そのスピーカ用開口１０２の下方に後述するガラスユニット２５０の止め片２５４を係止するための止めレバー１０８（図３８参照）が回動自在に設けられている。なお、本実施形態に係る遊技窓１０１は、従来に比べて上下方向及び左右方向の寸法が大きくなった遊技盤４が取り付けられるため、遊技窓１０１の上下方向及び左右方向の寸法も大きくなっている。このため、後述する扉枠レンズユニット１２０の形状が従来一般的に知られているものと大きく相違する。
【００４２】
一方、遊技窓１０１の下方の板状部には、軸支側上部に皿ユニット３００の賞球連絡樋４５１（図５６参照）が貫通する賞球通過口１０３が開設され、その斜め中央寄りに後述する側面開口蓋４０６（図５６参照）を脱着するための蓋用開口１０５が開設され、その蓋用開口１０５の開放側の隣接する位置に球送りユニット２８７を装着するための球送り開口１０４が開設され、さらに球送り開口１０４のさらに開放側寄りに前記シリンダー錠１０１０が貫通するための錠穴１０６が開設されている。また、球送り開口１０４の下方の板状部の裏面側にジョイントユニット４８０を取り付けるためのジョイントユニット装着凹部１０７が形成され、同じく下方の板状部の裏面側の遊技窓１０１の下部左右にガラスユニット２５０の掛止突片２５５を掛け止めるための係合受片１０９（図３８参照）が形成され、その係合突片１０９の側方に防犯カバー２７０の後述する装着弾性片２７３が装着される装着開口部１１０が形成されている。また、板状部の前面中央には、前方に向って後述する皿ユニット３００の案内穴４５６（図２４参照）に挿入される係合突起１１１が形成されている。更に、扉枠本体１００の下辺は、後方に突出した扉枠突片１１２となっており、後述するように、この扉枠突片１１２と本体枠３に形成される係合溝５８４，５８５とが扉枠５と本体枠３との下側辺部における外側の突条及び係合部を構成するものである。
【００４３】
<扉レンズユニット>
次に、上記した扉枠本体１００の前面側の上部に取り付けられる扉レンズユニット１２０の構成について主として図２６乃至図３７を参照して説明する。扉レンズユニット１２０は、図３３に示すように、前面側を反射面とするリフレクタ１２２，１３３，１３４と、該リフレクタ１２２，１３３，１３４の前面及び内側に取り付けられる冷陰極管１３１，１３７，１３８及びＬＥＤ基板１４２，１４４，１４６と、前記リフレクタ１２２，１３３，１３４の前方を覆う光透過性のあるレンズカバー１５０と、該レンズカバー１５０に取り付けられるスピーカ１６３と、前記レンズカバー１５０のベースとなるレンズベース体１２１と、から構成されている。
【００４４】
レンズベース体１２１は、平面視で前方が円弧で後方が直線の後面が開放した内部中空の三角形状に合成樹脂によって形成され、その中空内部に冷陰極管１３１，１３７，１３８に高電圧の電流を供給するインバータ基板１４１が収納固定されている。また、レンズベース体１２１の前面及び底面に当接するように断面Ｌ字状の上リフレクタ１２２が取り付けられている。この上リフレクタ１２２は、白色に着色されたポリカーボネート樹脂で形成されており、この白色着色樹脂によって反射率を高めた表面を有するものとしている。つまり、上リフレクタ１２２の表面は、上冷陰極管１３１及びＬＥＤ１４３から発せられた光を反射する反射面となっている。次に説明する側方リフレクタ１３３，１３４も同様に白色に着色されたポリカーボネート樹脂で形成されている。ところで、図３６に示すように、上リフレクタ１２２の両端部に、上冷陰極管１３１の両端を支持するための電極支持部１２７が形成され、さらに上リフレクタ１２２の垂直前面壁１２３の前面に適宜間隔を置いて上冷陰極管１３１を支持するために先端部がＵ字状に形成された陰極管支持片１２５が突設されている。これは、上冷陰極管１３１の中央が屈曲された「く」字状に屈曲して形成されているので、中央の屈曲部に応力がかかって破損しやすいため、両端の電極支持部１２７だけではなく適宜間隔を置いて陰極管支持片１２５で支持し、しかも、上冷陰極管１３１を陰極管支持片１２５に支持する際には、図３６（Ａ）に示すように、耐熱性ゴムパッキン１２６に挟んで上冷陰極管１３１が動かないように支持することにより、より破損し難い支持構造とすることができる。また、両端の電極支持部１２７は、図３５に示すように、上方が開放されていると共に、内側に向いている周壁に上冷陰極管１３１の端部を受け入れるように一辺が開口した電極挿入孔１２８が形成されており、この電極挿入孔１２８に上冷陰極管１３１の配線が接続された端部に取り付けられた弾性変形し得るゴム製スリーブ１３２を開口部分の対面方向である上方から挿入し、その後、電極支持部１２７の上方から電極蓋１２９を嵌め込むことにより、上冷陰極管１３１を上リフレクタ１２２の前面に装着することができる。このように上リフレクタ１２２の両端部にゴム製スリーブ１３２を装着し、そのゴム製スリーブ１３２部分を電極支持部１２７の電極挿入孔１２８に遊嵌状態で支持させることにより、図３５（Ｃ）に示すように、上冷陰極管１３１が衝撃等により振動しても、ゴム製スリーブ１３２がその振動を吸収する際に、上冷陰極管１３１の端部が電極支持部１２７の部分で揺動あるいは摺動して破壊応力が弱められるので、電極支持部１２７部分及び上冷陰極管１３１の屈曲部での上冷陰極管１３１の破損を防止することができる。なお、上リフレクタ１２２の左右両端には、スピーカ１６３を貫通させるスピーカ貫通穴１３０が形成されている。
【００４５】
上記の上リフレクタ１２２の両端に側方リフレクタ１３３，１３４が垂下するように連結されている。この側方リフレクタ１３３，１３４も上リフレクタ１２２と同様に白色に着色されたポリカーボネート樹脂で形成されており、この白色着色樹脂によって反射率を高めた表面を有するものとしている。つまり、側方リフレクタ１３３，１３４の表面は、側方冷陰極管１３７，１３８及びＬＥＤ１４５，１４７から発せられた光を反射する反射面となっている。側方リフレクタ１３３，１３４の前方に取り付けられる側方冷陰極管１３７，１３８は、直線状のものであるため、その側方冷陰極管１３７，１３８を支持する電極支持部１３５，１３６が、側方リフレクタ１３３，１３４の上下端部の２箇所に形成されている。もちろん、電極支持部１３５，１３６に側方冷陰極管１３７，１３８が支持される際には、上冷陰極管１３１と電極支持部１２７との関係を同じように、側方冷陰極管１３７，１３８の端部にゴム製スリーブ１３９，１４０が装着され、そのゴム製スリーブ１３９，１４０が電極支持部１３５，１３６に当接して支持されるようになっている。これにより、側方冷陰極管１３７，１３８が振動しても破損し難い支持構造とすることができる。
【００４６】
上記した上リフレクタ１２２及び側方リフレクタ１３３，１３４の内側（遊技窓１０１を縁取る位置）には、多数のＬＥＤ１４３，１４５，１４７が実装されたＬＥＤ基板１４２，１４４，１４６が取り付けられている。このＬＥＤ基板１４２，１４４，１４６に実装されるＬＥＤ１４３，１４５，１４７によって次に説明するレンズカバー１５０の内周面が装飾される。
【００４７】
上記したレンズベース体１２１と上冷陰極管１３１及び側方冷陰極管１３７，１３８が装着された上リフレクタ１２２及び側方リフレクタ１３３，１３４とは、レンズカバー１５０の裏面側に固定される。レンズカバー１５０は、前記レンズベース体１２１と上冷陰極管１３１が装着された上リフレクタ１２２に対応する上レンズカバー部１５１と、前記側方冷陰極管１３７，１３８が装着された側方リフレクタ１３３，１３４に対応する側方レンズカバー部１５６，１５７とが透過性の樹脂によって形成されている。そして、前述したように扉枠本体１００に形成される遊技窓１０１の開口寸法が従来よりも大きく形成されているため、扉枠本体１００の外周辺と遊技窓１０１の内周辺との間の寸法、換言するならば、レンズカバー１５０が取り付けられるための寸法（特に、左右両側部の寸法）が狭くなっているため、本実施形態におけるレンズカバー１５０は、上レンズカバー部１５１と側方レンズカバー部１５６，１５７のすべての最大前方突出部において、その基部寸法（扉枠本体１００に当接する部分の幅寸法）に対して前方に向って突出する突出寸法が大きくなるような断面楔形状となっている。より詳細に説明すると、上レンズカバー部１５１及び側方レンズカバー部１５６，１５７は、共に白色レンズ部として断面楔状の前方膨出部が合成樹脂で成形され、その白色レンズ部１５１，１５６，１５７の下部後端の遊技窓１０１を縁取る内側に着色の異なる合成樹脂で成形された赤色レンズ部１５５（図２６参照）及び赤色レンズ部１６１（図２７参照；なお、左右の側方レンズカバー部１５６，１５７の内側の赤色レンズ部の符号は、同一の「１６１」と表示する。）を連結して構成されるものである。そして、この赤色レンズ部１５５，１６１を前記上ＬＥＤ基板１４２及び側方ＬＥＤ基板１４４，１４６に直線状に実装される複数のＬＥＤ１４３，１４５，１４７によって照明するものである。
【００４８】
ところで、上レンズカバー部１５１は、内部が空洞で後方が開放した断面楔状に形成されると共に平面視においてブーメラン形状に構成されるものであり、前述した「く」字状に形成される上冷陰極管１３１とその楔状の先端部内面との距離が近くなるように形成されている。そして、上レンズカバー部１５１の楔状先端部外側には、銀色に着色された不透明な先頭モール部材１５４が固着されており、上レンズカバー部１５１のほぼ全体に相当する断面楔状の前方膨出面を上冷陰極管１３１で照明している。また、側方レンズカバー部１５６，１５７は、内部が空洞で後方が開放して断面楔状に形成される点で上レンズカバー部１５１と同様であるが、側方視において楔状の突出量が上レンズカバー部１５１に比べて少なく、また全体としてなだらかな曲線を有するブーメラン形状に構成されるものであり、前述した直線状に形成される側方冷陰極管１３７，１３８とその楔状の先端部内面との距離が近くなるように形成されている。そして、側方レンズカバー部１５６，１５７の楔状先端部外側には、銀色に着色された不透明な先頭モール部材１６０が固着されており、側方レンズカバー部１５６，１５７のほぼ全体に相当する断面楔状の前方膨出面を側方冷陰極管１３７，１３８で照明している。
【００４９】
より詳細に上レンズカバー部１５１及び側方レンズカバー部１５６，１５７と上リフレクタ１２２及び側方リフレクタ１３３，１３４との関係を説明すると、図２６に示すように、断面楔状に形成される上レンズカバー部１５１の裏面側に上リフレクタ１２２を取り付けた状態では、断面Ｌ字状に形成される上リフレクタ１２２が上レンズカバー部１５１の内部空間を、上冷陰極管１３１で光装飾される前方装飾空間１５２と上ＬＥＤ基板１４２に直線状に実装される複数のＬＥＤ１４３で光装飾される内側装飾空間１５３とに区画するように構成され、また、上リフレクタ１２２の垂直前面壁１２３の前面に上冷陰極管１３１が取り付けられ、上リフレクタ１２２の下部水平壁１２４の後方下部裏面に上ＬＥＤ基板１４２が取り付けられている。これによって断面楔形状に形成される上レンズカバー部１５１を前後方向に離れて位置する上冷陰極管１３１とＬＥＤ１４３とによって区画して照射することができるため、上冷陰極管１３１とＬＥＤ１４３とを上下方向に平行状に配置した場合に比較して上レンズカバーの後端上下幅寸法を小さく形成することができ、そのため、遊技窓１０１の大きな扉枠５の表面に取り付けることが可能となる。また、上冷陰極管１３１で照射される前方装飾空間１５２とＬＥＤ１４３で照射される内側装飾空間１５３とが上リフレクタ１２２によって完全にセパレートされるので、それぞれの発光源による光装飾を遊技者が明確に認識することができる。なお、本実施形態においては、図２６に示すように、上冷陰極管１３１から照射された光は、直接上レンズカバー部１５１の前方膨出面に照射されると共に上リフレクタ１２２の垂直前面壁１２３によって反射された光も上レンズカバー部１５１の前方膨出面方向に照射され、ＬＥＤ１４３から照射された光は、直接上レンズカバー部１５１の赤色レンズ部１５５に照射されると共に上リフレクタ１２２の下部水平壁１２４によって反射された光も赤色レンズ部１５５方向に照射されるようになっている。
【００５０】
また、図２７及び図２９に示すように、断面楔状に形成される側方レンズカバー部１５６，１５７（図２７及び図２９においては、一方の側方レンズカバー１５７について示しているが、他方の側方レンズカバー１５６においても同じ。）の裏面側に側方リフレクタ１３３，１３４を取り付けた状態では、側方リフレクタ１３３，１３４が側方レンズカバー部１５６，１５７の内部空間を、側方冷陰極管１３７，１３８で光装飾される前方装飾空間１５８とＬＥＤ基板１３８ａ，１３８ｂに直線状に実装される複数のＬＥＤ１４５，１４７で光装飾される内側装飾空間１５９とに区画するように構成され、また、側方リフレクタ１３３，１３４の外側前面に側方冷陰極管１３７，１３８が取り付けられ、側方リフレクタ１３３，１３４の内側裏面にＬＥＤ基板１３８ａ，１３８ｂが取り付けられている。これによって断面楔形状に形成される側方レンズカバー部１５６，１５７を前後方向に離れて位置する側方冷陰極管１３７，１３８とＬＥＤ１４５，１４７とによって区画して照射することができるため、側方冷陰極管１３７，１３８とＬＥＤ１４５，１４７とを平行状に配置した場合に比較して側方レンズカバー部１５６，１５７の後端左右幅寸法を小さく形成することができ、そのため、遊技窓１０１の大きな扉枠５の表面に取り付けることが可能となる。また、側方冷陰極管１３７，１３８で照射される前方装飾空間１５８とＬＥＤ１４５，１４７で照射される内側装飾空間１５９とが側方リフレクタ１３３，１３４によって完全にセパレートされるので、それぞれの発光源による光装飾を遊技者が明確に認識することができる。なお、本実施形態においては、図２７及び図２９に示すように、側方冷陰極管１３７，１３８から照射された光は、直接側方レンズカバー部１５６，１５７の前方膨出面に照射されると共に側方リフレクタ１３３，１３４の垂直前面壁１３３ａ，１３４ａによって反射された光も側方レンズカバー部１５６，１５７の前方膨出面方向に照射され、ＬＥＤ１４５，１４７から照射された光は、側方レンズカバー部１５６，１５７の赤色レンズ部１６１に直接照射されると共に側方リフレクタ１３３，１３４の内側傾斜壁１３３ｂ、１３４ｂの裏面によって反射された光も赤色レンズ部１６１方向に照射されるようになっている。
【００５１】
上記した実施形態においては、リフレクタ１２２，１３３，１３４によって区画される空間に配置される発光源として、冷陰極管１３１，１３７，１３８とＬＥＤ１４３，１４５，１４７とし、それぞれに対応するレンズカバー部１５１，１５６，１５７として色彩の異なる合成樹脂で成形して連結しているので、レンズカバー部１５１，１５６，１５７を冷陰極管１３１，１３７，１３８とＬＥＤ１４３，１４５，１４７とによって好適に照射される構造及び色彩で成形することができるものである。もちろん、種類の異なる発光源として、冷陰極管１３１，１３７，１３８とＬＥＤ１４３，１４５，１４７の組み合わせに限らず、両者ともＬＥＤとして構成してもよい。
【００５２】
また、本実施形態において、扉枠５の前面周囲を装飾する照明手段として冷陰極管を使用している理由は、以下の通りである。扉枠５の前面周囲を装飾する際に、発光源とその発光源の前面に配置されるレンズカバーの距離をあまり大きく取ることができないという制約がある。この制約は、扉枠５は常に開閉されるため、あまり突出量を大きくすると、開放時における作業等に支障を来たすおそれがあるからである。しかして、発光源とレンズカバーとの間の距離があまりとれない状況において、従来のように、発光源として、ランプやＬＥＤを点在させた場合に、レンズカバーを通して視認できる光装飾は、連続した状態の光装飾が視認できるものではなく光が強い部分と弱い部分との斑模様に視認できるに過ぎない。これに対し、本実施形態のように、発光源として連続した冷陰極管１３１，１３７，１３８を使用した場合に、冷陰極管１３１，１３７，１３８とレンズカバー１５０との距離が短くても、レンズカバー１５０を通して視認できる光装飾は、連続した状態の美しい光装飾が視認できるものである。このため、正に遊技盤４を囲む領域が連続した美しい光装飾により縁取られた状態となるので、従来のパチンコ遊技機にはない装飾効果を奏することができる。なお、発光源とレンズカバーとの距離をある程度とることができる場合には、ＬＥＤ等の点在する発光源を使用しても光が拡散してレンズカバーの全域をあまり強弱がなく照明することができるので、本実施形態においても、図３７に示すように、皿ユニット３００の前面上部を縁取るレンズカバー３１０に対応する発光源はＬＥＤ基板３０９（図２５参照）に設けられた複数のＬＥＤによって行われている。この点については、後に詳述する。
【００５３】
図３３に戻って、レンズカバー１５０の上レンズカバー部１５１と側方レンズカバー部１５６，１５７との連結部分には、スピーカ１６３を取り付けるためのスピーカ取付穴１６２が穿設されている。スピーカ１６３は、図４６に示すように、スピーカコーン１６４が前面に設けられるものであり、そのスピーカコーン１６４を支持するコーン支持体を取付部材（図示しない）によってスピーカ取付穴１６２の裏面から取り付けるようになっている。また、スピーカ取付穴１６２の前面は、網目状カバー１８２がその前面に取り付けられたスピーカカバー１６５によって覆われている。このようにスピーカ１６３の前面は、網目状カバー１８２（パンチングメタル）を有するスピーカカバー１６５によって覆われているので、後述するように網目状カバー１８２の前方からピアノ線等の不正具を差し込み、スピーカコーン１６４に不正穴２０３（図４５（Ｂ）参照）をあけて遊技盤４の表面若しくは遊技盤４の裏面に不正具を差し込む不正行為が行われる可能性があるが、本実施形態においては、そのような不正行為を防止する構成が採用されている。この点については、後に詳述する。
【００５４】
更に、レンズカバー１５０の側方レンズカバー部１５６，１５７の下方に装飾部材取付領域１８４が形成され、その装飾部材取付領域１８４に装飾部材１８５が取り付けられている。この装飾部材１８５は、上記したスピーカカバー１６５と類似した形状にして、レンズカバー１５０を扉枠本体１００の表面に取り付けたときに、レンズカバー１５０の上部左右と下部左右とがバランスのとれた印象を与えるために取り付けられるものである。
【００５５】
ところで、上記したスピーカカバー１６５及び装飾部材１８５は、上記したように単にスピーカ１６３の前方を覆ったり、あるいはレンズカバー１５０の下部を装飾したりするだけではなく、その周囲がＬＥＤで光装飾される構造となっている。この構造について図４８乃至図５０を参照して説明する。まず、スピーカカバー１６５について説明する。図４９（Ａ）及び図５０（Ａ）は、２つのスピーカカバー１６５のうち、一方のスピーカカバー１６５の分解斜視図を示しているが、他方のスピーカカバー１６５の構造も全く同じであるので、一方のスピーカカバー１６５について説明する。スピーカカバー１６５は、合成樹脂で平板状に成形されたカバーベース板１６６の裏面にＬＥＤ基板１７０を密着させる一方、カバーベース板１６６の前方にスピーカ枠１７９を内蔵した状態でインナーレンズ１７５、前面レンズ１７７で覆い、前面を網目状カバー１８２で閉塞する構成となっている。
【００５６】
より詳細に説明すると、カバーベース板１６６には、裏面側に位置するスピーカ１６３のスピーカコーン１６４が臨むスピーカ開口１６７が開設されると共に該スピーカ開口１６７の周囲に複数個のＬＥＤ１７２をそれぞれ臨ませる複数個のＬＥＤ穴１６８が形成されている。更に、カバーベース板１６６の裏面には、スピーカカバー１６５の全体をスピーカ取付穴１６２に取り付けるための取付ボス１６９が上下２箇所に形成されている。また、ＬＥＤ基板１７０にも、スピーカ１６３のスピーカコーン１６４が臨むスピーカ開口１７１が開設されると共に該スピーカ開口１７１の周囲の前面に複数個のＬＥＤ１７２が実装されている。ＬＥＤ基板１７０の裏面には、コネクタ１７３が実装されている。また、ＬＥＤ基板１７０には、前記取付ボス１６９を貫通させる逃げ孔１７４が形成されている。
【００５７】
一方、カバーベース板１６６の前方に配置されるインナーレンズ１７５は、拡散剤が混入されて乳白色となっている合成樹脂によって膨出状に形成され、そのほぼ中央にスピーカ枠１７９が嵌め合わされる枠開口１７６が開設されている。このインナーレンズ１７５は、前面レンズ１７７の内周面に密着して設けられるものであり、インナーレンズ１７５及び前面レンズ１７７の内周面は共にレンズカット加工されてＬＥＤ１７２からの光を拡散するようになっている。なお、前面レンズ１７７のほぼ中央にもスピーカ枠１７９が嵌め合わされる枠開口１７８が開設されている。
【００５８】
上記した前面レンズ１７７及びインナーレンズ１７５の枠開口１７８，１７６に嵌め合わされるスピーカ枠１７９は、合成樹脂によって逆三角形上の筒状に形成され、その筒状の前面開口であるカバー開口１８０の前面をパンチングメタルで構成される網目状カバー１８２によって閉塞され、その筒状の周壁であるスピーカ筒部１８１の後端がカバーベース板１６６の表面に当接するようになっている。つまり、スピーカカバー１６５を組み付けた状態では、カバーベース板１６６とＬＥＤ基板１７０のスピーカ開口１６７，１７１に臨むスピーカ１６３の効果音がスピーカ枠１７９のスピーカ筒部１８１を通って網目状カバー１８２の前方に向って発声されると共に、スピーカ筒部１８１の外周を覆うインナーレンズ１７５及び前面レンズ１７７の全域がＬＥＤ１７２に照射されて光装飾されるようになっている。なお、網目状カバー１８２には、後方に向って差し込み片１８３が突設され、その差し込み片１８３をスピーカ枠１７９の前面に形成される差し込み溝（図示しない）に差し込むことにより、網目状カバー１８２が装着されている。
【００５９】
次に、装飾部材１８５について説明する。図４９（Ｂ）及び図５０（Ｂ）は、２つの装飾部材１８５のうち、一方の装飾部材１８５の分解斜視図を示しているが、他方の装飾部材１８５の構造も全く同じであるので、一方の装飾部材１８５について説明する。装飾部材１８５は、合成樹脂で平板状に成形された装飾ベース板１８６の裏面にＬＥＤ基板１８９を密着させる一方、装飾ベース板１８６の前方に装飾枠１９７を内蔵した状態でインナーレンズ１９３、装飾レンズ１９５で覆い、前面を装飾板２００で閉塞する構成となっている。
【００６０】
より詳細に説明すると、装飾ベース板１８６には、外周縁の内側に沿って複数個のＬＥＤ１９０をそれぞれ臨ませる複数個のＬＥＤ穴１８７が形成されていると共に、装飾ベース板１８６の裏面に、装飾部材１８５の全体を装飾部材取付領域１８４に取り付けるための取付ボス１８８が上下２箇所に形成されている。また、ＬＥＤ基板１８９にも、その前面の外周に沿って複数個のＬＥＤ１９０が実装されている。ＬＥＤ基板１８９の裏面には、コネクタ１９１が実装されている。また、ＬＥＤ基板１８９には、前記取付ボス１８８を貫通させる逃げ孔１９２が形成されている。
【００６１】
一方、装飾ベース板１８６の前方に配置されるインナーレンズ１９３は、拡散剤が混入されて乳白色となっている合成樹脂によって膨出状に形成され、そのほぼ中央に装飾枠１９７が嵌め合わされる枠開口１９４が開設されている。このインナーレンズ１９３は、装飾レンズ１９５の内周面に密着して設けられるものであり、インナーレンズ１９３及び装飾レンズ１９５の内周面は共にレンズカット加工されてＬＥＤ１９０からの光を拡散するようになっている。なお、装飾レンズ１９５のほぼ中央にも装飾枠１９７が嵌め合わされる枠開口１９６が開設されている。
【００６２】
上記した装飾レンズ１９５及びインナーレンズ１９３の枠開口１９６，１９４に嵌め合わされる装飾枠１９７は、合成樹脂によって逆三角形上の筒状に形成され、その筒状の前面開口であるカバー開口１９８の前面を装飾板２００によって閉塞され、その筒状の周壁である装飾筒部１９９の後端が装飾ベース板１８６の表面に当接するようになっている。つまり、装飾部材１８５を組み付けた状態では、装飾筒部１９９の外周を覆うインナーレンズ１９３及び装飾レンズ１９５の全域がＬＥＤ１９０に照射されて光装飾されるようになっている。なお、装飾板２００には、後方に向って取付ボス２０１が突設され、その取付ボス２０１を装飾ベース板１８６の前記取付ボス１８８の前面側に一致させ、取付ボス１８８の裏面から長尺なビス（図示しない）で締着することにより、装飾板２００が装着されている。
【００６３】
以上、詳述したように、本実施形態に係るスピーカカバー１６５及び装飾部材１８５は、扉枠５の遊技窓１０１を囲む領域において、前述した冷陰極管１３１，１３７，１３８及びＬＥＤ基板１４２，１４４，１４６による光装飾とは別に四隅を重点的に光装飾するように構成されているので、遊技窓１０１の下辺を除く全周が漫然と光によって装飾されるのではなく、強弱のある光装飾とすることができる。特に、扉枠５の左右上部における光装飾は、従来、スピーカだけが配置される傾向が強く、そのスピーカ周りの光装飾が行われないため遊技窓１０１の外周周りの光装飾に斑がある印象を与えていたが、本実施形態のように構成することにより、遊技窓１０１の下辺を除く全周を効果的に光装飾を行うことができるものである。
【００６４】
<補強板金>
扉枠本体１００の前面側には、上記した扉レンズユニット１２０が取り付けられると共にその下方に皿ユニット３００が取り付けられる。ここで、皿ユニット３００の構造を説明する前に、扉枠本体１００の裏面側に取り付けられる補強板金２１０、ガラスユニット２５０、防犯カバー２７０、装着台２８０、枠装飾中継基板２９０、ハンドル装置４６０について順次説明する。まず、補強板金２１０について主として図３１、図３２、及び図２３乃至図３０を参照して説明する。
【００６５】
補強板金２１０は、図３１及び図３２に示すように、扉枠本体１００の上辺部裏面に沿って取り付けられる上側補強板金２１１と、扉枠本体１００の軸支側辺部裏面に沿って取り付けられる軸支側補強板金２１２と、扉枠本体１００の開放側辺部裏面に沿って取り付けられる開放側補強板金２１３と、扉枠本体１００の遊技窓１０１の下辺裏面に沿って取り付けられる下側補強板金２１４と、が相互にビス等で締着されて方形状に構成されるものである。
【００６６】
上側補強板金２１１は、所定幅を有して扉枠本体１００の横幅寸法とほぼ同じ長さに形成され、その長辺の両端縁が後方に向って折曲した上折曲突片２１５、下折曲突片２１６となっている。この上折曲突片２１５及び下折曲突片２１６は、本体枠３の後述する上部防犯二重溝５８１に嵌合されるものであり、図示の実施形態においては、図２６及び図７８に示すように、上折曲突片２１５の方が下折曲突片２１６よりも僅かにその突出量が大きくなるように形成されている。これは、上折曲突片２１５と上部防犯二重溝５８１の上溝との凹凸係合の度合いを大きくしてピアノ線等の侵入をさせ難くする一方、仮に、この外側の防犯凹凸係合をピアノ線が侵入した場合に、内側の凹凸係合の度合いが小さくても、不正具を操作しながら内側の凹凸係合をすり抜けるのは極めて困難であるからである。もちろん、上辺部からの不正具の挿入が、後述する開放側の不正具の挿入よりも店側に発見され易いので、その分、内側の凹凸係合の度合いを外側の凹凸係合の度合いよりも小さくしてもよいと言う考えにも基いている。しかし、外側と内側の凹凸係合の度合いが一緒となるようにしても良い。
【００６７】
軸支側補強板金２１２も、所定幅を有して扉枠本体１００の縦長寸法とほぼ同じ長さに形成され、その長辺の両端縁が後方に向って折曲されているが、内側の軸支側短折曲突片２２２は極めて短く、外側の折曲突片が、図８２に示すように折曲部から先がＬ字状に形成された軸支側Ｌ字状折曲突片２１７となっている。この軸支側Ｌ字状折曲突片２１７は、そのＬ字状に曲がった先端部が本体枠３の軸支側の延設された軸支辺部５８７の内側に当接するようになっており、扉枠５と本体枠３との当接面からピアノ線等の不正具が挿入された場合に、不正具の先端が軸支側Ｌ字状折曲突片２１７と軸支辺部５８７の内側の当接部分を容易にすり抜けないようにしている。特に、扉枠５の軸支側は、後述するように本体枠３との間で隙間があけにくく且つ不正な作業が行い難い反面、開閉軸側であるため上辺部や開放側辺部のように凹凸係合する構造にすると開閉動作に支障を来たすおそれがあるため、軸支側Ｌ字状折曲突片２１７と軸支辺部５８７の内側の当接構造としたものである。また、図３１に示すように、軸支側補強板金２１２の上下端部には、その上面に上下方向に摺動自在に設けられる軸ピン２１９を有する上軸支部２１８と、その下面に軸ピン２２１（図２３参照）を有する下軸支部２２０と、が一体的に形成されている。そして、上下の軸ピン２１９，２２１が本体枠３の軸支側上下に形成される上軸支金具５０３及び下軸支金具５０９に軸支されることにより、扉枠５が本体枠３に対して開閉自在に設けられるものである。
【００６８】
ただし、本体枠３との間で隙間があけにくいものであるとしても、扉枠５に設けられる皿ユニット３００の上面に体重をかけて押圧することにより、上記した軸ピン２１９，２２１と上軸支金具５０３及び下軸支金具５０９との軸支部を変形させて扉枠５と本体枠３との軸支側の隙間を意図的に形成される場合があるので、本実施形態においては、後述するように、本体枠３の軸支側に規制突起５７７を上下２箇所に突設している。即ち、図８２及び図８４に示すように、本体枠３に対して扉枠５を閉じた状態においては、軸支側補強板金２１２の軸支側Ｌ字状折曲突片２１７の先端部の一部が規制突片５７７の後方に挿入された状態となっている。このため、遊技者が皿ユニット３００を上方から下方に向けて押圧しても、軸支側補強板金２１２の軸支側Ｌ字状折曲突片２１７が規制突片５７７と当接して前方へ移動しないように規制するため、軸ピン２１９，２２１と本体枠３に固定される上軸支金具５０３及び下軸支金具５０９との軸支部への作用力を弱めることができ、これによって軸ピン２１９，２２１と上軸支金具５０３及び下軸支金具５０９との軸支部の変形を防止して本体枠３と扉枠５の軸支側における隙間が意図的に形成されないようにしている。なお、規制突起５７７が突設されていても、扉枠５を開放するときに軸支側Ｌ字状折曲突片２１７が規制突起５７７に接触することなく回動移動するので、扉枠５の開閉動作をスムーズに行うことができる。
【００６９】
開放側補強板金２１３は、所定幅を有して扉枠本体１００の縦長寸法とほぼ同じ長さに形成され、その長辺の両端縁が後方に向って折曲した開放側外折曲突片２２３、開放側内折曲突片２２５となっている。開放側外折曲突片２２３は、後述する本体枠３の側部防犯溝５８２に挿入されるものであり、開放側内折曲突片２２５は、本体枠３の防犯凹部５８３に挿入されるものである。しかして、開放側外折曲突片２２３と側部防犯溝５８２とは、図８３及び図８５に示すように、凹凸係合するようになっているが、開放側内折曲突片２２５と防犯凹部５８３とは、凹凸係合とはいえないものの、開放側内折曲突片２２５が防犯凹部５８３内に侵入した状態で開放側内折曲突片２２５の先端がガラスユニット２５０よりも遊技盤４に近い位置であって遊技盤４の飾り枠６０１の前端面からやや遊技盤４寄りの位置まで侵入される長さに設定されているため、仮に上記した開放側外折曲突片２２３と側部防犯溝５８２との凹凸係合部をすり抜けて不正具が侵入したとしても、開放側内折曲突片２２５によって案内される不正具の先端がガラスユニット２５０と遊技盤４の飾り枠６０１との間から遊技盤４の表面に侵入することはない。
【００７０】
更に、本実施形態における開放側補強板金２１３には、従来にはない構造を採用している。即ち、開放側補強板金２１３の上部、中間部、下部に錠装置１０００の扉枠用フック部１０４１が侵入しえるように係合開口２２６が形成され、その係合開口２２６の裏面側を覆うように扉枠用フック部１０４１が係合するフックカバー２２７が固定されている。したがって、扉枠５を本体枠３に対して施錠した状態では、図２９に示すように、錠装置１０００の扉枠用フック部１０４１がフックカバー２２７に係合すると共に、扉枠用フック部１０４１の先端が係合開口２２６の内部に侵入した状態となっている。この状態で開放側補強板金２１３と扉枠本体１００との間に無理やり不正具を差し込んだ場合には、図３０に示すように、その不正具が係合開口２２６の内部に侵入した扉枠用フック部１０４１に到達し、その扉枠用フック部１０４１を引き上げたりして錠装置１０００を開錠する不正を行うことが可能である。しかし、本実施形態の場合には、図２９に示すように、開放側補強板金２１３の係合開口２２６の外側の開口縁に沿って前方に突出するように防犯開口曲片部２２４を開放側補強板金２１３に一体的に形成したので、開放側補強板金２１３と扉枠本体１００との間に無理やり不正具を差し込んだ場合であっても、その不正具の先端が防犯開口曲片部２２４によって係合開口２２６の内部に侵入することできないため、扉枠用フック部１０４１を引き上げたりして錠装置１０００を開錠する不正を行うことができない。このように本実施形態に係る扉枠５においては、錠装置１０００における扉枠用フック部１０４１の不正な操作を防止することができるようになっている。なお、図３０に示す場合のように、防犯開口曲片部２２４が形成されていない場合には、扉枠用フック部１０４１に対する不正操作を行うことができるばかりではなく、熟練することにより係合開口２２６からさらに不正具の先端を後方に向けて侵入させ、遂には、図９５に示す扉用フック穴５４９から錠装置１０００内に不正具を侵入させて、扉枠５だけではなく、本体枠３を開閉させる連結杆をも上下動させる不正行為を行うことも可能である。しかし、本実施形態のように防犯開口曲片部２２４を設けることにより、錠装置１０００に対する不正行為を確実に防止することができるものである。
【００７１】
下側補強板金２１４は、所定幅を有して扉枠本体１００の横幅寸法とほぼ同じ長さに形成され、その長辺の両端縁のうち下方長辺端縁が後方に向って折曲した下折曲突片２２９となっており、上方長辺端縁の両側部が後方に向って折曲した上折曲突片２３０となっているものの、その両側部の上折曲突片２３０に挟まれる部分が垂直方向に延設される垂直折曲突片２３１となっている。下折曲突片２２９の突出量はあまり大きくなく、この下折曲突片２２９が溝部や凹部と係合して凹凸係合をなすものではなく、強度を高めるために形成されているのに対し、両側部の上折曲突片２３０の突出量は下折曲突片２２９の突出量よりもやや大きく下方からの不正具の侵入を多少防止するが、むしろ、本実施形態における下側補強板金２１４の構成で最も特徴的な構成は、垂直折曲突片２３１である。この垂直折曲突片２３１は、その上端縁形状が後述するガラスユニット２５０のユニット枠２５１の下端形状に合致するように凹状に形成され、ガラスユニット２５０を扉枠５の裏面側に固定したときに、垂直折曲突片２３１の上端片がガラスユニット２５０のユニット枠２５１の幅方向のほぼ中央の外周に沿って形成される係合溝２６１に係合するようになっている（図２５参照）。この構造については、ガラスユニット２５０の欄で説明する。なお、下側補強板金２１４には、扉枠本体１００に形成される賞球通過口１０３の底面を除く外周を保護する賞球通過口被覆部２２８が形成されている。
【００７２】
<ガラスユニット（透明板ユニット）>
次に、扉枠５の裏面に取り付けられる透明板ユニットとしてのガラスユニット２５０について、図３８〜図４３及び図４５〜図４７を参照して説明する。ガラスユニット２５０は、図３８及び図３９に示すように、遊技窓１０１よりも大きな開口を有する合成樹脂で成型した環状の縦長八角形状のユニット枠２５１と、該ユニット枠２５１の開口の外周前後面に２枚の透明板としてのガラス板２６２（ガラス板でなくても透明な合成樹脂板でもよい。）を接着することにより構成されるものである。まず、ユニット枠２５１について詳細に説明すると、図３８乃至図４１に示すように、ユニット枠２５１の斜め上部左右には、止め片２５４が環状の外側に向かって突設形成され、下部左右には、掛止突片２５５が環状の外側に向かって突設形成されている。この止め片２５４と掛止突片２５５とは、前述したように、ガラスユニット２５０を扉枠５の裏面に取り付けるためのものである。また、ユニット枠２５１の外周前後面部には、図４１に示すように、ガラス板２６２を嵌め込むためのガラス当接段部２５６が周設されており、このガラス当接段部２５６にガラス板２６２を接着剤（ホットメルト系接着剤）で接着したときに、ユニット枠２５１の幅寸法内に２枚のガラス板２６２が収納された状態となる。更に、ユニット枠２５１には、図４０及び図４１に示すように、内部に乾燥剤２５７を封入する乾燥剤封入空間部２５３がユニット枠２５１の内周面と連通するようにその一側下部側方に環状の外部に突出するように形成され、その乾燥剤封入空間部２５３を閉塞するために多数の通気孔が形成された開閉蓋２５８がユニット枠２５１の内周面に係止爪２５９によって着脱自在に取り付けられるようになっている。なお、乾燥剤封入空間部２５３は、環状のユニット枠２５１の上下左右部を除く斜め左右上下部のいずれかの部位に環状の外部に突出するように形成すればよい。
【００７３】
しかして、ガラスユニット２５０を組み付けるには、ユニット枠２５１の乾燥剤封入空間部２５３に乾燥剤２５７を封入し、その後、乾燥剤封入空間部２５３を閉塞するために開閉蓋２５８をユニット枠２５１の内周面側から挿入して係止爪２５９を係止させ、さらにユニット枠２５１の両面からガラス板２６２をガラス当接段部２５６に収納当接するように接着剤で接着する。これにより、２枚のガラス板２６２を一体化したガラスユニット２５０を簡単に組み付けることができる。そして、上記のように組み付けられたガラスユニット２５０を扉枠５に取り付けるには、ガラスユニット２５０の掛止突片２５５を扉枠５の係合受片１０９に上方から掛け止めた後、ガラスユニット２５０の止め片２５４に対し扉枠５の止めレバー１０８を閉止位置に回動して止め片２５４の裏面を押圧する。これによって、ガラスユニット２５０を扉枠５の裏面に簡単に取り付けることができる。逆に、ガラスユニット２５０を取り外す場合には、止めレバー１０８を開放位置に回動させた後、ガラスユニット２５０全体を上方に持ち上げるようにすることにより、掛止突片２５５を係合受片１０９から外してガラスユニット２５０を扉枠５から簡単に取り外すことができる。
【００７４】
また、本実施形態におけるガラスユニット２５０には、２つの大きな構成を有している。第１番目に、ユニット枠２５１の後端面の前記止め片２５４の上部であってスピーカ１６３の側方位置と、軸支側の中間位置に外側に向って突設される防犯用突出板部２６０をユニット枠２５１と一体的に形成した構造を採用した点であり、第２番目に、ユニット枠２５１の外周面の中央に係合溝２６１を周設した構造を採用した点である。
【００７５】
まず、第１番目の防犯用突出板部２６０について説明すると、図３８に示すように、左右のスピーカ１６３の側方位置に突設される防犯用突出板部２６０は、スピーカ１６３の円柱状のヨーク部の外周の一部と密接するように各スピーカ１６３の側方を閉塞するものである。このため、図４５（Ａ）に示すように、例えば、極めて小径の孔が多数穿設形成されたパンチングメタルで構成されるスピーカ１６３の網目状カバー１８２（図４５（Ａ）に示す網目は模式図的に表したもので、実際には、１ｍｍ前後の小孔で形成されている。）の前方からピアノ線等の針金状の不正具を差し込んで不正穴２０２を形成し、そして、図４５（Ｂ）に示すように、スピーカコーン１６４にも不正穴２０３を穿設した場合において、仮に防犯用突出板部２６０がユニット枠２５１と一体的に形成されていない構造であると、図４７（Ａ）に示すように、不正穴２０３からスピーカ１６３の裏面に不正具を導き、さらにガラスユニット２５０の裏面側である遊技盤４の表面まで不正具を到達させることが可能となってしまう。これに対し、本実施形態のように防犯用突出板部２６０がユニット枠２５１と一体的に形成されている構造であると、図４７（Ｂ）に示すように、スピーカコーン１６４に穿設された不正穴２０３の先が防犯用突出板部２６０によって閉塞されているため、不正具をガラスユニット２５０の裏面側である遊技盤４の表面まで到達させることができない。この場合、防犯用突出板部２６０によってスピーカ１６３周りの一部しか閉塞していないので、閉塞されていない上部や開放端部から不正具を侵入させる可能性もなくはないが、それらの位置は遊技盤４の表面から離れた位置であるため、遊技盤４の表面に到達させることはほとんど不可能である。したがって、本実施形態におけるガラスユニット２５０においては、不正行為が行われる可能性のある上部左右のスピーカからの不正具の侵入をも防止する構造を採用している。なお、上記の説明では一方のスピーカ１６３について説明したが、他方のスピーカ１６３についても同じことが言える。
【００７６】
また、軸支側の中間位置に外側に向って突設される防犯用突出板部２６０は、図８２に示すように、扉枠５を閉じた状態で遊技盤４の軸支側に位置する飾り枠６０１の前面を覆うようになる。これは、前述したように軸支側の補強板金１６２による防犯構造が他の辺と異なり二重構造にし難く又は最も不正行為を行い難い辺であることに鑑み、全体として手薄な防犯構造となっているが、反面その構造に着目して不正行為をなされる可能性もある。そこで、軸支側の中間位置に防犯用突出板部２６０を突設させて飾り枠６０１の前面を覆うことにより、図８２に示すように、軸支側Ｌ字状折曲突片２１７と軸支辺部５８７との隙間を無理やり侵入してきた不正具を飾り枠６０１から遊技盤４の表面に到達させないように飾り枠６０１の前面を覆うようにしたものである。これにより、軸支側の防犯機能の向上を図ることができる。なお、軸支側の中間部より下方の防犯機能を向上させる構造は、後述する防犯カバー２７０及び装着台２８０によって図られている。
【００７７】
次に、第２番目のユニット枠２５１の外周面の中央に周設した係合溝２６１について説明する。係合溝２６１は、図４１に示すように、ユニット枠２５１の外周面の中央全周（下方部の係合溝２６１については、図２５参照）に周設されている。そして、この係合溝２６１の深さは、図２５に示すように、ガラス板２６２が収納されるガラス当接段部２５６よりも内周側となるような深さとなっている。つまり、ガラスユニット２５０を扉枠５に装着したときに、ユニット枠２５１の底辺部分の係合溝２６１に下側補強板金２１４の垂直折曲突片２３１の上部が侵入するものであるが、その垂直折曲突片２３１の上端部分とガラス板２６２の下端部分とが前方から見て重複するような位置関係を有するように係合溝２６１の深さを形成している。これによって、例えば、皿ユニット３００の上端部に熱した棒状金属を押し当てて合成樹脂製のユニット枠３０１、扉枠本体１００、及びユニット枠２５１に穴をあけるという不正行為に対し、ユニット枠２５１部分において、熱に強いガラス板２６２と垂直折曲突片２３１とが重複しているので、穴をあけることができず、扉枠５の前面からの穴あけ不正行為を防止することができる。なお、この意味で、係合溝２６１は、ユニット枠２５１の下辺部に沿って形成されておれば充分であり、全周に形成する必要はない。
【００７８】
ところで、上記したガラスユニット２５０の乾燥剤封入空間部２５３は、ガラス板２６２をガラス当接段部２５６に接着したときに密封された状態となるものであるが、図４２及び図４３に示すように、乾燥剤封入空間部２５３に外部と連通する単一の空気穴２６３を形成してもよい。しかして、２枚目のガラス板２６２を接着する際に、２枚のガラス板２６２で挟まれる密閉空間の空気が開閉蓋２５８の通気孔、乾燥剤封入空間部２５３、空気穴２６３を介して外部に逃げるので、２枚目のガラス板２６２の接着作業が２枚のガラス板２６２によって挟まれる密閉空間の空気の圧力によって影響を受けることなく容易に行うことができ、最終的に、２枚のガラス板２６２を一体化したガラスユニット２５０を簡単に組み付けることができる。そして、乾燥剤封入空間部２５３と２枚のガラス板２６２によって形成される密閉空間とを完全に密封する必要がある場合には、小さな空気穴２６３を密閉するだけの簡単な作業で密封状態を完了することができる。なお、空気穴２６３を密閉することに代えて、空気穴２６３に２枚のガラスの空間部から外部に向かう一方向にのみ空気が流れる弁を設けても良い。
【００７９】
以上詳述したように、本実施形態における透明板ユニットとしてのガラスユニット２５０は、予めユニット枠２５１の乾燥剤封入空間部２５３に乾燥剤２５７を封入した後で、ガラス板２６２をユニット枠２５１の両面に接着剤で貼り付けるだけで組み付けることができるので、従来のようにユニット枠にガラス板を接着した後に、乾燥剤をユニット枠に外側から挿入して乾燥剤の挿入口の周囲を密閉する構造のものに比べて、密閉するにしても極めて小さな空気穴２６３だけを密閉すればよい（図４２及び図４３に示す構造のユニット枠２５１に限る）ため、ガラスユニット２５０の製造を簡単に行うことができ、ガラスユニット２５０の生産性が向上するというメリットがある。そして、この場合、乾燥剤封入空間部２５３が環状のユニット枠２５１の外部に突出するように一体的に形成されているので、特殊な形状のガラス板を用意する必要はなく、極めて汎用性の高いガラスユニット２５０を提供することができる。
【００８０】
また、本実施形態においては、従来のように、ユニット枠そのものに通気孔を形成する場合に比べて、開閉蓋２５８という小さな部品に通気孔を形成したので、成型が容易であると共に成型後の通気孔の大きさが歪み等で変形することがなく、粒状の乾燥剤２５７を乾燥剤封入空間部２５３に封入しても、乾燥剤２５７が２枚のガラス板２６２によって形成される密閉空間に零れ落ちることはない。また、本実施形態においては、乾燥剤封入空間部２５３は、環状のユニット枠２５１の上下左右部を除く斜め左右上下部のいずれかの部位に環状の外部に突出するように形成されることにより、一般的に円形状に形成される遊技窓１０１の斜め左右上下部の遊技窓１０１として利用されない領域に乾燥剤封入空間部２５３を配置することができ、結果的に遊技窓１０１を大きく形成することができる。
【００８１】
<防犯カバー>
次に、上記したガラスユニット２５０の下部裏面を被覆して遊技盤４への不正具の侵入を防ぐ防犯機能が付与された防犯カバー２７０について、主として図２３、図２５、及び図４４を参照して説明する。防犯カバー２７０は、図２３及び図４４（Ｂ）に示すように、透明な合成樹脂によって左右の補強板金２１２，２１３の間のガラスユニット２５０の下方部を覆うような平板状に形成され、その上辺部が遊技盤４の内滑走面６０３の下方円弧面に沿った円弧状の当接凹部２７１として形成されていると共に、その当接凹部２７１に沿って後方に向って防犯後突片２７４が突設されている。また、防犯カバー２７０を取り付けた状態で軸支側裏面には、防犯後端部突片２７５が斜め状に突設形成されている。一方、防犯カバー２７０の前面には、図４４（Ａ）に示すように、防犯カバー２７０を取り付けた状態で前記ガラスユニット２５０のユニット枠２５１の下方形状に沿った防犯前突片２７２が突設されると共に、下部両端にＵ字状に形成される装着弾性片２７３が前方に向けて突設形成されている。
【００８２】
上記のように構成される防犯カバー２７０は、装着弾性片２７３を扉枠本体１００に形成される装着開口部１１０に装着することにより、扉枠５の裏面側に着脱自在に取り付けられる。そして、取り付けた状態では、図２５に示すように、防犯前突片２７２がガラスユニット２５０のユニット枠２５１の後方下片面と対面するようになっている。また、防犯前突片２７２の前端は、垂直折曲突片２３１と当接している。また、防犯後突片２７４及び防犯後端部突片２７５は、後方へ突出した状態となっているが、扉枠５を閉じたときに、防犯後突片２７４の軸支側の半分は、図８４に示すように、遊技盤４に固定される内滑走面６０３の下側面に侵入して対面した状態となるが、防犯後突片２７４の開放側の半分は、図８１及び図８５に示すように、飾り枠６０１の内滑走面６０３に形成されたレール防犯溝６０７に挿入された状態となり、また、防犯後端部突片２７５は、図８４に示すように、本体枠３の軸支側に形成される前記防犯突起６０８の上面に沿って重合状の位置となる。
【００８３】
しかして、防犯カバー２７０を取り付けて扉枠５を閉じた状態においては、前述した扉枠突片１１２と係合溝５８４，５８５とによる防犯構造、及び後述する防犯突片２８５と防犯空間５８６とによる防犯構造に加えて、ガラスユニット２５０の下方から不正具を侵入させようとしても、防犯前突片２７２とユニット枠２５１との重合により、防犯カバー２７０の前面下方方向からの不正具の侵入が防止され、防犯後突片２７４と飾り枠６０１を構成する内滑走面６０３との重合により、防犯カバー２７０の後面下方方向からの不正具の侵入が防止される。特に、扉枠５の軸支側の斜め下方からの不正具の侵入に対しては、防犯突起６０８と防犯後端部突片２７５との重合構造によって外滑走面６０２への不正具の侵入が阻止され、さらに内滑走面６０３と防犯後突片２７４との重合構造によって遊技盤４の遊技領域６０５への不正具の侵入を阻止することができる。同様に、扉枠５の開放側の斜め下方からの不正具の侵入に対しては、前述した開放側補強板金２１３の二重の折曲突片２２３，２２５による防犯構造に加えて、レール防犯溝６０７と防犯後突片２７４との凹凸係合によりさらに遊技盤４の遊技領域６０５への不正具の侵入を阻止することができる。なお、防犯カバー２７０の裏面側の防犯後突片２７４と防犯後端部突片２７５との間の垂直面は、図８４に示すように、扉枠５を閉じた状態で外滑走面６０２と内滑走面６０３とで形成される打球の誘導通路の前面下方部分を覆うものであるため、当該誘導通路部分を飛送若しくは逆送する打球のガラス板２６２への衝突を防止する機能も有している。
【００８４】
<装着台>
装着台２８０は、図２３、図３１、及び図３２に示すように、扉枠本体１００の板部裏面の上半分を覆うように取り付けられるものであり、防犯カバー２７０と同様に透明な合成樹脂によって前方が開放した横長直方体状に形成されるものである。この装着台２８０は、発射レール５１５から発射された球をスムーズに遊技盤４に導くために、扉枠５を閉めたときに装着台２８０の後面と本体枠３の板部５１１とによって発射レール５１５を挟持するように形成されるものであり、このため、装着台２８０の後面に球飛送誘導面２８６が形成されている。ところで、本実施形態に係る装着台２８０には、その軸支側上部に下側補強板金２１４に形成される賞球通過口被覆部２２８の後方突出部を貫通させる賞球通過口用開口２８１が形成され、その開放側下部に球送りユニット２８７を取り付ける球送りユニット取付凹部２８２が形成されている。この球送りユニット取付凹部２８２から斜め方向の領域が前記球飛送誘導面２８６となっている。また、球送りユニット取付凹部２８２に取り付けられる球送りユニット２８７は、後述する打球発射装置６５０の打球槌６８７の往復動差に対応して揺動する球送り部材が設けられ、この球送り部材の揺動動作によって皿ユニット３００の誘導通路部３８２（図６４参照）の流下端にある球を発射レール５１５の発射位置に１個ずつ供給するものである。また、装着台２８０の中程下部に後述する側面開口蓋４０６（図５６参照）を取り外す際に指を入れることができる蓋用開口２８３が形成されている。更に、装着台２８０の上辺の一部に垂直に立設される立壁２８４が形成されている。この立壁２８４は、図２３に示すように、前記防犯カバー２７０を取り付けたときに、該防犯カバー２７０の前面と当接して防犯カバー２７０の下部が前方に移動しないように規制するためのものである。
【００８５】
更に、本実施形態に係る装着台２８０の特徴は、上述した球飛送誘導面２８６の下方から前記賞球通過口用開口２８１にかけて斜め状に防犯突起２８５が後方に向って突設される構造である。この防犯突起２８５は、前述したように、本体枠３の板部５１１に形成される防犯空間５８６との間で、扉枠５と本体枠３との下側辺部における内側の突条及び係合部を構成するものである。
【００８６】
<枠装飾中継基板>
上記した装着台２８０の下部の軸支側には、図２３及び図３１に示すように、枠装飾中継基板２９０が取り付けられ、その枠装飾中継基板２９０の後面を覆う中継基板カバー２９１が取り付けられている。この枠装飾中継基板２９０は、扉枠５に設けられる電飾部品や電気部品（冷陰極管１３１，１３７，１３８、ＬＥＤ基板１４２，１４４，１４６，１７０，１８９，３０９、スピーカ１６３，３５１、操作ハンドル部４６１内に設けられるスイッチ、貸球ユニット３２７、操作ボタンユニット３２９等）からの配線が集約して接続され、その枠装飾中継基板２９０からの配線が本体枠３の裏面に取り付けられる基板ユニット１１００に組み込まれる扉中継基板１１０２等を介しての賞球払出制御基板や遊技盤４に取り付けられる遊技制御基板ボックス６２４の遊技制御基板に接続されている。
【００８７】
<皿ユニット>
次に、主として図５１乃至図７６を参照して皿ユニット３００の構成について説明する。図５５及び図５６に示すように、皿ユニット３００は、大きく分けて外観を構成するユニット枠３０１と、該ユニット枠３０１の内部に取り付けられる下部スピーカユニット３４０と、該下部スピーカユニット３４０の上部に配置され且つ前記ユニット枠３０１の上面に臨むように設けられる皿体３８０と、該皿体３８０に設けられる第２球抜弁３９８の球抜き動作をするための第２球抜きリンクユニット４２０（図６７参照）と、ユニット枠３０１の後面を閉塞する皿蓋板４５０と、から構成されている。そこで、まずユニット枠３０１について説明する。
【００８８】
図５１、図５２、図５５、及び図５６に示すように、ユニット枠３０１は、上面が手前側に向って緩やかに傾斜する平面視半楕円形状の上面カバー部３０２と、該上面カバー部３０２の手前側から連続して前面と底面とを構成する前面カバー部３０４と、が合成樹脂によって一体的に成形されている。上面カバー部３０２の奥側には、扉枠本体１００の前面側に当接する垂直カバー部３０３も一体的に形成されている。この垂直カバー部３０３には、その中央に貸球ボタンユニット用開口３２６が開設され、この貸球ボタンユニット用開口３２６に貸球ユニット３２７が裏面側から装着し得るようになっている。貸球ユニット３２７は、パチンコ遊技機１に隣接して球貸し機が設けられている場合に、貸出指令を導出するスイッチや貸出残表示器等が設けられるものである。
【００８９】
また、上面カバー部３０２の垂直カバー部３０３の立ち上がり部から前方に皿体上面開口部３０６が開設され、その前方中央に操作ボタンユニット用凹空間部３０７が形成され、該操作ボタンユニット用凹空間部３０７から左右の上面カバー部３０２の前端部に沿ってＬＥＤ装飾空間部３０８が穿設され、さらに皿体上面開口部３０６の側方に第１球抜ボタン３１６を取り付けるための第１球抜ボタン用開口３１８が設けられている。上記した皿体上面開口部３０６には、後述する皿体３８０の貯留部３８１及びこれに連通する誘導通路部３８２の上面開口と同一形状に形成され、ユニット枠３０１に皿体３８０を取り付けたときに、皿体上面開口部３０６に皿体３８０の貯留部３８１及び誘導通路部３８２が臨むようになっている。なお、皿体３８０については後に詳述する。
【００９０】
上記した操作ボタンユニット用凹空間部３０７には、空間部形成部材３１１が取り付けられ、該空間部形成部材３１１に操作ボタンユニット３２９が装着されるようになっている。空間部形成部材３１１には、操作ボタンユニット３２９の係合突片３３２（図７１参照）を係合するための係合穴３１５と、操作ボタンユニット３２９の固定ネジ穴３３１（図７１参照）を止着するためのネジ止め部３１４と、さらに操作ボタンユニット３２９を空間部形成部材３１１内に差し込んだときに操作ボタンユニット３２９の底面に設けられるコネクタ３３３（図７１参照）と接続される配線のコネクタ３１２を収納する配線収納開口３１３が形成されている。しかして、操作ボタンユニット３２９を空間部形成部材３１１に取り付けるためには、コネクタ３１２が設けられる配線を引き出して操作ボタンユニット３２９のコネクタ３３３と接続した後、操作ボタンユニット３２９を空間部内に挿入しつつ係合突片３３２と係合穴３１５とを係合させ且つ相互のコネクタ３３３，３１２を配線収納開口３１３に収納した後、図５４に示すように、前面カバー部３０４の底面部に形成される締具挿入穴３２８からネジ３３４をドライバー工具３３５によって差し込み当該ネジ３３４をネジ止め部３１４及び固定ネジ穴３３１に螺着することにより取り外しできないように固定する。また、操作ボタンユニット３２９を取り外す場合には、上記と逆の順序によって行うことができる。このように操作ボタンユニット３２９を固定するためのネジ止め部３１４を表面ではなく内部に設けたので、簡単に取り外すことができず、結果的に操作ボタンユニット３２９を取り外して操作ボタンユニット用凹空間部３０７を利用した不正な行為を防止することができる。なお、操作ボタンユニット３２９は、複数（図示の場合は３個）の操作ボタン３３０を有して構成されているが、この複数の操作ボタン３３０は、遊技盤４に設けられる液晶表示器等で行われる遊技内容に遊技者が参加する際に操作されるものである。
【００９１】
また、ＬＥＤ装飾空間部３０８には、前述したようにレンズカバー３１０がその表面を覆っている（図３７参照）が、そのＬＥＤ装飾空間部３０８の底面部を構成するようにレンズカバー３１０の下方にＬＥＤ基板３０９が設けられている。レンズカバー３１０とＬＥＤ基板３０９との距離は、前述した冷陰極管１３１，１３７，１３８とそれに対応するレンズカバー１５０との間の距離よりも長く設定されており、ＬＥＤ基板３０９上に所定間隔離れて直線状に点在する（ＬＥＤ基板３０９上に所定間隔を置いて直線状に実装された）ＬＥＤが点灯した場合であっても、レンズカバー３１０まで充分な距離があるため、レンズカバー３１０における光装飾は、レンズカバー３１０が連続してほぼ均一に照明されているように視認できるものである。なお、レンズカバー３１０と前記空間部形成部材３１１とは、ユニット枠３０１を構成する合成樹脂の色彩（例えば、白色）とは異なる色彩（例えば、赤色）で形成されており、皿ユニット３００の上面カバー部３０２の前端縁に沿って地色とは異なる色彩のラインが設けられているものとして視認できるようになっている。
【００９２】
更に、第１球抜ボタン３１６は、図６２乃至図６５（ユニット枠３０１の表示を省略している。）に示すように、上面カバー部３０２の第１球抜ボタン用開口３１８に装着された摺動支持部材３１７を介して上面カバー部３０２に取り付けられるものであり、その摺動支持部材３１７内を上下方向に摺動するようになっている。そして、図６３に示すように、第１球抜ボタン３１６が遊技者によって押圧操作されると、該第１球抜ボタン３１６の下方に位置する回動部材３８６が回動軸３８７を中心にして時計回転方向に回動し、その回動部材３８６の下端に連携されるスライド弁３８５が移動する。スライド弁３８５は、常にはバネ３８９により付勢されて皿体３８０の誘導通路部３８２の下流端部を閉塞した位置にあるが、上記のように第１球抜ボタン３１６の操作により移動したときには、誘導通路部３８２から退避し、誘導通路部３８２と該誘導通路部３８２の下流側に連続する第１球抜通路部３８４とを連通させる。これにより皿体３８０の貯留部３８１及び誘導通路部３８２に貯留されていた球を皿体３８０から球抜きすることができる。この構造については、皿体３８０の説明の際にさらに詳述する。
【００９３】
次に、ユニット枠３０１の前面カバー部３０４の構成について説明すると、図５１、図５５及び図５６に示すように、前面カバー部３０４は、上記したように上面カバー部３０２の手前側から連続して前面と底面とを構成するように構成されているため、前面カバー部３０４の前面部分は、中央部分が最も前方に突出し左右に離れるほど奥側に傾斜している。しかして、前面カバー部３０４の前面部分の中央突出部の左右には、スピーカ用開口３１９が開設され、そのスピーカ用開口３１９が網目状のスピーカカバー３２０（パンチングメタルで構成されている。）によって被覆されている。そして、スピーカカバー３２０の後方には、後述する下部スピーカユニット３４０に収納固定される２つのスピーカ３５１が位置することになる。なお、スピーカ用開口３１９は、前面カバー部３０４の前面中央の突出部から左右奥側に向って傾斜する傾斜状面に形成されるものであるから、正面から見た場合に、パチンコ遊技機１の中心縦ラインから外側に向って開放していることになる。そして、前面カバー部３０４の前面中央の突出部からスピーカ用開口３１９の上部及び下部の開口縁までを縁取るように前面装飾板３０５が取り付けられている。
【００９４】
また、前面カバー部３０４の開放側端部下方にハンドル装置４６０を構成する操作ハンドル部４６１を取り付けるためのハンドル取付穴３２１が開設されている。操作ハンドル部４６１は、周知のように、打球の弾発力を調節するためのものであり、このため遊技者が操作し得る回動操作部材４６４が設けられ、その回動操作部材４６４を回動操作することにより、回転軸４６５の後端に固定されるカム４６６が回動する。そして、カム４６６の回動運動をジョイントユニット４８０のスライド体４８３のスライド移動運動に変換することにより打球発射装置６５０の弾発力の強弱を調節することができるようになっている。この構成については、後に詳述する。また、ハンドル取付穴３２１の上部に後述する錠装置１０００のシリンダー錠１０１０が臨む錠穴３３６が形成されている。
【００９５】
更に、図５１に示すように、前面カバー部３０４の中央下部には、第２球抜リンクユニット４２０の一部を構成する第２球抜ボタン４２１を臨ませるための第２球抜ボタン用開口３２２が開設されている。この第２球抜ボタン用開口３２２には、図５３に示すようにその内部に周壁３２３が形成されるが、この周壁３２３が単に筒状となっているだけではなく後端部が内側に折曲された状態で貫通しており、この折曲周壁３２３が第２球抜ボタン４２１部分からの不正具の侵入を防止する構造となっている。なお、折曲周壁３２３の上部であって前面カバー部３０４の裏面には、第２球抜リンクユニット４２０の一部を構成する押圧揺動部材４２３の揺動軸４２５（図６８参照）を軸支する軸受支持片３２４（図７２参照）が突設されている。また、前面カバー部３０４の底面中央には、前記第１球抜ボタン３１６及び第２球抜ボタン４２１を操作したときに球抜きされた球を皿ユニット３００の外部に排出するための球排出口３２５が形成され、その球排出口３２５の斜め前方に前記操作ボタンユニット３２９を取り付けるための締具挿入穴３２８が形成されている。なお、本実施形態において、第１球抜ボタン３１６と第２球抜ボタン４２１の２つの球抜ボタン３１６，４２１を設けたのは、第１球抜ボタン３１６の操作によって、皿体３８０の貯留部３８１及び誘導通路部３８２に貯留されているすべての球を球抜きすることができるものの、その球抜動作は、誘導通路部３８２で一列状に整列された球を球抜するために多少時間がかかるのに対し、第２球抜ボタン４２１の操作によって、皿体３８０の貯留部３８１から上流側の球を径の大きな第２球抜開口３９２から素早く球抜することができるため、球抜時間を短くすることができる。このため、遊技者が球抜きにかける時間の長短を選択することができるものである。また、遊技中に大当りとなった場合に皿ユニット３００に大量の球が払出されることになり、これを放置して遊技を継続すると皿ユニット３００の上流側に設けられる満タンスイッチ９１６（図１３１参照）が機能して払出動作が停止されたり弾発動作が停止されて大当り中であるにもかかわらず遊技が継続できなくなるおそれがあり、このような場合に、第２球抜ボタン４２１の操作を行うことにより、皿ユニット３００に貯留されつつある球を球抜すると同時に発射位置への球の供給を維持して大当り中の遊技を継続することができるようになっている。
【００９６】
以上説明したユニット枠３０１の内部に取り付けられる下部スピーカユニット３４０について主として図５７乃至図６１を参照して説明する。図５９及び図６０に示すように、下部スピーカユニット３４０は、スピーカボックス本体３４１と、該スピーカボックス本体３４１の内部に固定される左右のスピーカ３５１と、該スピーカ３５１を取り付けるためのスピーカ取付部材３５２と、それぞれのスピーカ３５１の裏面側でスピーカボックス本体３４１の裏面を閉塞するスピーカ蓋板３５４，３５６と、から構成されている。
【００９７】
スピーカボックス本体３４１は、図５７（Ｂ），（Ｃ）に示すように、左右２つのスピーカ３５１を取り付けるためのエンクロージャ空間３４２（図６０参照）が離れて合成樹脂によって形成され、そのエンクロージャ空間３４２の間には、所定幅の球抜通路前樋３４７が一体的に形成されている。球抜通路前樋３４７の途中には、誘導樋３４８が後方に向って突設され、後述する皿蓋体４５０に形成される球抜通路後樋４５３との間で前記球排出口３２５に連通する球抜通路を構成している。なお、球抜通路前樋３４７の上部及び側方には、皿蓋体４５０を取り付けるための取付ボス３４９が後方に向って突設されている。また、エンクロージャ空間３４２の前方部分は、平面視が円弧状で且つ正面視で前方に突出した三角形状の突出空間となっており、その突出空間にスピーカ開口３４３が開設されている。このスピーカ開口３４３には、スピーカ３５１のスピーカコーンが臨むようになっている。また、三角形状の突出空間には、スピーカ開口３４３の外側にスピーカダクト３４４が形成されている。このスピーカダクト３４４は、図６０に示すように、後方に向って筒状に形成され、その後端口が図６１（Ｂ）に示すスピーカ蓋体３５４，３５６の前面側に一体的に形成されるスピーカダクト３５８の接続口３６０に接続されるようになっている。
【００９８】
また、エンクロージャ空間３４２の内部には、スピーカ開口３４３の周囲に複数（図示の場合は３個）の取付ボス３４５が適宜間隔をおいて取り付けられ、その取付ボス３４５にスピーカ３５１が環状のスピーカ取付部材３５２によって取り付けられている。具体的には、スピーカ３５１の円筒状のヨーク部を貫通してコーン支持部に嵌合するスピーカ取付部材３５２の環状部に取付片部３５３が外側に突設され、その取付片部３５３を取付ボス３４５に一致させて図示しないビスで止着することによりスピーカ３５１を取り付けることができる。この場合、スピーカ３５１のスピーカコーンの向きは、斜め状に形成されるスピーカ開口３４３と平行な外側に向いた状態に取り付けられている。なお、スピーカボックス本体３４１の両端上下には、下部スピーカユニット３４０をユニット枠３０１に取り付けるための取付片３５０が外側に向って突設されている。
【００９９】
上記のしたようにスピーカ３５１を取り付けた状態でスピーカボックス本体３４１の裏面には、スピーカ蓋板３５４，３５６が取り付けられる。即ち、スピーカ蓋板３５４，３５６は、平板状に形成され、それぞれの前面に角筒状のスピーカダクト３５８が形成されている。このスピーカダクト３５８は、図５９に示すように、スピーカ蓋体３５４，３５６の中程から底辺に沿って外側に向って横方向に形成され、その端部から上方に向って直角状に曲折されており、その上端前面に円形状の接続口３６０が穿設形成されている。また、このスピーカダクト３５８の下辺の横向きの部分の底面及び内側面が開放された状態となっているが、スピーカ蓋板３５４，３５６をスピーカボックス本体３４１に取り付けた状態で横向き部分の底面がエンクロージャ空間３４２を構成するスピーカボックス本体３４１の内周面によって閉塞されるため、下辺の横向き部分の内側面がダクト入口３５９となる。したがって、スピーカ蓋板３５４，３５６をスピーカボックス本体３４１に取り付けた状態では、図６１（Ｂ）に示すように（この図では一方のスピーカダクト３４４，３５８について説明しているが、他方のスピーカダクト３４４，３５８についても同じである。）、ダクト入口３５９がエンクロージャ空間３４２と連通し、そのダクト入口３５９が筒状のスピーカダクト３４４，３５８を介して外部と連通した状態となる。このため本実施形態における下部スピーカユニット３４０は、スピーカダクト３４４，３５８によりバスレフ方式のスピーカシステムとすることができ、優れた低音域の音を明瞭に外部に向けて発生することができる。なお、低音域の音は、高音域の音に比べて指向性が低いため、本実施形態のようにスピーカ３５１のスピーカコーンが外側を向いていても音の聞き取り度合いに悪影響を及ぼすことは少ない。
【０１００】
また、本実施形態におけるスピーカ蓋板３５４，３５６には、それぞれの上部に凹部３５５，３５７が形成されている。正面から向って左側のスピーカ蓋板３５４に形成される凹部３５５は、下部スピーカユニット３４０の上部に次に説明する皿体３８０の第２球抜通路部３９６が位置するため、この第２球抜通路部３９６との接触を避けるために形成される皿体逃げ凹部３５５であり、正面から向って右側のスピーカ蓋体３５６に形成される凹部３５７は、皿体３８０の影響を僅かに受けるものの、むしろ左右のエンクロージャ空間３４２の空間容積を一致させるために形成される調整凹部３５７となっている。つまり、左側のエンクロージャ空間３４２が皿体逃げ凹部３５５の影響により小さくなっているが、そのエンクロージャ空間３４２の空間容積と右側のエンクロージャ空間３４２の空間容積とを一致させために調整凹部３５７が形成されるものである。このように、左右のエンクロージャ空間３４２の空間容積を一致させることにより、左右のスピーカ３５１から同質の音を発生することができる。なお、スピーカ蓋板３５４，３５６は、隅角部に形成される取付穴３６１をスピーカボックス本体３４１に形成される取付部３４６（図６０参照）に一致させて図示しないビスを螺着することによりスピーカボックス本体３４１に固定することができる。
【０１０１】
また、上記のように組付け構成される下部スピーカユニット３４０をユニット枠３０１に取り付けるには、スピーカボックス本体３４１の四隅に突設される取付片３５０をユニット枠３０１の内部裏面に形成される取付ボス（図示しない）に取り付けることによりユニット枠３０１に組み付けられるが、この組み付けた状態においては、図２４に示すように、スピーカ３５１のスピーカコーンが外側に向いているのに対し、エンクロージャ空間３４２を構成する後壁を構成するスピーカ蓋板３５４，３５６が正面を向いている。つまり、スピーカ３５１のスピーカコーンに対してエンクロージャ空間３４２を構成する後壁が平行状ではなく斜めに対向する位置となっている。このように配置することにより、スピーカ３５１のスピーカコーンの後方に発生する音波をエンクロージャ空間３４２を構成する壁面で乱反射させ易くして、スピーカも正面を向けられ且つスピーカのスピーカコーンと後壁とが平行状に配置された場合に発生しやすい定在波の発生を抑制し、特定の周波数の音が強調されたり弱められたりしてしまうことを防止している。また、スピーカ３５１をエンクロージャ空間３４２内に斜めに配置することにより、限られたユニット枠３０１の内部空間内に比較的寸法の大きなスピーカ３５１（一般的にスピーカユニットと言われている。）を配置することができる。更に、本実施形態における皿ユニット３００は、扉枠５に一つだけ設けられているため、従来の上皿と下皿とに分けて設けられたパチンコ遊技機と比較して皿ユニット３００の外殻を構成するユニット枠３０１の内部空間を極めて大きく形成することができ、その大きなユニット枠３０１の内部空間に、左右一対のスピーカ３５１を別々に内蔵する左右のエンクロージャ空間３４２が形成された下部スピーカユニット３４０が内蔵され、しかもそのエンクロージャ空間３４２を形成する際に、皿ユニット３００の内部空間において干渉し得る第２球抜通路部３９６を避けるように皿体逃げ凹部３５５を形成したので、エンクロージャ空間３４２が皿ユニット３００の内部空間で最大となるように下部スピーカユニット３４０を構成することができる。そして、スピーカ３５１が収納固定され且つ内部にスピーカダクトが形成されるエンクロージャ空間３４２の容積を大きく形成することができるため、低音域の音を効果的に発生することができる。
【０１０２】
次に、主として図６２乃至図６５を参照して皿体３８０について説明する。皿体３８０は、前述したようにユニット枠３０１の皿体上面開口部３０６に皿体３８０の上面が臨み、且つ上記した下部スピーカユニット３４０の上部に位置するように設けられるものである。そして、皿体３８０は、図６２に示すように、その上面一側に後述する賞球ユニット８００から払いだされた球を貯留する半楕円形状の貯留部３８１が形成され、該貯留部３８１に連続して貯留された球を一列状に整列する誘導通路部３８２を有するように合成樹脂で一体的に成形される。誘導通路部３８２の下流端は、屈曲通路部３８３で屈曲されて誘導通路部３８２と逆方向に形成される第１球抜通路部３８４となっている。第１球抜通路部３８４は、皿体３８０のほぼ中程下方にその出口が形成され、その出口が後述する皿蓋体４５０の球抜通路後樋４５３の上誘導樋４５４のやや上部に臨んでいる。また、屈曲通路部３８３には、前述した第１球抜ボタン３１６によって作動されるスライド弁３８５が設けられている。このスライド弁３８５は、前述したように皿体３８０の他端側に回動軸３８７によって回動自在に軸支される回動部材３８６に連結されている。回動部材３８６には、回動部材３８６に形成されるバネ係止部３８８と皿体３８０に形成されるバネ係止部３９０との間に差し渡されるバネ３８９によって常にスライド弁３８５が屈曲通路部３８３を閉塞する方向に付勢されている。
【０１０３】
また、上記した貯留部３８１から誘導通路部３８２の境目の底面が段差部３９１となっており、その段差部３９１の下流側に球の直径の約３倍の径寸法の半円形状の第２球抜開口３９２が形成され、その第２球抜開口３９２に第２球抜弁３９８が貯留部３８１の裏面から段差部３９１を利用して出没自在に設けられている。この第２球抜弁３９８は、図６６及び図６８に示すように、皿体３８０の裏面側に取り付けられる第２球抜ユニット３９３に一体的に組み込まれるものである。ここで第２球抜ユニット３９３について説明すると、第２球抜ユニット３９３は、上面が開放した断面コ字状の通路主体３９４と該通路主体３９４の上面を被覆する通路カバー体３９５とによって形成される断面ロ字状の第２球抜通路部３９６が皿体３８０の裏面に固定されていることにより構成されている。また、通路カバー体３９５の上流側であって該通路カバー体３９５と皿体３８０との間には、半円形状の第２球抜弁３９８の後端に一体的に連結される連結片３９９が通路カバー体３９５の上面に軸支される支軸４００によって揺動自在に設けられている。連結片３９９の第２球抜弁寄りに形成されるバネ係止部４０２と通路カバー体３９５に形成されるバネ係止部４０４との間にバネ４０３が差し渡され、常に第２球抜弁３９８が第２球抜開口３９２を閉塞する方向に付勢している。なお、通路カバー体３９５には、皿体３８０の第２球抜開口３９２に対応する下方位置に半円形状の第２球抜連通口３９７（図７０参照）が形成されている。したがって、第２球抜弁３９８は、皿体３８０の第２球抜開口３９２と第２球抜連通口３９７との間を閉塞したり開放したりするものである。なお、連結片３９９の他端には係合ピン４０１が下向きに突設されている。そして、この係合ピン４０１が第２球抜ボタン４２１の球抜き動作を伝達する第２球抜リンクユニット４２０の係合凹部４４３に係合するようになっている。
【０１０４】
ところで、第２球抜ユニット３９３の通路主体３９４の奥側側壁に第２球抜通路部３９６と連通する長方形状の側壁開口４０５が開設され、該側壁開口４０５は、後述するように皿蓋体４５０の開口蓋取付窓４５２に着脱自在に取り付けられる視認窓４０７が形成された側面開口蓋４０６によって閉塞されるようになっている。なお、皿体３８０の一端部と他端部であって貯留部３８１の下方には、皿ユニット３００内に設けられる配線を整理するための配線処理用爪４１０が形成されている。また、図６２〜図６５及び図６８に示す側面開口蓋４０６（二点鎖線で示す）は、該側面開口蓋４０６が皿蓋体４５０の開口蓋取付窓４５２に取り付けられた状態で側壁開口４０５を閉塞している状態を想像線で示すものである。
【０１０５】
上記のように構成される皿体３８０は、該皿体３８０に形成される取付部（図示しない）をユニット枠３０１の空間内部に突設される取付ボス（図示しない）に止着することにより、ユニット枠３０１に取り付けることができる。そして、皿体３８０をユニット枠３０１に取り付けた状態において、第１球抜通路部３８４と下部スピーカユニット３４０の調整凹部３５７との関係は、図６５に示すように、第１球抜通路部３８４の下面の一部が調整凹部３５７とほぼ接した状態となっているが、第２球抜通路部３９６と皿体逃げ凹部３５５との関係は、図６５及び図５２に示すように、接することなく空間が形成されている。これは、第２球抜通路部３９６による球抜き動作が大当り等の遊技の継続中であって下部スピーカユニット３４０による効果音が出力されている場合が多く、効果音が出力されている最中に第２球抜通路部３９６を転動する球の振動によって効果音が乱れたりしないようにする一方、第１球抜通路部３８４による球抜き動作が遊技終了時に行われて効果音が出力されていない場合が多いので、球抜き時による効果音への影響が少ないからという理由によるものである。もちろん、第１球抜通路部３８４による球抜き動作により球抜きされる球数が少ない場合が多いということも理由の一つである。なお、第１球抜通路部３８４と下部スピーカユニット３４０の調整凹部３５７とが接しないように構成しても良い。
【０１０６】
次に、第２球抜弁３９８に第２球抜ボタン４２１の球抜き動作を伝達する第２球抜リンクユニット４２０について図６６乃至図７０、及び図７２を参照して説明する。第２球抜リンクユニット４２０は、第２球抜ボタン４２１と、該第２球抜ボタン４２１が係止されて揺動する押圧揺動部材４２３と、該押圧揺動部材４２３の押圧動作を前記第２球抜弁３９８の球抜き揺動動作として伝達するためにリンク部材取付板４２８に取り付けられる第１リンク４３５及び第２リンク４４０と、から構成されている。以下、第２球抜リンクユニット４２０を構成する各部材について順次説明する。
【０１０７】
第２球抜ボタン４２１は、前述したように皿ユニット３００のユニット枠３０１の前面カバー部３０４の中央下部に開設される第２球抜ボタン用開口３２２に臨ませて取り付けられるものであるが、図７２（Ａ）に示すように、第２球抜ボタン４２１は、第２球抜ボタン用開口３２２の前方から差し込むようになっている。第２球抜ボタン４２１には、図６８に示すように当該第２球抜ボタン４２１の内部に後方に向って係止爪４２２が突設されており、この係止爪４２２がユニット枠３０１の裏面中央に形成される軸受支持片３２４（図７２（Ａ）参照）に軸支される押圧揺動部材４２３の下部筒部４２４に係合する。第２球抜ボタン４２１と押圧揺動部材４２３とが係合連結した状態は、図５３に示すように、第２球抜ボタン４２１の外周が第２球抜ボタン用開口３２２に周接し、第２球抜ボタン用開口３２２の折曲周壁３２３によって形成される開口に押圧揺動部材４２３の下部筒部４２４が周接するようになっている。このため、第２球抜ボタン４２１と第２球抜ボタン用開口３２２との隙間からピアノ線等の不正具を侵入させても、不正具の先端が折曲周壁３２３に当接してそれ以上内部に進めようとすれば、折曲周壁３２３によって形成される開口と押圧揺動部材４２３の下部筒部４２４との間に不正具を通す技術が必要となり、極めて困難である。仮に折曲周壁３２３によって形成される開口と押圧揺動部材４２３の下部筒部４２４との間を上手く通したとしても、図５３に示すように、その通した先が後に説明するリンク部材取付板４２８によって覆われているので、第２球抜ボタン４２１と第２球抜ボタン用開口３２２との隙間からピアノ線等の不正具を侵入させて皿ユニット３００の内部に到達させることは困難である。
【０１０８】
ところで、ユニット枠３０１の裏面中央に形成される軸受支持片３２４に軸支される押圧揺動部材４２３は、図６８に示すように、上端に水平状の揺動軸４２５が形成され、その揺動軸４２５から下方に板状部が垂下し、その板状部の下方に楕円形状の下部筒部４２４が形成されている。また、下部筒部４２４には、後方に向って押圧当接突片４２７が突設されている。
【０１０９】
上記したユニット枠３０１の裏面中央に形成される軸受支持片３２４（図７２（Ａ）参照）に軸支された押圧揺動部材４２３の後面を覆うように、第１リンク４３５及び第２リンク４４０を予め組み込んだリンク部材取付板４２８が取り付けられる。リンク部材取付板４２８は、図６９（Ａ）に示すように、方形状の合成樹脂製平板の裏面一側の上端から下端にかけて一対の間隔保持突片４２９が突設され、その間隔保持突片４２９の側方に垂直状に配置される第１リンク４３５の上下端を保持するための第１リンク上保持部４３０及び第１リンク下保持部４３１が一体的に突設されている。また、リンク部材取付板４２８には、前記第１リンク上保持部４３０の側方に水平状に配置される第２リンク４４０を軸支するための第２リンク軸支部４３２が突設されている。第１リンク上保持部４３０は、図６８に示すように、第１リンク４３５の上端部の左右及び上端を挟持するように突設され、第１リンク下保持部４３１は、第１リンク４３５の下端部の左右及び下端を挟持するように突設されている。第２リンク軸支部４３２は、第２リンク４４０の中程より少しずれた位置に固定される軸ピン４４１の上端と下端とを挟持するように突設されている。なお、第２リンク軸支部４３２を横切るように逃げ用凹部４３４が凹設され、第２リンク４４０の揺動時における動作を邪魔しないようになっている。また、第１リンク下保持部４３１と間隔保持突片４２９との間には、第１リンク４３５の下端に固定される当接突片４３６に突設される当接突起４３７が貫通移動し得る当接用開口４３３が開設されている。
【０１１０】
上記したリンク部材取付板４２８の第１リンク上保持部４３０及び第１リンク下保持部４３１に保持される第１リンク４３５は、図６８及び図６９（Ｂ）に示すように、円柱棒状の下端にその一側に向って延設される当接突片４３６が嵌着され、上端にその他側に向って延設される係合突片４３８が嵌着されている。当接突片４３６には、図７０に示す当接突起４３７が前方に向って突設され、係合突片４３８には、係合ピン４３９が上方に向って突設されている。当接突起４３７は、前記リンク部材取付板４２８に開設された当接用開口４３３内に進退しえるものであり、前記押圧揺動部材４２３の押圧当接突片４２７と当接するものである。また、係合ピン４３９は、第２リンク４４０の一端部に形成される係合長穴４４２に係合するものである。
【０１１１】
一方、リンク部材取付板４２８の第２リンク軸支部４３２に軸支される第２リンク４４０は、図６８及び図６９（Ｂ）に示すように、水平棒状の一端部に第１リンク４３５の係合ピン４３９と係合する係合長穴４４２が形成され、他端部に後方が開放した箱状の係合凹部４４３が形成されている。この係合凹部４４３には、第２球抜弁３９８の連結片３９９の末端に形成された前記係合ピン４０１を受け入れて係合するようになっている。
【０１１２】
リンク部材取付板４２８の後面側の構成は上記した通りであるが、該リンク部材取付板４２８を皿ユニット３００の裏面側に取り付けたときには、リンク部材取付板４２８の前方に前記押圧揺動部材４２３が自由に揺動できる揺動空間が形成されている。
【０１１３】
しかして、上記した第２球抜ユニット３９３を有する皿体３８０及び第２球抜リンクユニット４２０が皿ユニット３００のユニット枠３０１に取り付けられた状態において、通常の状態では、図７０（Ａ）に示すように、第２球抜弁３９８が第２球抜開口３９２と第２球抜連通口３９７との間に挿入されてその連通状態を閉塞するようにバネ４０３によって付勢されている。このとき連結片３９９の末端に突設される係合ピン４０１は時計回転方向に付勢された位置となっているので、この係合ピン４０１と係合する係合凹部４４３を有する第２リンク４４０は、軸ピン４４１を中心として反時計回転方向に付勢された状態で停止している。すると、第２リンク４４０の他端に形成される係合長穴４４２と第１リンク４３５の係合ピン４３９との係合により、第１リンク４３５が時計回転方向に付勢されるので、第１リンク４３５の当接突片４３６の前方に突設される当接突起４３７がリンク部材取付板４２８に開設された当接用開口４３３から前方に進入し押圧揺動部材４２３の押圧当接突片４２７と当接して押圧揺動部材４２３の下端の下部筒部４２４が前方に向って付勢された状態となっている。このとき、当然のことながら、押圧揺動部材４２３の下部筒部４２４に係合固定されている第２球抜ボタン４２１も前方に向って付勢された状態となっている。
【０１１４】
これに対し、第２球抜ボタン４２１を後方に向って遊技者が押圧すると、図７０（Ｂ）に示すように、押圧揺動部材４２３の下部筒部４２４が後方に向って揺動されるので、押圧当接突片４２７が当接突起４３７を押圧し第１リンク４３５を反時計回転方向に回動させる。すると第１リンク４３５の係合ピン４３９との係合により第２リンク４４０が時計回転方向に回動するので、係合凹部４４３が係合ピン４０１を押圧して連結片３９９をバネ４０３の付勢力に抗して反時計回転方向に回動させ、これによって第２球抜弁３９８が第２球抜連通口３９７の上面から退避し、皿体３８０に形成された第２球抜開口３９２と第２球抜連通口３９７とを連通させて皿体３８０の貯留部３８１に貯留された球を第２球抜ユニット３９３に形成される第２球抜通路部３９６に導く。第２球抜通路部３９６に導かれた球は、次に説明する皿蓋板４５０の前面側に形成される球抜通路後樋４５３の上誘導樋４５４のやや上部側に放出され、最終的にユニット枠３０１の底面中央に形成される球排出口３２５からパチンコ遊技機１の外部（例えば、パチンコ島台のカウンターに載置される玉箱等）に玉抜きされるようになっている（図５２参照）。
【０１１５】
次に、皿ユニット３００のユニット枠３０１の裏面を閉塞する皿蓋体４５０の構成について図５５及び図５６を参照して説明する。皿蓋体４５０は、ユニット枠３０１の裏面のほぼ全域を閉塞するように長方形状の平板として合成樹脂によって成形され、その前面側のほぼ中央に球抜通路後樋４５３が一体的に突設形成されている。球抜通路後樋４５３には、上下に球を前方に誘導する湾曲状の上誘導樋４５４と下誘導樋４５５とが形成され、皿蓋体４５０をユニット枠３０１の裏面に取り付けた状態において、図５２に示すように、下部スピーカユニット３４０のスピーカボックス本体３４１に形成される球抜通路前樋３４７と対面して皿内球抜通路を構成しているものである。このとき、球抜通路前樋３４７に形成される誘導樋３４８が球抜通路後樋４５３の上誘導樋４５４と下誘導樋４５５との間に位置するようになっているので、皿内球抜通路は蛇行状に形成されることとなり、球抜きされた球が勢いを弱めながら球排出口３２５から外部に排出されるようになっている。
【０１１６】
また、皿蓋体４５０には、上記した球抜通路後樋４５３の上部側方に開口蓋取付窓４５２が開設され、また、一端側（軸支側）上部裏面に四角筒状の賞球連絡樋４５１が突設されている。賞球連絡樋４５１は、皿ユニット３００を扉枠本体１００の表面に取り付けたときに、扉枠本体１００の軸支側下部に形成された賞球通過口１０３（図３１参照）を貫通して扉枠本体１００の裏面側にまで貫通するものであり、本体枠３に対して扉枠５を閉じた状態で本体枠３に形成される満タンユニット９００の前方誘導通路９２０の出口９２１と重合状に対面するものである。また、開口蓋取付窓４５２は、皿体３８０の第２球抜通路部３９６の側壁開口４０５を閉塞する側面開口蓋４０６を着脱自在に取り付けるための開口であり、扉枠本体１００に形成される蓋用開口１０５に対応する位置に設けられるものである。側面開口蓋４０６の取付構造を具体的に説明すると、側面開口蓋４０６の長手方向一端部に係合突片４０８が突設され、長手方向他端部に係合弾性片４０９が形成されているので、係合突片４０８を開口蓋取付窓４５２の一側縁の内側に係合させ、係合弾性片４０９を開口蓋取付窓４５２の他側縁の内側に弾性係合させることにより側面開口蓋４０６を開口蓋取付窓４５２に取り付け、取り外す場合には、まず係合弾性片４０９を弾性変形させて開口蓋取付窓４５２の他側縁との係合を解除して引き出すことにより係合突片４０８と開口蓋取付窓４５２の一側縁との係合を簡単に解除することができる。この側面開口蓋４０６は、第２球抜弁３９８を開放して異物を第２球抜通路部３９６に詰めるイタズラをされた場合等に扉枠５を開放することにより、異物を簡単に取り出すことができるように設けられているものである。さらに、皿蓋体４５０には、図５６に示すように、前記球抜通路後樋４５３の側方に案内穴４５６が形成されている。この案内穴４５６は、図２４に示すように、皿ユニット３００を扉枠本体１００の表面に取り付ける際に、その取付位置を正確に行うために扉枠本体１００の板部のほぼ中央に前方に向って突設される前記係合突起１１１が挿入されるものである。
【０１１７】
以上、ハンドル装置４６０を除く皿ユニット３００に係る構成について説明してきたが、上記のように構成される皿ユニット３００の組付け構造について図７２乃至図７６を参照して説明する。最初に、図７２（Ａ）に示すように、ユニット枠３０１の裏面中央に形成される軸受支持片３２４に押圧揺動部材４２３の揺動軸４２５を嵌合支持し、その後、ユニット枠３０１の前方から第２球抜ボタン用開口３２２に第２球抜ボタン４２１を挿入して係止爪４２２を押圧揺動部材４２３の下部筒部４２４に係止する。その状態で図７２（Ｂ）に示すように、リンク部材取付板４２８を所定の位置に取り付けて押圧揺動部材４２３の押圧当接突片４２７と第１リンク４３５の当接突起４３７とを当接させる。次いで、図７３（Ａ）に示すように下部スピーカユニット３４０をユニット枠３０１の裏面側から所定の位置に取り付け、さらに図７３（Ｂ）に示すように、皿体３８０をユニット枠３０１の裏面側から下部スピーカユニット３４０の上部の所定位置に取り付ける。この際、第２リンク４４０の係合凹部４４３が後方に向って開放した状態となっているため、皿体３８０に設けられる第２球抜ユニット３９３の連結片３９９の末端下部に突設される係合ピン４０１が、皿体３８０をユニット枠３０１の裏面側から所定の位置に取り付けるだけで自然に係合した状態となる。このため、本実施形態においては、ユニット枠３０１に押圧揺動部材４２３、第２球抜ボタン４２１、リンク部材取付板４２８、皿体３８０の順に取り付けるだけで皿ユニット３００の前面下部に設けられる第２球抜ボタン４２１と皿体３８０に設けられる第２球抜弁３９８との連携を自然に行うことができる。
【０１１８】
ユニット枠３０１に皿体３８０を取り付けた後には、図７４（Ａ）に示すように、皿蓋体４５０をユニット枠３０１の裏面から固定することにより、図７４（Ｂ）に示すように、ユニット枠３０１への裏面側からの作業は終了する。次いで、図７５（Ａ），（Ｂ）に示すように、コネクタ３１２が設けられる配線を引き出して操作ボタンユニット３２９のコネクタ３３３と接続した後、操作ボタンユニット用凹空間部３０７に操作ボタンユニット３２９を上方から挿入しつつ係合突片３３２と係合穴３１５とを係合させ且つ操作ボタンユニット３２９のコネクタ３３３とコネクタ３１２を配線収納開口３１３に収納し、その後、図５４に示すように、前面カバー部３０４の底面部に形成される締具挿入穴３２８からネジ３３４をドライバー工具３３５によって差し込み当該ネジ３３４をネジ止め部３１４及び固定ネジ穴３３１に螺着することにより操作ボタンユニット３２９を取り外しできないように固定することができる。そして、上記のように組み付けた皿ユニット３００を扉枠本体１００の下部の板部に取り付けることにより、皿ユニット３００を備えた扉枠５が完成する。
【０１１９】
以上、本実施形態に係るパチンコ遊技機１の扉枠５の構成について説明してきたが、最後に図７７乃至図８７を参照して、本実施形態に係るパチンコ遊技機１の扉枠５の特徴的な構成について説明する。
【０１２０】
図７８、図８０、及び図８７は、それぞれ図７７のＡ−Ａ、Ｃ−Ｃ、Ｊ−Ｊで切断した断面図であり、いずれもパチンコ遊技機１の上側辺部の断面図である。そして、これらの断面図に現われる構成において特徴的なのは、扉枠５の上部防犯二重溝５８１に、扉枠５の上辺部裏面に取付固定される上側補強板金２１１の両長辺端を後方に向って折曲される折曲突片２１５，２１６がそれぞれ挿入されるようになっている点である。つまり、本実施形態に係るパチンコ遊技機１における扉枠５と本体枠３との上側辺部における防犯構造が二重の防犯構造となってピアノ線等の不正具を挿入する不正行為の防止が図られている点である。また、図８７に示すように、上部の左右のスピーカ１６３に対応する位置の遊技盤４にスピーカ用切欠部６１２が形成されているので、スピーカ１６３から発せられる音が本体枠３の裏面側の側面壁５４０〜５４３によって形成される空間及びカバー体１２５０の放熱穴を介してパチンコ遊技機１の裏面にも通るようになっている。即ち、開放型のスピーカシステムを構成するものである。このため、上部の左右のスピーカ１６３から発せられる主として中高音域の音として、スピーカコーン１６４の振動によって前から発せられる音と後ろから発せられる音とが干渉せず、クリアな中高音域の音を遊技者に向けて発することができる。特に、本実施形態においては、上部の左右のスピーカ１６３によってクリアな中高音域の音を発生し、下部の下部スピーカユニット３４０に設けられるスピーカ３５１によってバスレフ型のスピーカシステムとして優れた低音域の音を明瞭に外部に向けて発生することができる。なお、本実施形態においては、上部のスピーカ１６３と下部のスピーカ３５１とは、同じ型番の同じスピーカ（フルレンジスピーカ）を用いているが、上部のスピーカ１６３を収納する構造（開放型）と、下部のスピーカ３５１を収納する構造（バスレフ型）とを違えることにより、上部のスピーカ１６３を中高音用として使用し、下部のスピーカ３５１を低音用として使用している点も特徴的なものである。
【０１２１】
図８２、及び図８４は、それぞれ図７７のＥ−Ｅ、Ｇ−Ｇで切断した断面図であり、いずれもパチンコ遊技機１の軸支側辺部の断面図である。そして、これらの断面図に現われる構成において特徴的なことは、軸支側辺部の中程の断面図を示す図８２においては、軸支側補強板金２１２の軸支側Ｌ字状折曲突片２１７は、そのＬ字状に曲がった先端部が本体枠３の軸支側の延設された軸支辺部５８７の内側に当接するようになっており、扉枠５と本体枠３との当接面からピアノ線等の不正具が挿入された場合に、不正具の先端が軸支側Ｌ字状折曲突片２１７と軸支辺部５８７の内側の当接部分を容易にすり抜けないようにしているが、軸支側の補強板金１６２による防犯構造が他の辺と異なり二重構造にし難く又は最も不正行為を行い難い辺であることに鑑み、全体として手薄な防犯構造となっている。反面その構造に着目して不正行為をなされる可能性もある。そこで、本実施形態においては、軸支側の中間位置に防犯用突出板部２６０を突設させて飾り枠６０１の前面を覆うことにより、軸支側Ｌ字状折曲突片２１７と軸支辺部５８７との隙間を無理やり侵入してきた不正具を飾り枠６０１から遊技盤４の表面に到達させないように飾り枠６０１の前面を覆うようにし、軸支側の防犯機能の向上を図っている。また、軸支側の中央より下方の断面図を示す図８４においては、上記と同様に、軸支側補強板金２１２の軸支側Ｌ字状折曲突片２１７は、そのＬ字状に曲がった先端部が本体枠３の軸支側の延設された軸支辺部５８７の内側に当接するようになっており、扉枠５と本体枠３との当接面からピアノ線等の不正具が挿入された場合に、不正具の先端が軸支側Ｌ字状折曲突片２１７と軸支辺部５８７の内側の当接部分を容易にすり抜けないようにしているものの、扉枠５の軸支側の斜め下方からの不正具の侵入に対しては、防犯突起６０８と防犯後端部突片２７５との重合構造によって飾り枠６０１の外滑走面６０２への不正具の侵入が阻止され、さらに飾り枠６０１の内滑走面６０３と防犯後突片２７４との重合構造によって遊技盤４の遊技領域６０５への不正具の侵入を阻止することができる。
【０１２２】
図８３、図８５、及び図８６は、それぞれ図７７のＦ−Ｆ、Ｈ−Ｈ、Ｉ−Ｉで切断した断面図であり、いずれもパチンコ遊技機１の開放側辺部の断面図である。そして、これらの断面図に現われる構成において特徴的なことは、開放側補強板金２１３の開放側外折曲突片２２３が本体枠３の側部防犯溝５８２に挿入され、開放側内折曲突片２２５が本体枠３の防犯凹部５８３に挿入されることにより、二重の防犯構造を有して不正具の侵入を防止している。しかし、開放側外折曲突片２２３と側部防犯溝５８２とは、凹凸係合するものの、開放側内折曲突片２２５と防犯凹部５８３とは、完全な凹凸係合とはいえないため、最初の凹凸係合部分を突破されたときに次の不完全な凹凸係合を簡単に突破される可能性もあるところ、本実施形態においては、図８３及び図８５に示すように、開放側内折曲突片２２５が防犯凹部５８３内に侵入した状態で開放側内折曲突片２２５の先端がガラスユニット２５０よりも遊技盤４に近い位置であって遊技盤４の飾り枠６０１の前端面からやや遊技盤４寄りの位置まで侵入される長さに設定されているため、仮に開放側外折曲突片２２３と側部防犯溝５８２との凹凸係合部をすり抜けて不正具が侵入したとしても、開放側内折曲突片２２５によって案内される不正具の先端がガラスユニット２５０と遊技盤４の飾り枠６０１との間から遊技盤４の表面に侵入することはない。また、本実施形態においては、図８５及び図８６に示すように、扉枠５の開放側の斜め下方からの不正具の侵入に対しては、開放側補強板金２１３の二重の折曲突片２２３，２２５による防犯構造に加えて、レール防犯溝６０７と防犯後突片２７４との凹凸係合によりさらに遊技盤４の遊技領域６０５への不正具の侵入を阻止することができる。
【０１２３】
図７９、及び図８１は、それぞれ図７７のＢ−Ｂ、Ｄ−Ｄで切断した断面図であり、いずれもパチンコ遊技機１の下側辺部の断面図である。そして、これらの断面図に現われる構成において特徴的なことは、図７９に示すように、扉枠本体１００の扉枠突片１１２，１１３と本体枠３の係合溝５８４，５８５とが扉枠５と本体枠３との下側辺部における外側の突条及び係合部を構成し、扉枠５の裏面下部に取り付けられる装着台２８０に形成される防犯突片２８５と発射レール５１５及び遊技盤４に取り付けられる外滑走面６０２の下方空間である防犯空間５８６とが扉枠５と本体枠３との下側辺部における内側の突条及び係合部を構成しており、これら二重の防犯構造により不正具の侵入を防止することができる点である。さらに、図７９及び図８１に示すように、ガラスユニット２５０を扉枠５に装着したときに、ユニット枠２５１の底辺部分の係合溝２６１に下側補強板金２１４の垂直折曲突片２３１の上部が侵入し、その垂直折曲突片２３１の上端部分とガラス板２６２の下端部分とが前方から見て重複するような位置関係を有するように係合溝２６１の深さを形成しているので、例えば、皿ユニット３００の上端部に熱した棒状金属を押し当てて合成樹脂製のユニット枠３０１、扉枠本体１００、及びユニット枠２５１に穴をあけるという不正行為に対し、ユニット枠２５１部分において、熱に強いガラス板２６２と垂直折曲突片２３１とが重複しているので、穴をあけることができず、扉枠５の前面からの穴あけ不正行為を防止することができるものである。
【０１２４】
<ハンドル装置>
次に、扉枠５の開放側下部の前記ハンドル取付穴３２１に取り付けられるハンドル装置４６０について、主として図８８〜図９４を参照して説明する。図８８は、扉枠５の取り付けられるハンドル装置４６０の断面図であり、図８９は、ハンドル装置４６０を構成する操作ハンドル部４６１とジョイントユニット４８０との関係を示す斜視図であり、図９０は、操作ハンドル部４６１の分解斜視図であり、図９１は、ジョイントユニット４８０の斜視図（Ａ）、分解斜視図（Ｂ）であり、図９２は、操作ハンドル部４６１とジョイントユニット４８０の動作を説明するための動作図であり、図９３は、ハンドル装置４６０と本体枠３に設けられる打球発射装置６５０との関係を示す斜視図であり、図９４は、ハンドル装置４６０と打球発射装置６５０とを連結する状態を説明するための断面図である。ハンドル装置４６０は、扉枠５の開放側下部前面に設けられる操作ハンドル部４６１と、該操作ハンドル部４６１に対応する扉枠５の裏面に組み付けられて操作ハンドル部４６１の回動操作に応じて回転する回転軸４６５と連携され且つ該回転軸４６５の回転運動をスライド運動に変化させるジョイントユニット４８０と、から構成されている。
【０１２５】
まず、操作ハンドル部４６１は、図８８に示すように、前記皿ユニット３００のユニット枠３０１の開放側下部に形成されるハンドル取付穴３２１に挿入固定される。このハンドル取付穴３２１は、パチンコ遊技機１の上方から見た平面視で外側（右側）に向くように傾斜して形成されているため、ハンドル取付穴３２１に挿入固定される操作ハンドル部４６１も平面視で外側に傾斜（換言するならば、パチンコ遊技機１の前面垂直面に直交する線に対してその先端部がパチンコ遊技機の外側に向かうように傾斜している。）して扉枠５に取付固定されることになる。このように、操作ハンドル部４６１を平面視で外側に向けて傾斜させることにより、遊技者が操作ハンドル部４６１を握り易く、回動動作に違和感がなく回動操作が行いやすいという利点がある。そして、本実施形態においては、後述するように、操作ハンドル部４６１を傾斜設置しても、操作ハンドル部４６１の回転軸４６５の回転運動がスムーズに伝達されて打球発射装置６５０の弾発力を調整することができる構造が採用されている。なお、操作ハンドル部４６１のハンドル取付穴３２１への挿入後、ハンドル取付穴３２１と操作ハンドル部４６１（正確には、後握り部材４６３）とをビス等で連結して操作ハンドル部４６１がハンドル取付穴３２１から引き抜きできないようになっている。
【０１２６】
また、操作ハンドル部４６１は、図９０に示すように、前握り部材４６２と、後握り部材４６３と、前握り部材４６２と後握り部材４６３との間で回動自在に軸支される回動操作部材４６４と、該回動操作部材４６４にその一端部が固定される直線円柱状の回転軸４６５と、該回転軸４６５の他端部に固定されるカム４６６と、から構成されている。後握り部材４６３は、前記ハンドル取付穴３２１に嵌合される小径部と該小径部の前方の大径部とが一体的に形成され、その中心に回転軸４６５が貫通される軸貫通穴４６８が形成されている。回転軸４６５が軸貫通穴４６８に挿通される際には、軸受ブッシュ４６７が軸貫通穴４６８の後端に嵌めこまれ、その軸受ブッシュ４６７に回転軸４６５が挿通される。一方、軸受ブッシュ４６７を介して軸貫通穴４６８に貫通された回転軸４６５は、後握り部材４６３の前面側に固定される固定軸受部材４７３の軸受穴４７４を貫通して回転操作部材４６４の中心に形成される軸嵌合穴４７６に嵌合される。
【０１２７】
また、後握り部材４６３の前面側には、タッチセンサ４７０、マイクロスイッチ４７２、フック４７８を固定するための突起や取付穴（共に図示しない）が設けられると共に、単発ボタン４７１が揺動自在に支持される揺動ピン（図示しない）が形成され、それらの突起や取付穴及び揺動ピンにタッチセンサ４７０、マイクロスイッチ４７２、フック４７８及び単発ボタン４７１が取り付けられている。そして、それらが取り付けられた状態でタッチセンサ４７０やマイクロスイッチ４７２からの配線がフック４７８で纏められて後握り部材４６３の軸貫通穴４６８の側方に形成される配線通し穴４６９、後述する配線通し筒部材４９８（図８９参照）及び配線開口４９０（図９１参照）から扉枠５の裏面に導き出されるようになっている。また、固定軸受部材４７３と回動操作部材４６４との間には、付勢スプリング４７５が回転軸４６５に周設されるように設けられ、この付勢スプリング４７５が回動操作部材４６４を常に元の位置に復帰させるようになっている。更に、回動操作部材４６４の軸嵌合穴４７６の外側にはスイッチ接触凸部４７７が突設され、回動操作部材４６４が付勢スプリング４７５の付勢力により元位置にある場合に、スイッチ接触凸部４７７がマイクロスイッチ４７２のアクチュエータに接触してマイクロスイッチ４７２をＯＦＦとし、回動操作部材４６４が遊技者によって回動操作されるとスイッチ接触凸部４７７がマイクロスイッチ４７２のアクチュエータと離れてＯＮとする。また、マイクロスイッチ４７２がＯＮとなっている状態で単発ボタン４７１が揺動可能になるので、単発ボタン４７１を押圧することにより、マイクロスイッチ４７２のアクチュエータをＯＦＦ操作することができるようになっている。なお、回動操作部材４６４の外周表面には、導電性のメッキが施されており、遊技者が回動操作部材４６４に接触することによりタッチセンサ４７０が接触を検出するようになっている。そして、遊技者が回動操作部材４６４を回動してマイクロスイッチ４７２がＯＮとなり且つタッチセンサ４７０が接触を検出しているときに打球発射装置６５０の後述する発射モータ６９５（図１１１参照）が回転駆動されるようになっている。
【０１２８】
また、回転軸４６５の先端に固定されるカム４６６は、勾玉状に形成され、回転軸４６５の回転にしたがって後述するジョイントユニット４８０のスライド体４８３（図８９及び図９０参照）のカム当接部４９７を押圧して一方向にスライドさせるようになっている。そして、本実施形態においては、この回転軸４６５の先端に固定されるカム４６６とジョイントユニット４８０のスライド体４８３との連携構造によって前述したような操作ハンドル部４６１の平面視での傾斜状取付けが可能となっている。
【０１２９】
そこで、次に操作ハンドル部４６１と連結されるハンドル装置４６０の他方の構成要素であるジョイントユニット４８０について説明する。ジョイントユニット４８０は、図９１に示すように、収納体４８１と、該収納体４８１の内部に収納されて横方向にスライド可能なスライド体４８３と、該スライド体４８３が収納された状態で収納体４８１の前面を被覆するカバー体４８２と、から構成されている。
【０１３０】
収納体４８１は、前面が開放した直方体の箱状に形成され、その後面にカム挿通開口４８４が開設されている。また、収納体４８１の上辺及び下辺には、ジョイントユニット４８０を扉板５の扉枠本体１００のジョイントユニット装着凹部１０７に取り付けるための取付ボス穴４８５がそれぞれ２個ずつ外側に向かって突設形成され、左右の両辺にカバー体４８２を取り付けるための取付穴４８６が外側に向かって突設されている。更に、収納体４８１の上辺及び下辺の内側面には、スライド体４８３の上下辺の外側面と当接してスライド体４８３がスムーズに移動しえるようにするために円弧状の当接凸部４８７（図９１（Ｂ）では下辺の当接凸部４８７だけを図示し、上辺の当接凸部４８７は図示省略されている。）が突設されている。
【０１３１】
また、カバー体４８２は、後面が開放した直方体の箱状に形成され、その前面にスライド体４８３の前面に突設される円筒ボス状の案内突起４９４が挿入されてスライド体４８３の移動を案内する２つの案内横溝４８８と、スライド体４８３の前面に突設されるスライド突片４９２が挿通される挿通横穴４８９と、前記操作ハンドル部４６１の後握り部材４６３の後端に取り付けられて前記カム挿通開口４８４から挿入される配線通し筒部材４９８の後端部が臨む配線開口４９０と、が開設されている。また、カバー体４８２の左右側方には、収納体４８１の前記取付穴４８６に対応する取付穴４９１が形成され、両者の取付穴４８６，４９１とを対応させた状態でビス（図示しない）を止着することにより、カバー体４８２を収納体４８１に取り付けることができるようになっている。
【０１３２】
更に、収納体４８１とカバー体４８２とによって形成される空間内に左右方向に移動可能に収納されるスライド体４８３は、収納体４８１よりも小さな後面が開放した直方体の箱状に形成され、その前面壁の前面には、前記案内横溝４８８に挿入される２つの案内突起４９４と、前記挿通横穴４８９に挿通されるスライド突片４９２が突設されている。スライド突片４９２は、薄板状に形成され、スライド時の進行方向が傾斜辺４９３となっている。また、スライド体４８３の前面壁には、前記２つの案内突起４９４の間に前記配線通し筒部材４９８が貫通する筒部材貫通開口４９５が穿設されている。この筒部材貫通開口４９５は、固定状態にある配線通し筒部材４９８がスライド体４８３のスライドを邪魔しないように横長な長方形状の開口とされている。一方、スライド体４８３の前面壁の裏面には、前記回転軸４６５の先端部に固定されるカム４６６が収納されるカム係合凹部４９６がリブによって逆Ｌ字形状に形成されている。そして、カム係合凹部４９６を形成するリブの一部の垂直部分がカム係合凹部４９６内に突出するように円弧状のリブとして形成され、その部分がカム４６６と当接するカム当接部４９７となっている。
【０１３３】
以上説明した収納体４８１とスライド体４８３とカバー体４８２とを組み付けるには、収納体４８１にスライド体４８３を収納し、その状態でカバー体４８２を前方から被覆する。被覆する際には、案内突起４９４が案内横溝４８８に、スライド突片４９２が挿通横穴４８９に、それぞれ挿通するように被覆される。被覆した後には、取付穴４９１，４８６をビスで螺着することにより、スライド体４８３を内部に収納した状態でジョイントユニット４８０の組み付けが終了する。そして、上記のように組みつけられたジョイントユニット４８０を、図９３に示すように、扉枠５の裏面の前記操作ハンドル部４６１の取付位置に対応して形成されるジョイントユニット装着凹部１０７（図３２参照）に収納して取付ボス穴４８５をビス等で螺着してジョイントユニット４８０を扉枠５に取り付ける。
【０１３４】
以上説明してきたように、操作ハンドル部４６１を扉枠５の前面側からハンドル取付穴３２１に挿通支持し、ジョイントユニット４８０を扉枠５の裏面側からジョイントユニット装着凹部１０７に取り付けることにより、図８８に示すように、回転軸４６５の先端部に固定されるカム４６６がスライド体４８３のカム係合凹部４９６に収納されるようになっている。この場合、操作ハンドル部４６１が平面視で傾斜状に取り付けられることにより、カム４６６も扉枠５の垂直面に対して傾斜状となっているが、カム係合凹部４９６が前後方向に所定の空間幅を有しているので、傾斜したカム４６６の全体をカム係合凹部４９６の空間内に収納できるようになっている。また、その収納状態は、図９２（Ａ）に示すように、カム４６６の回転中心がカム当接部４９７の側方に位置し、勾玉状のカム４６６の先端がカム係合凹部４９６の下方空間内に位置するようになっている。
【０１３５】
しかして、操作ハンドル部４６１の回動操作部材４６４を遊技者が回動操作すると、回転軸４６５が回動し、それにつれてカム４６６も回転するので、図９２（Ｂ）に示すように、カム係合凹部４９６のカム当接部４９７とカム４６６の一側外形面（回転前方の外形面）との当接によってスライド体４８３が一方向（図９２の場合には、図示の右側方向）にスライド移動する。つまり、回転軸４６５の回転運動がスライド体４８３のスライド運動に変換される。このため、図９２（Ａ）に示す初期状態（回動前）におけるカム４６６の回転中心とスライド体４８３のスライド突片４９２の進行方向の端辺との距離Ｓ１が、カム４６６の最大限の回転によって距離Ｓ１よりも大きな距離Ｓ２となる。つまり、スライド体４８３のスライド突片４９２が「Ｓ２−Ｓ１」の距離だけスライドすることになる。そして、ジョイントユニット４８０のスライド突片４９２のスライド移動が、図８８、図９３、図９４に示すように、打球発射装置６５０のスライド部材７１０に伝達されて打球発射装置６５０の付勢バネ６８４（図１１１参照）の張力を調節し、もって打球槌６８７の付勢力の強弱を調整して遊技者の望む打球の弾発力を得ることができる。なお、ハンドル装置４６０と打球発射装置６５０との関係については、打球発射装置６５０についての説明の後で詳細に説明する。
【０１３６】
なお、操作ハンドル部４６１の内部から配線通し穴４６９、配線通し筒部材４９８及び配線開口４９０を通って扉枠５の裏面に導出された配線は、扉枠５の裏面下辺に沿って軸支側に引き回され、その後、本体枠３の裏面側に取り付けられる基板ユニット１１００に集約して取り付けられる払出制御基板１１８６の操作ハンドル用端子１１９５（図１５８参照）に接続されるようになっている。
【０１３７】
〔本体枠〕
次に、遊技盤４が前面側から着脱自在に装着し得ると共に、打球発射装置６５０と、賞球を払い出すための賞球タンク７２０とタンクレール部材７４０と球通路ユニット７７０と賞球ユニット８００と満タンユニット９００と、外枠２に対する本体枠３の施錠及び本体枠３に対する扉枠５の施錠を行う錠装置１０００と、遊技盤４を除く扉枠５や本体枠３に設けられる電気的部品を制御するための各種の制御基板や電源基板等が一纏めに設けられている基板ユニット１１００と、後面開口５８０を覆うカバー体１２５０と、等の各種の部品が本体枠主体５００に装着されることにより構成される本体枠３について、図面を参照して説明する。
【０１３８】
まず、図９５〜図１０３を参照して、上記した各種の部品が装着される本体枠主体５００及び各種の部品が装着された本体枠３について説明する。図９５は、部品を取り付ける前の本体枠主体５００の正面図であり、図９６は、部品を取り付ける前の本体枠主体５００の背面図であり、図９７は、部品を取り付ける前の本体枠主体５００の側面図であり、図９８は、部品を取り付ける前の本体枠主体５００の背面から見た斜視図であり、図９９は、部品を取り付けた本体枠３の前方から見た斜視図であり、図１００は、部品を取り付けた本体枠３を外枠２に軸支した状態を前方から見た斜視図であり、図１０１は、部品を取り付けた本体枠３の背面図であり、図１０２は、部品を取り付けた本体枠３の背面から見た斜視図であり、図１０３は、パチンコ遊技機１の中程（遊技制御基板ボックス６２４部分）の水平線で切断したパチンコ遊技機の断面平面図である。
【０１３９】
図９５において、本体枠主体５００の一側上下には、本体枠３を外枠２に開閉軸支するための上軸支金具５０３及び下軸支金具５０９（共に図９９参照）を取り付けるための軸支金具取付段部５０１，５０２が形成され、この軸支金具取付段部５０１，５０２に上軸支金具５０３及び下軸支金具５０９を取り付けた状態では、本体枠主体５００の上辺及び側辺が上軸支金具５０３の上辺及び側辺とほぼ同一平面状となり、本体枠主体５００の下辺及び側辺が下軸支金具５０９の下辺及び側辺とほぼ同一平面状となっている（図１０１参照）。ここで、上軸支金具５０３と下軸支金具５０９について図９９と図１０１を参照して説明する。上軸支金具５０３は、本体枠主体５００の裏面に取付部を有すると共にその上端辺が前方に突出し、その前方に突出した上面に軸支ピン５０４が立設固定され、その軸支ピン５０４の側方に扉軸支穴５０５が穿設されている。一方、下軸支金具５０９は、本体枠主体５００の裏面に取付部を有すると共にその下端辺及びやや上部に２つの支持板５０６，５０７が一体的に突設されている。下方に位置する支持板５０６は、本体枠３を外枠２の下支持金具６６に支持するための枠支持板５０６を構成するものであり、上方に位置する支持板５０７は、扉枠５の下軸支部２２０を本体枠３に支持するための扉支持板５０７を構成するものである。このため、枠支持板５０６に外枠２の下支持金具６６の支持突起６８を挿入するための軸支穴（図示しない）が形成され、扉支持板５０７に扉枠５の下軸支部２２０に突設される軸ピン２２１を挿入するための軸支穴５０８が穿設されている。
【０１４０】
ところで、本体枠主体５００は、正面から見た場合に、長方形状に形成され、その上部の約３／４が遊技盤４を設置するための遊技盤設置凹部５１０（図９９参照）となっており、その遊技盤設置凹部５１０の下方のやや奥まった領域が板部５１１となっている。また、遊技盤設置凹部５１０を囲む前面側の前面上辺部及び前面開放側辺部は、扉枠５の裏面と対面するように所定幅を有して形成されており、前面上辺部には、横方向に平行状に突設される突起によって上部防犯二重溝５８１が形成され、正面から見て右側の前面開放側辺部には、外側に側部防犯溝５８２が形成されると共に内側に後端が第１側面壁５４０に接続される傾斜面となっている内壁によって形成される防犯凹部５８３が形成され、正面から見て左側の前面軸支側辺部は、前面上辺部や前面開放側辺部と異なり扉枠５の裏面と対面する所定幅を有するように形成されていないが、本体枠主体５００の前面軸支側辺部が前面上辺部や前面開放側面部に比べて前方への突出量が多い軸支辺部５８７となっている。
【０１４１】
より詳細に説明すると、前面上辺部に形成される上部防犯二重溝５８１は、図７８に示すように、扉枠５の上辺部裏面に取付固定される上側補強板金２１１の両長辺端を後方に向って折曲される折曲突片２１５，２１６がそれぞれ挿入されるようになっているものである。また、前面開放側辺部に形成される側部防犯溝５８２及び防犯凹部５８３は、図８３に示すように、扉枠５の開放部裏面に取付固定される開放側補強板金２１３の両長辺端を後方に向って折曲される開放側外折曲突片２２３及び開放側内折曲突片２２５がそれぞれ挿入されるようになっているものである。更に、前面軸支側辺部の軸支辺部５８７には、図８２に示すように、扉枠５の軸支側裏面に取付固定される軸支側補強板金２１２の軸支側Ｌ字状折曲突片２１７の先端部が当接するようになっている。そして、上記した構造によって扉枠５と本体枠３との当接面の隙間からピアノ線等の不正具を挿入する不正行為を防止することができ、特に、最も不正行為が行われやすい開放側辺部や次いで不正行為が行われやすい上辺部における不正行為の防止をはかることができる構造となっている。もちろん、軸支側における軸支側補強板金２１２と軸支側Ｌ字状折曲突片２１７との当接による不正行為の防止も充分に機能するが、多くの場合、軸支側は、頑丈な支持金具３５，６６と軸支金具５０３，５０９とで本体枠３と扉枠５とが連結されているため、上辺部及び開放側辺部に比べて本体枠３と扉枠５との間に隙間が作り難い。このため、本実施形態においては、二重の防犯構造ではなく、一重の防犯構造としている。これらの点については、後に詳述する。
【０１４２】
また、遊技盤設置凹部５１０を囲む前面側の前面上辺部、前面開放側辺部、及び前面軸支側辺部には、上記した構成以外に前面開放側辺部の上部、中間部、下部に本体枠３の開放側裏面に取り付けられる後述する錠装置１０００に設けられる扉用フック部１０４１（図１４７参照）を貫通させて前方に飛び出させるための扉用フック穴５４９が開設されており、また、前面軸支側辺部の内側面に遊技盤４に形成される位置決め凹部６１１と係合するための盤位置決め突起５７６が設けられている。更に、前面軸支側辺部の盤位置決め突起５７６のやや下方位置の内側前方面に、扉枠５を閉じた状態で軸支側補強板金２１２の軸支側Ｌ字状折曲突片２１７の先端が挿入される上下２つの規制突起５７７が突設されている。この規制突起５７７の作用については前述した通りである。また、図９５に示すように、開放側の平面部分と遊技盤設置凹部５１０との境目の上下に遊技盤４に設けられる遊技盤止め具６１４の端部が係合される盤止め具挿入穴５７８が形成されている。
【０１４３】
次に、板部５１１の構成について図９５乃至図１００を参照して説明する。板部５１１の上面は、遊技盤４を載置するための遊技盤載置部５１２となっており、その遊技盤載置部５１２のほぼ中央に、当該載置部５１２に遊技盤４を載置したときに遊技盤４に形成されるアウト口６０６（図１０４参照）の下面を支持する通路支持突起５１３が突設されている。また、図９５に示すように、板部５１１の前面の中央部から開放側の端部に向かってレール取付ボス５１４が所定間隔を置いて突設され、このレール取付ボス５１４に発射レール５１５（図９９参照）がビス止め固定されている。また、発射レール５１５の先端位置に対応する板部５１１の前面には、レール接続部材５１６が突設され、遊技盤設置凹部５１０に遊技盤４が設置されたときに、遊技盤４の内滑走面６０３の下流端である接続通路部６０９（図１０４参照）と隣接するようになっている。また、レール接続部材５１６の側方位置（発射レール５１５と反対側の位置）には、遊技盤４の下部を固定するための楕円形状の遊技盤固定具５１９（図９９参照）の上端部を取り付けるための固定具取付ボス５１７が突設され、その斜め下方にストッパー５１８が突設されている。即ち、遊技盤固定具５１９は、固定具取付ボス５１７を中心にして回転自在に設けられ、前記遊技盤載置部５１２に遊技盤４が載置された状態で時計方向に回動して遊技盤固定具５１９を遊技盤４の前面に押圧して遊技盤４を固定するものである。また、遊技盤を取り外す場合には、遊技盤固定具５１９を反時計方向に回して取り外すことにより、簡単に行うことができる。この場合、遊技盤固定具５１９はストッパー５１８により反時計方向の余分な回転ができないようになっている。
【０１４４】
また、板部５１１の開放側下部は、手前側に膨出状に突設された（裏面から見れば凹状となっている）直方体状の発射装置取付部５２０が形成されており、この発射装置取付部５２０に本体枠主体５００の裏面から打球発射装置６５０が固定されている。この点については、後に詳述する。上記した発射装置取付部５２０の前面壁部分には、前述したジョイントユニット４８０のスライド突片４９２と連携されるスライド部材７１０（図１１５参照）が収納されるハンドル連結窓５２２が形成され、該ハンドル連結窓５２２の隣接する位置に打球槌６８７の軸受６８９（図１１１参照）の端面が臨む軸用穴５２３が開設されている。また、発射装置取付部５２０の上壁部分には、打球発射装置６５０の打球槌６８７が上方に突出するための槌貫通開口５２１が切欠形成され、その槌貫通開口５２１の斜め上方の板部５１１の前面に錠装置１０００のシリンダー錠１０１０が貫通するシリンダー錠貫通穴５２６が開設されている。
【０１４５】
一方、板部５１１の裏面には、図９６に示すように、軸支側の上部から板部５１１の中央部分に向けて延設された後下方に向かう球抜排出通路５２４が形成されている。この球抜排出通路５２４は、後述する球抜接続通路８８０（図９９参照）から排出される球をパチンコ遊技機１の下方から島の内部に排出するためのものである。また、上述した発射装置取付部５２０の上方には、円柱状の案内突起５２５が後方に向かって突設され、この案内突起５２５に後述する基板ユニット１１００の案内孔１２１２（図１５４参照）が差し込まれて基板ユニット１１００の取付けを容易にしている。また、基板ユニット１１００をビスで取り付けるための取付穴部５２７が板部５１１の左右上下に形成され、この取付穴部５２７に基板ユニット１１００の取付片１１２２を対応させてビスで止着する。また、発射装置取付部５２０の凹状の内部には、打球発射装置６５０を取り付けるための発射装置取付ボス５２９が後方に向かって突設され、更に、開放側の最下端部には、図９８に示すように、本体枠３を外枠２に対して閉じる際に、装飾カバー板１５の上面に当接しながら本体枠３の閉止動作を案内するために先端が先細状で縦長形状の案内突片５２８が後方に向かって突設されている。
【０１４６】
板部５１１には、以上説明した構成以外に、図９８に示すように、軸支側の端部上面に前記球抜排出通路５２４の上流端の開口である球抜接続開口５３０が形成されている。この球抜接続開口５３０に球抜接続通路８８０の下流端が接続されるようになっている。また、球抜接続開口５３０に隣接する部分は、後に詳述する満タンユニット９００（図９９参照）を載置するための満タンユニット載置部５３１が板部５１１と直交するように水平状に形成され、その満タンユニット載置部５３１の前方部分に満タンユニット９００の係合片９２４（図１３１参照）と係合するユニット係合溝５３２が形成されている。更に、図９９に示すように、満タンユニット載置部５３１の前方の板部５１１の前面には、扉枠５の開放時に満タンユニット９００の出口９２１から排出される賞球を堰き止める出口開閉装置５７９が設けられている。この出口開閉装置５７９については、詳細に説明しないが、扉枠５が閉じているときには、扉枠５の裏面に当接するレバーによって開閉板が下降した状態となっているが、扉板５が開放されるとレバーへの当接がなくなるため開閉板が上昇して出口９２１を閉塞するものである。このため、扉枠５の開放時においても満タンユニット９００内に貯留された賞球が出口９２１から零れ落ちることがない。また、図９９に示すように、板部５１１の上端辺にそって形成される遊技盤載置部５１２であって発射レール５１５の発射部の上方に対応する位置に上下方向に貫通する締結穴５３３を形成し、その締結穴５３３の前方部分に締結バンド６１９を掛け止めるための締結連杆５３４が差し渡されている。この締結連杆５３４は、本体枠３からの遊技盤４の取り外しを防止するための機構である。
【０１４７】
次に、遊技盤設置凹部５１０の構成について説明する。遊技盤設置凹部５１０は、軸支側の内側面及び上記した上辺部及び開放側の鍔面部から後方へ周設される第１側面壁５４０と、該第１側面壁５４０から後方に周設される第２側面壁５４１と、該第２側面壁５４１から後方に周設される第３側面壁５４２と、該第３側面壁５４２から後方に周設される第４側面壁５４３、とにより、本体枠３の左右側辺及び上辺の後方部分が囲まれた凹状に形成されているものである。なお、第１側面壁５４０〜第４側面壁５４３は、背面から見て上辺及び右辺（軸支側の辺）が段差をもって後方に真っ直ぐに延長されるように形成されるのに対し、左辺（開放側の辺）が第１側面壁５４０から第４側面壁５４３に向かうにしたがって内側に傾斜する段差状（図１０３参照）に形成される。これは、左辺（開放側の辺）の第１側面壁５４０から第４側面壁５４３までを後方に真っ直ぐ形成したときに、本体枠３を開放する際に、第４側面壁５４３の最後端部が外枠２の側枠板１３の内面と当接してスムーズに開放できない場合があるため、開放側の第１側壁面１９０から第４側面壁５４３までが内側傾斜状とすることによりスムーズに開放することができるようにしたものである。それと同時に開放側の第１側面壁５４０に沿って錠装置１０００が取り付けられるが、その取付けを第１側面壁５４０の後端辺に設けられる錠取付穴５４７（図１４３参照）を利用して行うため、その錠取付穴５４７を形成するためにも開放側の第１側面壁５４０から第４側面壁５４３を傾斜段差状に形成したものである。更に、第１側面壁５４０〜第４側面壁５４３の段差の寸法も、第１側面壁５４０と第２側面壁５４１との段差は、後述する遊技盤４の裏面の周辺と当接する必要があるため、ある程度大きな段差をもって形成されるが、それ以外の段差は、極めて小さな段差となっている。もちろん、第２側面壁５４１〜第４側面壁５４３までは段差を形成することなく連続的に形成してもよい。
【０１４８】
そして、上記した側面壁５４０〜５４３は、図９７に示すように、それぞれ奥行き幅寸法ｄ１，ｄ２，ｄ３，ｄ４を有するように形成され、本実施形態の場合、ｄ１＋ｄ２＋ｄ３＋ｄ４＝約１３５ｍｍとなっている。特に、第１側面壁５４０の幅寸法ｄ１は、遊技盤４の厚みに相当し、残りの第２側面壁５４１と第３側面壁５４２と第４側面壁５４３とによって形成される空間に遊技盤４に設けられる各種の遊技装置の後方突出部分が収納されるようになっている。つまり、第１側面壁５４０は、遊技盤４の厚さとほぼ同じ奥行寸法を有する前側面壁を構成し、第２側面壁５４１〜第４側面壁５４３は、遊技盤４の周辺部裏面と当接する段差部を有して第１側面壁５４０から後方に向かってほぼ当該第１側面壁５４０と平行状に延設され且つ遊技盤４に設けられる遊技装置の後方突出部を収納する後側面壁を構成するものである。特に、本実施形態の場合には、図５に示すように、第２側面壁５４１〜第４側面壁５４３のすべての部位の後方への突出量が、本体枠３の裏面側上部に固定される賞球タンク７２０の球を貯留する貯留部７２８の後面壁７２２とほぼ同じ位置となるように形成されている。これにより、遊技盤４の周辺部に対応する位置まで第２側面壁５４１と第３側面壁５４２と第４側面壁５４３とによって形成される空間の大きさが確保されているので、例えば、遊技盤４のほぼ全域を液晶表示画面が占めるような遊技装置が取り付けられている場合においても、そのような遊技装置の後方突出部分を楽に収納することができるものである。
【０１４９】
また、図９６及び図９８に示すように、第４側面壁５４３の後端辺からは背面から見てその左辺（開放側）、上辺及び右辺（軸支側）に、開放側後面壁５４４、上後面壁５４５及び後面壁としての軸支側後面壁５４６がそれぞれパチンコ機の正面と平行となるように内側に向かって突設されている。軸支側後面壁５４６は、その前面が平板状（図９５参照）となっており、その後面に球払出機構を構成する後述の球通路ユニット７７０と賞球ユニット８００とが着脱自在に取り付けられるようになっている。したがって、軸支側後面壁５４６の内側への突出幅寸法は、球通路ユニット７７０と賞球ユニット８００とを取り付ける幅があれば充分である。また、上後面壁５４５は、その前面が平板状（図９５参照）となっており、その後面に後述するタンクレール部材７４０が取り付けられるため、その下端辺が傾斜状に形成されている。したがって、上後面壁５４５の内側への突出幅は、傾斜状に取り付けられるタンクレール部材７４０の高さ幅寸法があれば充分である。更に、開放側後面壁５４４には、その前面が平板状（図９５参照）となっており、その後面に後述するカバー体１２５０を軸支するカバー体支持筒部５７５が形成されている。したがって、開放側後面壁５４４の内側への突出幅寸法は、カバー体支持筒部５７５を形成する幅寸法があれば充分である。
【０１５０】
上述したように、第４側面壁５４３の後端辺から内側に向かって突設される開放側後面壁５４４、上後面壁５４５及び軸支側後面壁５４６の前面が平板状に形成され、この平板状部分が遊技盤４の周辺部に対応するものであるため、上記したように、遊技盤４の周辺部に対応する位置まで第２側面壁５４１と第３側面壁５４２と第４側面壁５４３とによって形成される空間の大きさが確保されているので、例えば、遊技盤４のほぼ全域を液晶表示画面が占めるような遊技装置が取り付けられている場合においても、そのような遊技装置の後方突出部分を楽に収納することができるものである。なお、開放側後面壁５４４、上後面壁５４５及び軸支側後面壁５４６の内側は、後面開口５８０となっており、この後面開口５８０が後述するカバー体１２５０によって開閉自在に閉塞されるようになっている。
【０１５１】
次に、遊技盤設置凹部５１０の更に詳細な構成について説明すると、前述したように、開放側の平面部分には、錠装置１０００の扉枠用フック部１０４１が貫通する扉用フック穴５４９が上中下の３箇所開設されているが、その上下の扉用フック穴５４９のさらに上中下に錠装置１０００の後述する係止突起１００４が係合される錠係止穴５４８（図９６参照）が形成されている。また、開放側の第１側面壁５４０に沿って錠装置１０００が取り付けられるが、その取付けをビスで行うための錠取付穴５４７（図９６参照）が第１側面壁５４０の後端部の上部と中程に形成されている。なお、錠装置１０００のビスによる取付けは、上部と中程だけではなく、後述する錠取付片１００８に形成されるビス止め部１００３と前記シリンダー錠貫通穴５２６の上方近傍に形成される錠取付穴５４７とを対応させてビスで止着することにより、錠装置１０００の下方も取り付けられるようになっている。
【０１５２】
また、図９８に示すように、第１側面壁５４０の上辺前方の左右には、本体枠３を外枠２に対して閉止する際に、外枠２の上枠板１０の内周面と当接する案内円弧突起５５２が突設され、第１側面壁５４０の後端辺中央に後述する賞球タンク７２０の切欠部７２９と連通する逃げ凹部５５１が形成され、第１側面壁５４０と第２側面壁５４１と接続する垂直面にタンク取付溝５５０が形成されている。そして、このタンク取付溝５５０に賞球タンク７２０の取付鍔部７３３を取り付けたときには、図１０２に示すように、賞球タンク７２０の切欠部７２９が逃げ凹部５５１と連通して賞球タンク７２０内に貯留された球の球圧が増加したときに圧抜きして球詰まりが発生しないように機能する。また、賞球タンク７２０を本体枠３に取り付けたときには、平面視で賞球タンク７２０の正面側から見て奥側の後面壁７２２と第４側面壁５４３の後端辺がほぼ一致（図５参照）するようになっている。なお、上記した案内円弧突起５５２は、本体枠３の上辺を外枠２の上枠板１０の内周面と当接させることにより、本体枠３を持ち上げて本体枠３の下辺と装飾カバー板１５との間に隙間を形成し、その隙間から不正器具を挿入するような不正行為を防止するためのものである。
【０１５３】
また、前述した上後面壁５４５には、タンクレール部材７４０を取り付けるためのレール係止溝５５３が後面開口５８０の開口縁に沿って形成されており、また、第４側面壁５４３と上後面壁５４５の屈曲部にレール係止溝５５４が形成されている。そして、これらレール係止溝５５３，５５４にタンクレール部材７４０の係止突片７４９，７５０（図１１９参照）を係止させることにより、タンクレール部材７４０を本体枠３に取り付けることができる。また、タンクレール部材７４０を取り付けたときの下流側に対応する上後面壁５４５の上部には、レール掛止弾性片５５５が形成され、レール係止溝５５３，５５４にタンクレール部材７４０の係止突片７４９，７５０を係止させて、タンクレール部材７４０を本体枠３に取り付けたときに、その係止状態が外れないようにレール掛止弾性片５５５がタンクレール部材７４０の下流側上端の上から当接するようになっている。タンクレール部材７４０を取り外すときには、レール掛止弾性片５５５を後方へ押圧しておいてからレール係止溝５５３，５５４と係止突片７４９，７５０との係止状態を解除すべくタンクレール部材７４０を上方に持ち上げればよい。また、レール掛止弾性片５５５の側方に逃げ穴５５６が穿設され、レール掛止弾性片５５５の下方にアース線接続具５５７形成されている。逃げ穴５５６は、タンクレール部材７４０に設けられる整列歯車７４７の軸ピン７４８の端部を逃がすために穿設されるものであり、また、アース接続具２０７は、タンクレール部材７４０の内部に貼着される金属製の導電板（図示しない）に接触していると共に、後述する電源基板１１４４に設けられるアース用コネクタ１１４８（図１５９参照）に接続される配線が接続されるものである。
【０１５４】
また、軸支側後面壁５４６には、図９６及び図９８に示すように、軸支側後面壁５４６の左右両端に垂直状の立壁５６０を立設し、その立壁５６０の間に球通路ユニット７７０と賞球ユニット８００とが取り付けられる。また、左右の立壁５６０の間の最上流部から中流部よりやや上方まで賞球案内突起５６１が屈曲状に突設されている。この賞球案内突起５６１は、軸支側後面壁５４６にその突出高さが下流側に向かって徐々に低くなるように後方に向かって突設され、後述する球通路ユニット７７０を取り付けたときに、該球通路ユニット７７０の球落下通路７７２（図１２４参照）に対応するもので、賞球を一列状に誘導するものである。また、賞球案内突起５６１の左右には、球通路ユニット７７０をビスで止着するための通路ユニット取付ボス５６２、及び位置決めするための位置決めピン５７４が突設されると共に、後述する球切れスイッチ７７８（図１２４参照）に対面するスイッチ対応突起５６３が突設されている。通路ユニット取付ボス５６２及び位置決めピン５７４については、後に詳述する。
【０１５５】
更に、左右の立壁５６０の中流部から下流部にかけて賞球ユニット８００の係合部としての鉤状係合部８２４（図１２６参照）と係合する係止部としての係合突片５６５と、賞球ユニット８００のボタン挿通係合穴８２１（図１２６参照）と係合するロック用弾性爪５６４と、が形成されると共に、賞球ユニット８００のスプロケット８０７の回転軸８０８（図１２６参照）の端部が受け入れられる逃げ穴５６６が形成されている。また、軸支側後面壁５４６の下方には、払出モータ用逃げ開口部５７２が形成されており、この払出モータ用逃げ開口部５７２に賞球ユニット８００の駆動モータとしての払出モータ８１５が臨むようになっている（図９９参照）。そして、賞球ユニット８００は、軸支側後面壁５４６の裏面最下端に形成される係止溝５７３のその下端を係止して前記係合突片５６５及びロック用弾性爪５６４によって軸支側後面壁５４６に着脱自在に取り付けられるようになっている。この着脱自在の構成については、後に詳述する。
【０１５６】
また、軸支側後面壁５４６の開放側の端部には、そのカバー体１２５０の開放側の端辺が入り込むカバー体当接溝５６７が形成されていると共に、該カバー体当接溝５６７の下方に施錠壁５６９が突設されている。カバー体当接溝５６７には、カバー体１２５０の止め穴１２５３（図１０２参照）に対応する止め穴５６８が形成されており、これら止め穴１２５３，５６８とを一致させて図示しないビスで止着することにより、カバー体１２５０によって本体枠３の後面開口５８０を閉塞固定することができるようになっている。また、施錠壁５６９には、平面視Ｕ字状の施錠用突出鉤片５７０が突設され、本体枠３に対してカバー体１２５０を閉じた状態で施錠用突出鉤片５７０をカバー体１２５０に形成される貫通穴１２５４（図１０２参照）を貫通させ、例えば、南京錠等の錠を施錠用突出鉤片５７０に掛け止めることにより、南京錠の鍵を有する責任者しかカバー体１２５０を開放することができないようにすることができる。
【０１５７】
以上、遊技盤設置凹部５１０及び板部５１１とからなる本体枠主体５００の構成について説明してきたが、上記に説明した以外に、板部５１１の最下端辺部に、扉枠５を閉じたときに、扉枠本体１００の下辺を後方に向けて折曲した扉枠突片１１２，１１３（図３２参照）が挿入される係合溝５８４，５８５（図９５参照）が形成されている。係合溝５８４は、前述した発射装置取付部５２０の下方に形成される溝であり、係合溝５８５は、前記係合溝５８４の一端から軸支側に向って形成される溝である。なお、係合溝５８５に対応する扉枠突片１１２は、係合溝５８４に対応する扉枠突片１１３の突出量よりも大きくなるように後方に向って突設されている。ただし、開放端下部には、突出量の多い扉枠突片１１２が僅かに形成されている。そして、上記した扉枠突片１１２，１１３と係合溝５８４，５８５とが扉枠５と本体枠３との下側辺部における外側の突条及び係合部を構成するものである。
【０１５８】
上記のように板部５１１には、発射レール５１５や出口開閉装置５７９が設けられ且つレール接続部材５１６や発射装置取付部５２０が突設形成されているが、発射装置取付部５２０及び発射レール５１５の板部５１１における配置位置が開放側に偏り、しかもそれらが板部５１１の表面よりも突出して形成されている。このため、扉枠５を閉じた状態において、発射装置取付部５２０及び発射レール５１５が配置される板部５１１のほぼ中央部から開放側にいたる領域は、扉枠５の裏面と発射装置取付部５２０及び発射レール５１５の前面とが密着した状態となるため、前述した扉枠突片１１２と係合溝５８５との隙間を上手にすり抜けてきたピアノ線等の不正具を扉枠５の裏面と発射装置取付部５２０及び発射レール５１５の前面との間をさらに上手にすり抜けさせて遊技盤４の表面側若しくは遊技盤４の裏面側に到達させることは極めて困難である。
【０１５９】
一方、発射装置取付部５２０及び発射レール５１５が配置されない板部５１１のほぼ中央部から軸支側にいたる領域は、板部５１１の表面に突出した部分がないため、扉枠５を閉じた状態において、扉枠５の裏面と板部５１１の前面との間に空間５８６が生じてしまう。このため、前述した扉枠突片１１２と係合溝５８４との隙間を上手にすり抜けてきたピアノ線等の不正具が扉枠５の裏面と板部５１１の前面との間の空間５８６を簡単にすり抜けてしまうことができるため、この空間５８６を不正具が上方に向ってすり抜けないように、扉枠５の裏面下部に取り付けられる装着台２８０には、扉枠５を閉じた状態で該空間５８６に侵入する防犯突片２８５が形成されている。この防犯突片２８５は、板部５１１のほぼ中程から軸支側端部までいたるように装着台２８０に形成されている。したがって、発射レール５１５及び遊技盤４に取り付けられる外滑走面６０２の下方空間は、装着台２８０に突設される防犯突片２８５を受け入れる防犯空間５８６を構成している。そして、この防犯突片２８５と防犯空間５８６とが扉枠５と本体枠３との下側辺部における内側の突条及び係合部を構成するものである。
【０１６０】
本体枠３は、上記したように、遊技盤４、打球発射装置６５０、賞球タンク７２０、タンクレール部材７４０、球通路ユニット７７０、賞球ユニット８００、満タンユニット９００、錠装置１０００、基板ユニット１１００及びカバー体１２５０が取り付けられるが、以下、これらを順次説明する。
【０１６１】
<遊技盤>
遊技盤４の構成について図１０４乃至図１０９を参照して説明する。図１０４は、遊技盤４の正面から見た斜視図であり、図１０５は、遊技盤４の正面図であり、図１０６は、遊技盤４の背面図であり、図１０７は、遊技盤４の平面図であり、図１０８は、遊技盤４に形成される取り外し防止機構部分の拡大斜視図であり、図１０９は、遊技盤４の取り外し防止機構に対する本体枠側の構造を示す本体枠３の部分斜視図である。
【０１６２】
図１０４において、遊技盤４は、ほぼ正方形状のベニヤ盤６００と、該ベニヤ盤６００の前面に遊技領域６０５を囲むように取り付けられる飾り枠６０１と、から構成されている。ベニヤ盤６００の表面には、装飾セルともいわれる装飾板が貼付されると共に遊技領域６０５に各種の遊技装置や多数の障害釘（いずれも図示省略）が植立されている。そして、それらの遊技装置や障害釘が設けられた後に飾り枠６０１がベニヤ盤６００の前面に取り付けられるが、その飾り枠６０１は、ベニヤ盤６００の周囲を囲むように内部が円形の空洞状に形成され且つ外形がベニヤ盤６００の外形に沿った形状に形成されており、その下辺中程から上辺の中心を過ぎた斜め上方までの円弧面が外滑走面６０２として形成され、その外滑走面６０２の終端に設けられる衝止部６２０の下部位置から上辺の前記衝止部６２０の対称の逆流防止部材６０４が設けられる位置までが内滑走面６０３として形成されている。外滑走面６０２は、その始端部に前記発射レール５１５の延長状に設けられたレール接続部材５１６に連接する接続通路部６０９が斜め状に形成されており、その接続通路部６０９に隣接してファール口６１０が形成されている。また、ファール口６１０の上流端から衝止部６２０までの外滑走面６０２には、金属製のレールが密着して取り付けられている。なお、衝止部６２０は、勢いよく外滑走面６０２を滑走してきた打球が衝突したときに、その衝突した打球を遊技領域６０５の内側に反発させるようにゴムや合成樹脂の弾性体が設けられるものであり、逆流防止部材６０４は、一端発射されて遊技領域６０５の内側に取り入れられた打球が再度外滑走面６０２に逆流しないように防止するものである。更に、外滑走面６０２の下部一側には、金属製のレールの一部に沿うように防犯突起６０８が突設されている。この防犯突起６０８は、扉枠５が閉じられた状態で前述したように防犯カバー２７０に突設される防犯後端部突片２７５と上下方向に重複して本体枠３と扉枠５の軸支側の隙間の中程よりやや下方から挿入されるピアノ線等の不正具の侵入を防止するものである。
【０１６３】
また、内滑走面６０３の下部中央には、アウト口６０６が設けられ、そのアウト口６０６から逆流防止部材６０４までの内滑走面６０３と外滑走面６０２との間は、発射された打球が遊技領域６０５まで誘導される誘導通路を構成するものであるが、遊技領域６０５に到達せずに外滑走面６０２を逆流した打球はファール口６１０に取り込まれて後述する満タンユニット９００のファール球入口９２３に導かれて再度皿ユニット３００に排出されるようになっている。なお、遊技領域６０５は、実質的に内滑走面６０３によって囲まれる領域である。また、内滑走面６０３のアウト口６０６から衝止部６２０に向かう途中の飾り枠６０１には、レール防犯溝６０７が形成されている。このレール防犯溝６０７は、扉枠５が閉じられた状態で前述したように防犯カバー２７０に突設される防犯後突片２７４の一部が侵入するように溝状に形成されており、このレール防犯溝６０７と防犯後突片２７４との凹凸係合により、上下方向に重複して本体枠３と扉枠５の開放側の隙間の中程よりやや下方から挿入されるピアノ線等の不正具の侵入を最終的に防止するものである。
【０１６４】
ところで、遊技盤４の一側には、本体枠３に形成される前記盤位置決め突起５７６に嵌合する位置決め凹部６１１が形成され、遊技盤４の他側には、本体枠３に形成される前記盤止め具挿入穴５７８に挿入される遊技盤止め具６１４が設けられている。遊技盤止め具６１４は、押し込み固定したときにその端部が盤止め具挿入穴５７８に挿入されるようになっている。しかして、遊技盤４を本体枠３に固定するためには、本体枠３の前面側から位置決め凹部６１１が盤位置決め突起５７６に嵌合するように斜め方向から差し込んだ後、遊技盤４の全体を本体枠３の第１側面壁５４０に押し込み、その状態でフリーな状態となっている遊技盤止め具６１４を押し込み固定してその端部を盤止め具挿入穴５７８に挿入して固定する。その後、遊技盤固定具５１９を回動して遊技盤４の下部前面を固定する。これによって遊技盤４を本体枠３に簡単に装着することができる。遊技盤４を取り外すには、上記の手順と逆の手順で取り外せばよい。
【０１６５】
ところで、本実施形態における遊技盤４は、遊技盤４の本体枠３からの不正な取り外しを極めて簡単に防止する構成を有している。即ち、図１０４及び図１０８に示すように、遊技盤４の下方の前記通路用切欠部６１３と反対側の下端部に遊技盤４の前後に貫通する取付用切欠部６１６を形成し（正確には、飾り枠６０１に取付用切欠部６１６が形成されている。）、その取付用切欠部６１６の下部に水平方向に締結バー６１７を掛け渡し固定する。締結バー６１７には、そのほぼ中央に締結バンド６１９を掛け止めるための帯溝状の締結部６１８が形成されている。一方、本体枠３に設けられる取り外し防止機構としては、前述したように、本体枠３下方の板部５１１の上端辺にそって形成される遊技盤載置部５１２であって発射レール５１５の発射部の上方に対応する位置に上下方向に貫通する締結穴５３３を形成し、その締結穴５３３の前方部分に締結バンド６１９を掛け止めるための締結連杆５３４が差し渡されている（図１０９参照）。
【０１６６】
上記のように構成される遊技盤４を本体枠３の遊技盤設置凹部５１０に収納配置したときには、図１０８に示すように、締結バー６１７が遊技盤載置部５１２に当接して載置した状態になると共に、締結部６１８と締結連杆５３４とが一致した状態となる。そして、その状態で締結部６１８と締結連杆５３４との一致している部分に対して、締結バー６１７の上方から一般的に市販されている締結バンド６１９の先端を取付用切欠部６１６に差し込んで下方に向けて締結穴５３３に差し込み前方に導き、その先端を締結バンド６１９の締結具部分に係合させる。そして、締結バンド６１９の締結具より前方に飛び出した不必要な先端部分を切断しておく。このようにすれば、締結バンド６１９を切断しない限り、遊技盤止め具６１４と遊技盤固定具５１９等の固定を解除しても、遊技盤４を本体枠３から取り外すことができない。締結バンド６１９を切断すれば、遊技盤４を本体枠３から取り外すことはできるものの、例えば、締結バンド６１９をパチンコ店独特のものを使用することにより、異なる締結バンドが締結されていれば、遊技盤４を取り外して何らかの不正行為を行われたことが容易に理解することができるものである。このように極めて簡単な取り外し防止機構により遊技盤４の本体枠３からの不正な取り外しを防止することができる。
【０１６７】
また、遊技盤４の外形形状は、その上部左右に前記扉枠５の裏面に設けられるスピーカ３４の後方突出部分を受け入れるようにスピーカ用切欠部６１２が形成され、また、ファール口６１０の側方斜め下に後述する満タンユニット９００の前方誘導通路９２０部分の一部が挿入される通路用切欠部６１３が形成されている。また、飾り枠６０１の下方左右には、証明確認用の証紙を貼付する証紙貼付部６１５が設けられている。
【０１６８】
一方、遊技盤４の裏面には、遊技領域６０５に設けられる各種の遊技装置（例えば、大入賞口装置や一般入賞口等の入賞口）に入賞した球を下流側に整列して誘導する入賞空間形成カバー体６２１が取り付けられており、その入賞空間形成カバー体６２１の裏面に遊技領域６０５のほぼ中央に配置される表示装置としての液晶表示器（図示しない）の表示を制御する表示装置制御基板が収納される表示制御基板ボックスとしての液晶表示制御基板ボックス６２２が取り付けられている。
【０１６９】
更に、遊技盤４の裏面には、入賞空間形成カバー体６２１の下方に盤用基板ホルダー６２３が固定されている。この盤用基板ホルダー６２３は、その前方に前記入賞空間形成カバー体６２１によって整列誘導された入賞球を集めるように空間部（この空間部は、前後方向の幅が入賞空間形成カバー体６２１の幅よりも比較的広いものとして形成されている。）が形成され、その空間部の底面に落下口６２９（図１０３参照）が形成されている。この落下口６２９は、前記アウト口６０６の後面部分で合流して後述する基板ユニット１１００に形成されるアウト球通路１１１９（図１５４参照）に連通するものである。また、盤用基板ホルダー６２３には、その裏面に遊技動作を制御する遊技制御基板を収納する遊技制御基板ボックス６２４と、後述する基板ユニット１１００に設けられる払出制御基板１１８６や電源基板１１４４（図１５４参照）等と接続するための中継端子板６２５と、が取り付けられている。中継端子板６２５には、遊技盤４を本体枠３に装着するだけで自動的に前記基板ユニット１１００に設けられるドロワコネクタ１２００，１２０２と接続されるドロワコネクタ６２６，６２７が設けられている。また、盤用基板ホルダー６２３には、ドロワコネクタ６２６，６２７の間から中継端子板６２５を貫通するように後方に向かって突出する接合案内突起６２８が形成されている。この接合案内突起６２８は、後に詳述するように遊技盤４を本体枠３に装着する作業を行ったときに、基板ユニット１１００側に設けられるドロワコネクタ１２００，１２０２と遊技盤４側に設けられるドロワコネクタ６２６，６２７とが自然に接続されるように基板ユニット１１００の枠用基板ホルダー１１０１に形成される接合案内孔１２１３に挿入される（図１５４参照）ものである。なお、これらドロワコネクタの接続については、後に詳述する。
【０１７０】
<打球発射装置>
打球発射装置６５０について図１１０乃至図１１５を参照して説明する。図１１０は、打球発射装置６５０の全体の斜視図（Ａ），発射モータ部分を取り外した状態の斜視図（Ｂ）であり、図１１１は、打球発射装置６５０の分解斜視図であり、図１１２は、打球発射装置６５０と発射レール５１５との関係を示す正面図（Ａ），発射モータ部分の斜視図（Ｂ）であり、図１１３は、操作ハンドル部４６１を操作していない状態における打球発射装置６５０と発射レール５１５との関係を示す背面図であり、図１１４は、操作ハンドル部４６１を操作している状態における打球発射装置６５０と発射レール５１５との関係を示す背面図であり、図１１５は、打球発射装置６５０に設けられるスライド部材７１０の平面図（Ａ），正面図（Ｂ），正面から見た斜視図（Ｃ），正面図（Ｂ）のＡ−Ａ断面図（Ｄ）である。
【０１７１】
打球発射装置６５０は、発射ベース枠６５１に打球槌６８７を回動自在に軸支すると共に、その打球槌６８７に往復回動を付与する発射モータ６９５を発射ベース枠６５１に取り付け、さらに打球槌６８７に復帰する付勢力を付与する付勢バネ６８４の付勢力を調節するスライド杆６７７及びスライド部材７１０が発射ベース枠６５１に設けられることにより構成される。
【０１７２】
より詳細に説明すると、図１１１に示すように、発射ベース枠６５１は、合成樹脂によって横長な長方形状に成型されるものであり、そのほぼ中心に打球槌６８７の軸受６８９が嵌合される軸受筒６５２が形成され、その上部及び側方に打球槌６８７の発射原点位置を規制するゴムストッパー部材６５３，６５４が取り付け固定されている。即ち、ゴムストッパー部材６５３，６５４は、打球槌６８７が付勢バネ６８４の付勢力により発射原点位置に戻ったときに打球槌６８７の衝撃を受け止めるものである。また、発射ベース枠６５１の後方（発射レール５１５の下方に対応する部位の反対側）の上方に横長細溝状のスライド案内孔６５５が形成され、そのスライド案内孔６５５の下方にスライド部材収納空間６５６が形成されている。スライド案内孔６５５は、後述するスライド杆６７７の後端上部に突設される案内係止片６７８が挿入されてスライド杆６７７のスライド移動を案内するものであり、スライド部材収納空間６５６には、スライド部材７１０が左右方向に移動可能に収納されるものである。なお、スライド杆６７７の前方部分のスライド案内は、スライド杆６７７の前方に形成される案内長孔６８０に止めネジ６８２によって発射ベース枠６５１に形成される止め穴６６２に止着される案内ブッシュ６８１を貫通させることにより行われる。また、スライド部材収納空間６５６の底面には、図１１２に示すように、長方形状の連結開口６６４が形成されている。
【０１７３】
また、発射ベース枠６５１の上辺の前方部分には、発射ベース枠６５１の本体に対して庇部が形成されており、前記軸受筒６５２の上方の庇部に作動片用開口６５７が穿設されている。この作動片用開口６５７には、前記扉枠５の皿ユニット３００の下流側の打球供給口２８８（図２３参照）に臨んで設けられている供給揺動片２８９（図２３参照）と当接する作動片６５８が作動片用開口６５７の開口縁の後方上部に突設されている取付部６６０に止めピン６５９によって揺動自在に設けられるものである。作動片６５８は、「て」字状に形成され、その上辺の後端部が止めピン６５９によって軸支され、その軸支部から下方の円弧部に打球槌６８７と一体的に回動するベース板６９０に突設される作動片当接部６９３と当接し、打球槌６８７の往復動作に連動して上辺部が供給揺動片２８９を揺動させ、供給揺動片２８９の揺動動作により打球供給口２８８から流出する打球を１個ずつ発射レール６１４の発射位置に供給するようになっている。
【０１７４】
更に、発射ベース枠６５１には、発射モータ６９５を内蔵するモータカバー６９４を止着するためのモータ取付ボス６６１が後方下部に２箇所と前方上部に１箇所の合計３箇所に突設されていると共に、前記スライド部材収納空間６５６の下部後方にスライド杆６７７をスライドさせるためにスライド部材７１０と連結される揺動片６７２の下端の軸穴６７３が挿入される揺動片用ボス６６３が突設されている。
【０１７５】
上記した発射ベース枠６５１には、打球発射装置６５０の剛性を高めるために金属プレート６６５がほぼ密着するように取り付けられている。このため、金属プレート６６５には、軸受筒６５２、下方のゴムストッパー部材６５３、スライド案内孔６５５、案内ブッシュ６８１、及び揺動片用ボス６６３にそれぞれ対応する貫通孔６６６，６６７，６６８，６６９，６７１が形成されていると共に、スライド部材７１０の連結凸部７１２が貫通する横長楕円状の貫通孔６７０も貫通されている。上記のように構成される金属プレート６６５は、スライド部材７１０をスライド部材収納空間６５６に収納した後、それぞれの貫通孔６６６〜６７１がそれに対応する部材６５２，６５３，６５５，６８１，７１２，６６３を貫通あるいは一致させるように発射ベース枠６５１に密着させてビス止めすることにより発射ベース枠６５１に固定されるものである。
【０１７６】
金属プレート６６５が取り付けられた発射ベース枠６５１の揺動片用ボス６６３の先端部分が貫通孔６７１から頭を出しているが、その頭の部分に揺動片６７２の軸穴６７３が挿通されて、揺動片６７２が下端を中心にして揺動自在に軸支される。揺動片６７２は、図１１１に示すように、縦長杆状に形成され、その下端に前記軸穴６７３が形成され、その中程にスライド部材７１０の連結凸部７１２が挿入されるやや縦長穴形状の連結穴６７４が形成されている。そして、その連結穴６７４より上方の前方面がスライド杆６７７の一端（後端）と当接する当接部６７５となっている。しかして、揺動片６７２を揺動片用ボス６６３に挿通し、且つ貫通孔６７０から頭を出しているスライド部材７１０の連結凸部７１２に連結穴６７４を挿入してワッシャ付きピン６７６を連結凸部７１２に止着することにより、揺動片６７２が発射ベース枠６５１に取り付けられる。そして、取り付けられた揺動片６７２は、スライド部材７１０のスライドに伴って下端を中心にしてその上方部分が揺動するようになっている。
【０１７７】
また、金属プレート６６５の上部前面には、横長杆状のスライド杆６７７が左右方向にスライド可能に取り付けられる。即ち、スライド杆６７７の後方上部に突設されるＬ字状の案内係止片６７８を金属プレート６６５の貫通孔６６８に貫通係合させ、スライド杆６７７の前方に形成される案内長孔６８０に止めネジ６８２を有する案内ブッシュ６８１を貫通させて止めネジ６８２を止め穴６６２に止着する。上記した案内係止片６７８と貫通孔６６８、及び案内長孔６８０と案内ブッシュ６８１とにより、スライド杆６７７が金属プレート６６５を介して発射ベース枠６５１にスライド可能に装着される。また、スライド杆６７７には、その一端（後端）に上述した揺動片６７２の当接部６７５と当接する被当接部６７９が形成され、その他端（前端）に付勢バネ６８４の一端の係止輪６８５を掛け止めるためのバネ係止部６８３が突設されている。
【０１７８】
金属プレート６６５が取り付けられた発射ベース枠６５１の軸受筒６５２が貫通孔６６６から突出しているが、その軸受筒６５２には、打球槌６８７の軸受６８９が抜け落ちないように嵌合されている。軸受６８９の軸には、打球槌６８７の下端部が固着されると共に同時にベース板６９０が固着される。ベース板６９０には、その前方裏面側に前記作動片６５８と当接する作動片当接部６９３が突設され、その前方前面に付勢バネ６８４の他端の係止輪６８６を掛け止めるためのバネ係止部６９２が突設され、さらにその後方前面に発射モータ６９５のモータカム６９７と係脱するモータ当接突片６９１が突設されている。打球槌６８７の上端には、合成樹脂製の槌先６８８が固着されており、この槌先６８８が発射レール５１５の下端部とその上方に固着される発射位置ストッパー７０２とによって形成される発射位置に突入するように臨んでいる。
【０１７９】
一方、発射ベース枠６５１の前述したモータ取付ボス６６１には、モータカバー６９４に収納された発射モータ６９５が取り付けられる。より具体的には、図１１２（Ｂ）に示すように、モータカバー６９４は、内部に発射モータ６９５を収納するように形成された円筒部と、該円筒部の前方に拡大して前記モータ取付ボス６６１に取り付けるための取付固定穴６９９が形成される取付部と、が一体的に形成され、円筒部の内部に収納される発射モータ６９５のモータ軸６９６の先端に逆回転防止カム６９８とモータカム６９７とが固定されている。逆回転防止カム６９８の外周には、多数の逆歯が形成されており、ストッパー片取付ボス７０１に揺動自在に固定されるストッパー片７００（図１１３参照）と係合して発射モータ６９５の逆方向の回転を防止している。これは、モータカム６９７が逆方向に回転してモータカム６９７とモータ当接突片６９１とが噛み合って打球発射装置６５０が駆動できなくなる故障が発生しないように防止するためである。また、モータカム６９７は、勾玉状に形成されており、発射モータ６９５の回転に伴いモータ当接突片６９１と係脱しながら打球槌６８７を往復動作させる。なお、モータカバー６９４をモータ取付ボス３１３に取り付けたときには、図１１０（Ａ）に示すように、打球発射装置６５０の主たる構成が後面から見て被覆されたような状態となっている。
【０１８０】
ところで、前述したスライド部材収納空間６５６に収納されてスライド移動するスライド部材７１０は、図１１５に示すように、後方が開放した直方体状に形成され、その前面に楕円形状の楕円凸部７１１が突設され、さらに該楕円凸部７１１の後方位置に円形状の連結凸部７１２が突設されている。また、上面及び下面には、スライド部材収納空間６５６内をスライドし易いように断面円弧状のスライド用当接突部７１３がその両端に突設されている。一方、直方体状に形成されるスライド部材７１０の空間は、前記扉枠５の裏面下部に設けられるジョイントユニット４８０のスライド突片４９２が挿入される挿入空間７１４となっている。しかして、この挿入空間７１４は、スライド方向前方の側壁手前側に第１傾斜面７１５が形成されると共に、その第１傾斜面７１５のやや後方寄りに上面及び下面の内側から内部に向かって突設され且つ相互の先端間に所定の間隔が形成される挟持片７１６が形成されている。挟持片７１６の手前側にも奥に向かって側方視でハ字状に傾斜する第２傾斜面７１７も形成されている。しかして、スライド突片４９２が挿入空間７１４に挿入された状態では、図１１５（Ｂ）に示すように、スライド突片４９２の傾斜辺４９３側の一端辺がスライド方向前方の側壁に当接した状態で且つ上下の挟持片７１６の間に挿入された状態となっている。なお、スライド部材７１０の挿入空間７１４の側方に空間部７１８が形成されているが、この空間部７１８は、特に機能を奏しているわけではない。
【０１８１】
しかして、上記のように構成されるスライド部材７１０は、スライド部材収納空間６５６に収納された状態で、図１１２（Ａ）に示すように、スライド部材収納空間６５６の底面に形成される楕円形状の連結開口６６４に挿入空間７１４が臨むように形成されていると共に、スライド部材７１０がスライド部材収納空間６５６の一方の空間内壁に当接した状態（図１１２（Ａ）では左の空間内壁に当接しているように図示されているが、通常の状態では右の空間内壁に当接した状態となっている。）となっている。
【０１８２】
そこで、まず、スライド部材７１０と打球発射装置６５０の付勢バネ６８４の強弱を調整する関係について説明すると、スライド部材７１０がスライド部材収納空間６５６の内部の初期位置（図１１２（Ａ）において右の空間内壁に当接した位置）にあるときには、図１１３に示すように、該スライド部材７１０の連結凸部７１２に連結された揺動片６７２がほぼ垂直状態となっている。このため、揺動片６７２と当接しているスライド杆６７７も付勢バネ６８４の付勢力により一方向（図１１３において左側方向）に付勢された状態で揺動片６７２の当接部６７５とスライド杆６７７の被当接部６７９とが当接した状態となっている。この状態では、付勢バネ６８４が張力されていないので、打球槌６８７が発射モータ６９５の回転に従動して往復回動しても、打球槌６８７の復帰力も弱く、発射位置にある打球が弾発されても遊技盤４の遊技領域６０５に到達することはない。
【０１８３】
一方、スライド部材収納空間６５６の内部をスライド部材７１０が初期位置から他方方向に移動したとき（図１１２（Ａ）において左の空間内壁方向に向かって移動したとき）、図１１４に示すように、揺動片６７２が下端の軸穴６７３を軸として揺動して傾動するため、当接部６７５と被当接部６７９との当接によりスライド杆６７７が他方向（図１１４において右側方向）に向かってスライド移動する。すると、スライド杆６７７のバネ係止部６８３に係止されている付勢バネ６８４も張力されて伸びた状態となる。この状態では、付勢バネ６８４が張力されているので、打球槌６８７が発射モータ６９５の回転に従動して往復回動したときの打球槌６８７の復帰力が強くなり、発射位置にある打球が強く弾発されて遊技盤４の遊技領域６０５に到達する。そして、この打球の弾発力の強弱は、スライド部材７１０のスライド部材収納空間６５６内でのスライド量に応じて調整することができる。
【０１８４】
上記したように、スライド部材７１０を移動させることにより、打球発射装置６５０による弾発力を調整することができるが、このスライド部材７１０の移動は、前述したハンドル装置４６０の操作ハンドル部４６１の回動操作部材４６４の回動操作に応じて移動するジョイントユニット４８０のスライド体４８３の移動と連動するようになっている。この点について図８８、図８９、図９３、図９４を参照して説明する。
【０１８５】
前述したように、ハンドル装置４６０の操作ハンドル部４６１の回動操作部材４６４を回転させることにより、回転軸４６５の先端に固着される勾玉状のカム４６６も回転するため、ジョイントユニット４８０のスライド体４８３が収納体４８１の内部を一方向（図９４において左方向）に向かってスライド移動する。このため、スライド体４８３の前面に突設されるスライド突片４９２も同じ方向にスライド移動することになる。スライド体４８３のスライド突片４９２は、扉枠５を本体枠３に対して閉じた状態では、本体枠５の発射装置取付部５２０に形成される連結開口６６４を貫通してスライド部材７１０の挿入空間７１４に挿入されるようになっている。この場合の挿入状態は、前述したようにスライド突片４９２の傾斜辺４９３側の一端辺がスライド方向前方の側壁に当接した状態で且つ上下の挟持片７１６の間に挿入された状態である（図９４（Ａ）に示す状態）。したがって、スライド突片４９２が一方向に向かってスライド移動すると、スライド部材７１０も同一方向に向かってスライド移動することになる。図面で言えば、図９４（Ａ）に示す状態から図９４（Ｂ）に示す状態になる。このとき、前述したように、スライド部材７１０のスライド移動に伴ってスライド杆６７７もスライド移動するので、付勢バネ６８４の付勢力を調整することができる。つまり、ハンドル装置４６０の回動操作部材４６４を回動操作することにより、打球発射装置６５０の打球の弾発力を調整することができるものである。
【０１８６】
ところで、本実施形態においては、ハンドル装置４６０が扉枠５に設けられ、打球発射装置６５０が本体枠３に設けられているので、扉枠５を開閉する毎にハンドル装置４６０のスライド突片４９２と打球発射装置６５０のスライド部材７１０とが連携したり離れたりすることになる。しかし、本実施形態においては、上述したように、本体枠３に対して扉枠５を閉じることにより、スライド突片４９２がスライド部材７１０の挿入空間７１４に自動的に挿入されてハンドル装置４６０と打球発射装置６５０とが連携され、逆に、本体枠３に対して扉枠５を開放することにより、スライド突片４９２が挿入空間７１４から離れてハンドル装置４６０と打球発射装置６５０とを分離することができるので、極めて簡単に扉枠５の開閉に伴ってハンドル装置４６０と打球発射装置６５０との連携・分離を行うことができる。特に、スライド突片４９２が挿入空間７１４に挿入される際には、スライド突片４９２の位置が上下方向に多少ずれていても、挿入空間７１４内に突設される挟持片７１６の第２傾斜面７１７によってスライド突片４９２がスムーズに挟持位置に挿入されるようになっている。
【０１８７】
また、時として、操作ハンドル部４６１の回動操作部材４６４に遊技者が詰め物を詰めてある程度回動した位置で固定している場合があるが、遊技場の店員がその詰め物を知らずに扉枠５を開閉する場合がある。このような場合でも、扉枠５を開放する場合には、単にスライド突片４９２が挿入空間７１４から離れるだけであるので問題はないが、扉枠５を閉める場合に、図９４（Ｃ）に示すように、スライド突片４９２の位置が多少一方向にずれた状態（図９４の左側にずれた状態）となっているものの、スライド突片４９２の傾斜辺４９３とスライド部材７１０の第１傾斜面７１５との協働作用により、扉枠５の閉止動作に伴ってスライド部材７１０を一方向に移動させながら最終的にスライド突片４９２とスライド部材７１０とが係合するようになっている。つまり、本実施形態においては、操作ハンドル部４６１の回動操作部材４６４がどのような回動位置で固定されていても、操作ハンドル装置４６０と打球発射装置６５０との連携を行うことができるものである。
【０１８８】
<賞球タンク>
次に、本体枠３の裏面上部に取り付けられる賞球タンク７２０について、主として図１１６を参照して説明する。図１１６は、賞球タンク７２０の斜視図（Ａ）、平面図（Ｂ）、側面図（Ｃ）である。賞球タンク７２０は、前述したように、本体枠３の裏面上部に形成されるタンク取付溝５５０（図９８参照）に着脱自在に取り付けられるものである。しかして、賞球タンク７２０は、長方形状の箱状に形成され、パチンコ遊技機１の正面側から見て、その前面壁７２１に切欠部７２９が形成され、その底面が上流側壁７２４から下流側壁７２３に向かって傾斜する第１傾斜底面７２６と前面壁７２１から次に説明する排出口７３０に向かって傾斜する第２傾斜底面７２７とによって貯留部７２８が形成されている。また、その第２傾斜底面７２７の傾斜下端に排出口７３０が形成されるが、この排出口７３０は、パチンコ遊技機１の正面側から見て賞球タンク７２０の後面壁７２２よりも外側に突出するように下流側壁７２３と後面壁７２２とをコ字状に連結する排出口突出壁７２５に囲まれるように形成されている。また、賞球タンク７２０の前面壁７２１の両端外側には、前記タンク取付溝５５０と係合する取付鍔部７３３が形成されていると共に、賞球タンク７２０の底面の裏面側に本体枠３の前記第４側面壁５４３に載置当接する載置当接片７３１，７３２が突設され、さらに、賞球タンク７２０の上流側の後面壁７２２の下部に後述する球ならし部材７４４を取り付けるための球ならし取付軸７３５が突設されている。また、排出口７３０を除く賞球タンク７２０の後面壁７２２及び上流側壁７２４には、球の跳ね飛びを防止するための溢れ防止部材７３４が着脱自在に取り付けられるようになっている。
【０１８９】
上記のように構成される賞球タンク７２０においては、本体枠３のタンク取付溝５５０に対して取付鍔部７３３を上方から差し込むように取り付け、載置当接片７３１，７３２を本体枠３の第４側面壁５４３に当接させる。これによって、賞球タンク７２０が本体枠３の裏面側上部に載置して取り付けられるが、この取り付けられた状態においては、図１０２に示すように、前面壁７２１の切欠部７２９を介して貯留部７２８と本体枠３の裏面に形成された逃げ凹部５５１とが連通し、また、図５に示すように、排出口７３０が次に説明するタンクレール部材７４０の上流端部に臨むようになっている。したがって、賞球タンク７２０において、球を貯留する貯留部７２８（第１傾斜底面７２６及び第２傾斜底面７２７に対応する貯留空間部分）の前後方向の幅は、本体枠３の第２側面壁５４１〜第４側面壁５４３までの前後方向の幅とほぼ同じとなるように形成されると共に、それらの側面壁５４１〜５４３までの上部に載置されるようになっている。しかして、前述したように、本体枠３の第１側面壁５４０〜第４側面壁５４３は、遊技盤４の周辺部の後方突出空間を覆うように深く形成されているので、その側面壁５４１〜５４３の上部に載置される賞球タンク７２０の貯留部の深さは、従来の貯留タンクにくらべて浅く形成されているものの、賞球が貯留されて重量が増加しても賞球タンク７２０の全体を本体枠３の側面壁５４２〜５４３で支持しているので、傾斜底面７２６，７２７が変形することなく貯留された球をスムーズに排出口７３０に導くことができる。また、排出口７３０が賞球タンク７２０の後面壁７２２から外側に外れた位置に設けられているため、貯留部７２８に貯留された球の流れが第２傾斜底面７２７から外側に向かって流れるように構成されている。このため、従来のように傾斜底面の一部に開口を設けて排出口としていた賞球タンクに比べて、排出口近傍の貯留部に球詰まり解消のための球崩し突部を突出形成することなく球詰まりが発生し難い構造とすることができる。
【０１９０】
そして、本実施形態においては、前述したように、遊技装置の後方突出部を収納する後側面壁５４１〜５４３の上部外側に賞球タンク７２０の貯留部が載置された状態で、しかも、賞球タンク７２０の排出口７３０が貯留部の後面壁７２２よりも外側に突出して設けられているため、タンクレール部材７４０が賞球タンク７２０の貯留部の外側（パチンコ遊技機１の正面から見て奥側）に位置して、タンクレール部材７４０と賞球タンク７２０の貯留部７２８とが上下方向に重複しない位置となっているので、遊技盤４の裏面に設けられる遊技装置の後方突出部を収納する後側面壁５４１〜５４３の上辺を本体枠３の上辺に近い位置で後方に向って突出させることができ、これにより、遊技装置の後方突出部が遊技盤４の上辺部で突出していても後側面壁５４１〜５４３の内部に楽に収納することができる。
【０１９１】
更に、賞球タンク７２０の貯留部７２８が遊技装置の後方突出部を収納する後側面壁５４１〜５４３の上部外側に載置されているか否かに関係なく、排出口７３０が賞球タンク７２０の後面壁７２２から外側に外れた位置に設けられているという構成だけで従来の賞球タンクにはない独特の効果を奏するものである。これについて図１１７を参考にして説明する。図１１７は、従来の賞球タンク（Ａ），（Ｂ）と本実施形態に係る賞球タンク（Ｃ）との排出口部分における球の圧力状態を示す平面図である。図において、通常時、賞球タンク７２０に貯留される球は、賞球タンク７２０の貯留部に貯留されて滞留した状態となっている。この場合、従来の賞球タンクのように貯留部の傾斜底面の一部を開口して排出口７３０Ａを形成している場合、例えば、図１１７（Ａ）に示すように、球崩し突部７３６Ａと反対側に排出口７３０Ａが形成された賞球タンクや、図１１７（Ｂ）に示すように、球崩し突部７３６Ｂに隣接して排出口７３０Ｂが形成されている場合には、排出口７３０Ａ，７３０Ｂの部分では、貯留された球の圧力とその圧力に基づく賞球タンクの側壁からの反作用により、常に排出口７３０Ａ，７３０Ｂ部分に四方から球圧がかかった状態となっている。このため、たまたま球の重合具合によって球同士の圧力が釣り合い、下流側の球が流れ出ても、排出口７３０Ａ，７３０Ｂ部分で球噛み状態が発生し球詰まりが発生することがあった。これに対し、本実施形態に係る賞球タンク７２０では、排出口７３０が賞球タンク７２０の後面壁７２２から外側に外れた位置に設けられているので、図１１７（Ｃ）に示すように、排出口７３０部分における貯留された球の圧力は、貯留部から排出口７３０方向に向かう作用力とその反作用だけの二方向からの圧力であり、従来のように四方から圧力を受けるわけではない。このため、下流側の球が流れ出ても、排出口７３０部分における球噛み状態が発生し難く、球詰まりが発生しないという優れた効果を奏することができる。
【０１９２】
<タンクレール部材>
上記した賞球タンク７２０の下方に配置されるタンクレール部材７４０について主として図１１８乃至図１２０を参照して説明する。図１１８は、賞球タンク７２０、タンクレール部材７４０、球通路ユニット７７０、賞球ユニット８００、及び満タンユニット９００の関係を示すパチンコ遊技機１の背面側から見た斜視図であり、図１１９は、賞球タンク７２０、タンクレール部材７４０、球通路ユニット７７０、賞球ユニット８００、及び満タンユニット９００の関係を示すパチンコ遊技機１の正面側から見た斜視図であり、図１２０は、タンクレール部材７４０の下流部と球通路ユニット７７０の上流部との関係を示す断面図（Ａ）と平面図（Ｂ）である。
【０１９３】
タンクレール部材７４０は、前述したように、本体枠３の上後面壁５４５のレール係止溝５５３，５５４（図９８参照）に着脱自在に取り付けられるものである。そのため、タンクレール部材７４０には、その後面側の側面の左右辺及び下辺にレール係止溝５５３に上から差し込まれる複数の係止突片７４９が突設されると共に、その後面側側面の上辺中央にレール係止溝５５４に上から掛け止められる鉤状の係止突片７５０が突設されている。しかして、タンクレール部材７４０は、上面が開放した傾斜樋状に形成され、その上流端上面が賞球タンク７２０の排出口７３０に臨み、その下流端下面が後に詳述する球通路ユニット７７０に臨んでいる。また、タンクレール部材７４０の内部は、図５に示すように仕切壁７４１によって球が２列に整列して流下する通路７４２となっている。なお、通路７４２の底面は、細溝が切り欠けられており、通路７４２を球と一緒に転動する異物がその細溝から下方に落下するようになっている。また、通路７４２の側壁には、静電気を除去するための金属板（図示しない）が貼付されており、この金属板の下流端が前述したアース線接続具５５７（図９６参照）に接続されている。このため、タンクレール部材７４０を流下する球に帯電していた静電気が金属板からアース線接続具５５７を介して後述する電源基板１１４４のアース用コネクタ１１４８（図１５９参照）を経て外部にアースされるようになっている。
【０１９４】
また、タンクレール部材７４０の中流域のやや下流側に重錘を有する卵形状の球ならし部材７４４が揺動自在に設けられている。この球ならし部材７４４は、前述した賞球タンク７２０の球ならし取付軸７３５に揺動自在に軸支されるものであり、タンクレール部材７４０の２列のそれぞれの通路７４２内に向かって垂下され、各通路７４２を流下する球が上下方向に複数段で流下してきたときに１段となるように整流するものである。また、球ならし部材７４４の設置位置より下流側のタンクレール部材７４０の上面が球押え板７４５によって被覆されている。この球押え板７４５は、球ならし部材７４４によって１段とならなかった球を強制的に１段とするように傾斜円弧状に形成されるものである。更に、タンクレール部材７４０の下流端部には、それぞれの通路７４２に臨んで一対の整列歯車７４７が軸ピン７４８によって回転自在に軸支されている。この整列歯車７４７は、外周に複数の歯が形成され、一対の整列歯車７４７の歯のピッチが半ピッチずつずれるようにして軸ピン７４８に固定されている。このため、タンクレール部材７４０の各通路７４２を流下してきた球の上部が整列歯車７４７の歯と噛み合いながら下流側に流下するときに２列の通路７４２の球が交互に１つずつ送られることになる。この場合、図１２０に示すように、各通路７４２を流れてきた球は、整列歯車７４７と噛み合いながら２列の通路７４２の下部に形成される傾斜面７４３に沿って中央方向に誘導され、その誘導中に次に説明する球通路ユニット７７０の球落下通路７７２の上端入口７７３に２列の通路７４２からの球を交互に一列状にして落下するようになっている。なお、整列歯車７４７は、その上面を円弧状の歯車カバー７４６によって被覆されている。
【０１９５】
<球通路ユニット>
上記したタンクレール部材７４０から一列状に落下される球を賞球ユニット８００に導くための球通路ユニット７７０について、主として図１２１乃至図１２５を参照して説明する。図１２１は、本体枠３と球通路ユニット７７０及び賞球ユニット８００との関係を示す分解斜視図であり、図１２２は、球通路ユニット７７０及び賞球ユニット８００との関係を示す背面図であり、図１２３は、球通路ユニット７７０の背面から見た斜視図であり、図１２４は、球通路ユニット７７０の正面図であり、図１２５は、球通路ユニット７７０と賞球ユニット８００との連結構造を説明するための側面図である。なお、図１２２及び図１２３において、賞球ユニット８００部分は、ギヤカバー８６６、アルミ放熱板８４１、ユニットサブ板８２５が削除され、ユニットベース体８０１に形成された球通路部分をわかりやすく描いたものである。ただし、ギヤ等については、球通路との関係を理解し易くするため、一点鎖線で示してある。
【０１９６】
球通路ユニット７７０は、ほぼ長方形状の板材の裏面（背面から見える面を表面という。）に屈曲した一対の屈曲通路壁７７１によって球落下通路７７２が形成されている。この球落下通路７７２は、図１２０（Ａ）に示すように、その上流が前後方向（背面から見て奥行方向）に屈曲する前後屈曲通路部７７２ａと、該前後屈曲通路部７７２ａに連通して左右方向（背面から見て左右方向）に屈曲する左右屈曲通路部７７２ｂと、該左右屈曲通路部７７２ｂに連通してほぼ垂直状となっている垂直通路部７７２ｃとからなっている。前後屈曲通路部７７２ａは、図１２０（Ａ）に示すように、上述したタンクレール部材７４０から落下する上端入口７７３の位置が前述したように２列の通路７４２のほぼ中央であるため、本体枠３の上後面壁５４５及び軸支側後面壁５４６の表面から背面側に離れた位置となっているので、前後屈曲通路部７７２ａと軸支側後面壁５４６に突設される前記賞球案内突起５６１とによって球落下通路７７２を軸支側後面壁５４６の表面に近い位置とするように前後方向に屈曲するものである。また、左右屈曲通路部７７２ｂは、図１２４に示すように、タンクレール部材７４０から前後屈曲通路部７７２ａを落下してきた球の勢いを弱めるために球通路ユニット７７０のほぼ横幅一杯にコ字状に屈曲して形成されるものである。更に、垂直通路部７７２ｃもほぼ垂直状に形成されているものの若干緩やかに湾曲して形成され、その垂直通路部７７２ｃを構成する一方の屈曲通路壁７７１に切欠部７７５が形成され、その切欠部７７５に上端が支軸７７７によって軸支される球切れ検出片７７６が揺動自在に取り付けられている。この球切れ検出片７７６の側方には、球切れスイッチ７７８が取り付けられ、球切れスイッチ７７８のアクチュエータ７７９が球切れ検出片７７６に当接している。球切れ検出片７７６及び球切れスイッチ７７８によって垂直通路部７７２ｃでの球切れを検出する球切れ検出機構が構成されている。
【０１９７】
しかして、垂直通路部７７２ｃに球が存在しているときには、垂直通路部７７２ｃに存在する球によって球切れ検出片７７６が押圧されてアクチュエータ７７９を押して球切れスイッチ７７８をＯＮとするが、垂直通路部７７２ｃに球詰まりや球欠乏により球が存在しなくなると球切れ検出片７７６が垂直通路部７７２ｃ内に向かって揺動するので、アクチュエータ７７９が球切れスイッチ７７８をＯＦＦとする。球切れスイッチ７７８がＯＦＦになると、後述する賞球ユニット８００の払出モータ８１５の回転が停止して賞球の払出が停止されるようになっている。なお、切欠部７７５の下端部には、球切れ検出片７７６の通路部と反対側への過剰な揺動を防止するためにストッパー突起７８０が形成されており、また、球通路ユニット７７０の球切れ検出片７７６に対応する垂直通路部７７２ｃに球詰まり用挿入溝７８１が形成されている。この球詰まり用挿入溝７８１は、球詰まり等で球切れ検出片７７６の揺動動作が行われ難い場合に、球通路ユニット７７０の後面側からピンを差し込んで球切れ検出片７７６部分の球詰まりの解消を図るために設けられるものである。更に、球切れ検出片７７６に対面する他方の屈曲通路壁７７１は、若干球切れ検出片７７６側に向かって膨出状に形成されている。これは、垂直通路部７７２ｃに球が存在しているときに確実に球切れ検出片７７６を押圧して球切れスイッチ７７８をＯＮにするためである。
【０１９８】
また、球通路ユニット７７０には、上記した球落下通路７７２を避けた位置に止め穴７８２と位置決めボス７８３とが形成されている。位置決めボス７８３は、本体枠３の軸支側後面壁５４６に形成される位置決めピン５７４に係合されるものであり、止め穴７８２は同じく軸支側後面壁５４６に形成される通路ユニット取付ボス５６２に対応するものである。しかして、球通路ユニット７７０を本体枠３に取り付けるには、図１２１に示すように、位置決めボス７８３を位置決めピン５７４に係合させながら通路ユニット取付ボス５６２と止め穴７８２とを一致させ、その状態で止め穴７８２からビス７８４を螺着することにより行うことができる。更に、球通路ユニット７７０には、その一側中程にカバー体１２５０の係合片１２７２（図１６５参照）と係合するカバー体係合溝７８５が形成されていると共に、下部に賞球ユニット８００と連結するための連結蓋部材７８６が回動自在に設けられている。
【０１９９】
連結蓋部材７８６は、図１２３に示すように、長方形状の板材の裏面に円弧状に突設される一対の通路壁７９０を突設することにより構成されており、球通路ユニット７７０の下部表面の左右両端部に突設される軸支部としての支持突片７８７に、連結蓋部材７８６の両端部から延びる支持片７８８の先端に突設される回転軸部としての突起軸７８９を嵌合することにより回動自在に軸支されるものである。また、連結蓋部材７８６は、閉じることにより球通路ユニット７７０の下方に延長されて通路壁７９０によって形成される通路と球落下通路７７２の下流端部とが連通した状態（図１２５（Ｂ）に示す状態）と、開放することにより通路壁７９０によって形成される通路と球落下通路７７２の下流端部とが連通しない状態（図１２５（Ａ）に示す状態）と、に回動し得るが、開放した状態から閉じた状態に移行する際に、連結蓋部材７８６の支持片７８８を案内する案内突起７９１が球通路ユニット７７０の後面下端部に突設されている。
【０２００】
しかして、球通路ユニット７７０を本体枠３の軸支側後面壁５４６に固定した状態で、しかも、後述するように賞球ユニット８００を同じく軸支側後面壁５４６に装着した状態（図１２５（Ａ）に示す状態）で、連結蓋部材７８６を閉じて賞球ユニット８００に設けられる係止弾性爪８２０によってその後面を係止することにより、球通路ユニット７７０の球落下通路７７２と賞球ユニット８００の屈曲通路８０３とを通路壁７９０にて連通して、球通路ユニット７７０の球落下通路７７２を落下する球を賞球ユニット８００の屈曲通路８０３に導くことができるものである。このように球通路ユニット７７０に回動自在な連結蓋部材７８６を設けた理由は、後述するように賞球ユニット８００を本体枠３に対して着脱自在に装着し易くすることと、その着脱自在に装着したことに起因して球通路ユニット７７０と賞球ユニット８００との間に形成される空間が球のスムーズな落下を阻害しないようにするためである。
【０２０１】
また、球通路ユニット７７０に突設される一対の屈曲通路壁７７１の間に本体枠３の軸支側後面壁５４６にその突出高さが下流側に向かって徐々に低くなるように突設される賞球案内突起５６１を挿入することで、球落下通路７７２の上端入口７７３がタンクレール部材７４０の２列の通路７４２のほぼ中央下部に位置するように、球落下通路７７２の上流部を背面からみて前後方向に屈曲する前後屈曲通路部７７２ａとして形成する。これにより、一対の整列歯車７４７によって２列で流下する球を交互に１個ずつ賞球ユニット８００側に送り出す構成において、球落下通路７７２を通して球を１個ずつスムーズに賞球ユニット８００に送り出すことができる。また、この構成によれば、複数の部材の組立体から球落下通路７７２を構成する必要がないため、球落下通路７７２を構成する部品点数を削減することができると共に、球落下通路７７２の組み付け作業性を向上することができる。
【０２０２】
また、タンクレール部材７４０から前後屈曲通路部７７２ａを落下してきた球は、左右屈曲通路部７７２ｂを通過することでその勢いを弱め、その後、垂直通路部７７２ｃを通って賞球ユニット８００に送られる。また、勢いが弱められた状態で球が送り込まれる垂直通路部７７２ｃには、球切れを検出するための球切れ検出機構（球切れ検出片７７６及び球切れスイッチ７７８）が設けられる。これにより、球落下通路７７２での球切れ、言い換えれば賞球ユニット８００に供給する球が切れたこと（球切れ）を確実に検出することができる。
【０２０３】
<賞球ユニット>
次に、上記した球通路ユニット７７０の下流側に配置される賞球ユニット８００について、主として図１２６乃至図１２９を参照して説明する。図１２６は、賞球ユニット８００の背面側から見た分解斜視図であり、図１２７は、払出モータ８１５と払出部材としてのスプロケット８０７との関係を説明するための背面図であり、図１２８は、賞球ユニット８００の通路と駆動関係を説明するための背面図であり、図１２９は、図１２８のＡ−Ａ断面図である。
【０２０４】
図１２６において、賞球ユニット８００は、一対の屈曲通路壁８０２によって球通路を構成する屈曲通路８０３、賞球通路８１０、及び球抜通路８１１が形成されるユニットベース体８０１と、該ユニットベース体８０１の後面を覆うユニットサブ板８２５と、該ユニットサブ板８２５の上部表面（後面側）に取り付けられる中継基板８３０と、前記ユニットサブ板８２５のほぼ中央表面領域（後面側領域）に設けられるギヤ群８４３，８４４，８４７及び検出円盤８５０（回転伝達部材）を被覆するギヤカバー８６６とから構成されている。以下、これらの構成を順次説明する。
【０２０５】
ユニットベース体８０１は、ほぼ長方形状の板状（この板部分を「底面」という場合がある。）に形成され、その板状のユニットサブ板８２５側に向かって突設される一対の屈曲通路壁８０２によって屈曲通路８０３が形成されている。屈曲通路壁８０２は、ユニットベース体８０１の上部中央から下流側のほぼ中程まで球の直径よりもやや大きな間隔で突設されるが、その中程から下流側に大きく左右に分かれて中程から下流端までユニットベース体８０１の両端辺の側壁を兼ねている。また、中程の屈曲通路壁８０２が大きく左右に分かれた部分は、球送り回転体としてのスプロケット８０７が配置される振分空間８０５を構成し、その振分空間８０５の下部からユニットベース体８０１の下流端までに左右に分かれた前記屈曲通路壁８０２の対をなすように通路区画壁８０９が突設形成されている。つまり、中程から下流側の左右の屈曲通路壁８０２と通路区画壁８０９とによって振分空間８０５から左右に２つの通路が構成されることなり、一方の通路が賞球通路８１０を構成し、他方の通路が球抜通路８１１を構成している。なお、通路区画壁８０９も左右に大きく分かれており、その分かれた通路区画壁８０９の内側に払出モータ８１５を収納するモータ収納空間８１４が形成されている。即ち、払出モータ８１５は、球通路（屈曲通路８０３、賞球通路８１０、球抜通路８１１）を避けた位置であって当該球通路の奥行き幅寸法内に形成されるモータ収納空間８１４に収納固定される。なお、屈曲通路８０３は、該通路８０３内に停留する球のスプロケット８０７への圧力を弱めるために蛇行状に形成されて振分空間８０５に到達しているが、その振分空間８０５の上流側の底面に楕円形状の開口８０４が形成されている。この開口８０４は、屈曲通路８０３内に入った小さなゴミ等を貯留するもので、賞球ユニット８００を本体枠３から取り外したときに溜まったゴミ等を取り出すことができるようになっている。
【０２０６】
また、上記した振分空間８０５には、外周に球が嵌り合う複数（図示の場合は、３つ）の凹部が形成された払出部材としてのスプロケット８０７が回転自在に配置されるが、このスプロケット８０７が固定される回転軸８０８の他端を軸支する軸受筒８０６が振分空間８０５の底面に形成されている。また、振分空間８０５の底部を構成する通路区画壁８０９の上端部は、スプロケット８０７の回転円弧に沿った凹円弧状に形成され、その一方に形成される賞球通路８１０の上流部には、払出球検出センサ８１２が着脱自在に装着されている。払出球検出センサ８１２は、先端部に球が通過する円形状の通過穴が形成された直方体状の磁気センサからなり、その後端部の形状と合致するスイッチ嵌合凹部８６５を屈曲通路壁８０２で形成することにより、簡単に着脱自在に取り付けられるものである。なお、払出球検出センサ８１２からの配線（図示しない）は、後述する中継基板８３０に接続されるようになっている。更に、賞球通路８１０を構成する屈曲通路壁８０２の下流側には、ユニットサブ板８２５と一体的に形成される通路蓋板部８５９に形成される係止部８６０と係合する係止爪８１３が複数形成されている。ただし、複数の係止爪８１３のうち、通路蓋板部８５９の下端の一方の係止部８６０と係合する係止爪８１３は、通路区画壁８０９側に形成されている。
【０２０７】
また、ユニットベース体８０１の下方であって賞球通路８１０と球抜通路８１１との間には、払出モータ８１５を収納する円形状のモータ収納空間８１４が形成されるが、このモータ収納空間８１４の内部に払出モータ８１５の円筒状本体が収納されるようになっている。ただし、払出モータ８１５は、その前面に形成される一対の取付片８１６によってユニットサブ板８２５の下方に取り付けられるアルミ放熱板８４１の裏面側にビス８１７で固着されるようになっている。そして、払出モータ８１５がユニットサブ板８２５のアルミ放熱板８４１に取り付けられた状態で、払出モータ８１５のモータ軸８１８は、アルミ放熱板８４１に穿設された軸挿通穴８４２を貫通して第１ギヤ８４３が固着されるようになっている。また、ユニットサブ板８２５及びアルミ放熱板８４１でユニットベース体８０１の後面側を被覆することにより、上記した屈曲通路８０３、賞球通路８１０、及び球抜通路８１１が形成される奥行幅方向の空間内に払出モータ８１５の円筒状本体部分も収納配置されることになる。そして、払出モータ８１５を収納するモータ収納空間８１４と前述したスプロケット８０７が配置される振分空間８０５とが、上下方向の極めて近い位置関係に形成されているため、ユニットベース体８０１の上下方向の長さを短くすることができ、結果的に賞球ユニット８００のコンパクト化を図ることができる。
【０２０８】
更に、ユニットベース体８０１には、上記した球抜通路８１１の最下端に球抜きされた球を賞球ユニット８００の裏面側に誘導する誘導突片８１９が突設され、この誘導突片８１９に誘導された球が後述する球抜接続通路８８０に誘導されて最終的にパチンコ遊技機１の外部（島台の下方に設けられる回収樋）に放出されるようになっている。また、ユニットベース体８０１の上部には、前述した球通路ユニット７７０の連結蓋部材７８６を係止する係止弾性爪８２０が突設されると共に、賞球ユニット８００を本体枠３の軸支側後面壁５４６に着脱自在に取り付けるためのボタン挿通係合穴８２１及び鉤状係合部８２４と、ユニットベース体８０１とユニットサブ板８２５を挟持した状態でギヤカバー８６６とを連結するための取付ボス８２３が設けられている。ボタン挿通係合穴８２１には、ユニットベース体８０１の上部一側に設けられて棒状の着脱ボタン８２２が奥行幅方向に摺動自在に取り付けられるものであり、後述するように、その前方先端が本体枠３の軸支側後面壁５４６に形成されるロック用弾性爪５６４に対応している。また、ボタン挿通係合穴８２１の後端面は、図１２１に示すように、ロック用弾性爪５６４の先端部が入り込むように凹状となっている。また、鉤状係合部８２４は、本体枠３の軸支側後面壁５４６に形成される係合突片５６５と係合するもので、賞球ユニット８００を軸支側後面壁５４６に押し当てて下方に押下げることにより、鉤状係合部８２４と係合突片５６５とが係合するものである。そして、その係合状態においてロック用弾性爪５６４とボタン挿通係合穴８２１とが係合するので、賞球ユニット８００の上方向の移動ができないようになっている。なお、鉤状係合部８２４は、ユニットベース体８０１の上部左右に形成されている。また、ユニットサブ板８２５を挟持した状態でユニットベース体８０１とギヤカバー８６６とを連結するための取付ボス８２３は、後面側に向かって長く突設され、ユニットサブ板８２５に穿設される貫通穴８５８を貫通した後、ギヤカバー８６６の取付穴８６７に対応させ、そのギヤカバー８６６の表面からネジ８６８を螺着することにより、ユニットサブ板８２５を挟持した状態でユニットベース体８０１とギヤカバー８６６とを連結している。
【０２０９】
上記したユニットベース体８０１を被覆するユニットサブ板８２５の構成について説明すると、ユニットサブ板８２５は、ユニットベース体８０１の屈曲通路８０３部分と振分空間８０５部分と賞球通路８１０部分とを覆う合成樹脂製の板材に払出モータ８１５が取り付けられると共に球抜通路８１１の下流部分とを覆うアルミ放熱板８４１を取り付けることにより構成されている。そして、ユニットサブ板８２５の合成樹脂板部の表側（後面側）には、中継基板８３０を取り付けるための中継基板領域８２６が上部に形成され、その下方に複数のギヤ８４３，８４４，８４７や検出円盤８５０が取り付けられるギヤ領域８４０が形成されている。中継基板領域８２６は、ほぼ正方形状に形成され、その正方形状に沿って中継基板８３０を載置する載置リブ８２７が突設され、その一側垂直辺の上下に後述する基板カバー８３５の係合突起８３６と係合する係合溝部８２８が形成され、その他側垂直辺の中央に基板カバー８３５の係止突部８３７と係合する係止爪部８２９が形成されている。また、中継基板領域８２６には、着脱ボタン８２２が挿通されるボタン挿通穴８３４と中継基板８３０をビス（図示しない）で止着するための取付ボス部８３２が形成されている。
【０２１０】
上記した中継基板領域８２６に取り付けられる中継基板８３０は、賞球ユニット８００に設けられる上述した払出球検出センサ８１２、払出モータ８１５、及び後述するセンサ８５５からの配線と、後述する払出制御基板１１８６（図１５８参照）からの配線とを中継するもので、そのために複数のコネクタが設けられると共に、着脱ボタン８２２が挿通されるボタン挿通穴８３３と前記取付ボス部８３２に対応する取付穴８３１とが穿設されている。しかして、中継基板８３０を中継基板領域８２６の載置リブ８２７に載置した状態で取付穴８３１と取付ボス部８３２とを合致させて図示しないビスで止着することにより中継基板８３０をユニットサブ板８２５の表面（後面）に止着することができる。
【０２１１】
また、上記のように取り付けられる中継基板８３０は、基板カバー８３５によって被覆される。基板カバー８３５は、ほぼ正方形状の前面側が開放したボックス状に形成され、その一側垂直辺の上下基部に係合突起８３６と他側垂直辺のほぼ中央側面に係止突部８３７が形成されている。また、基板カバー８３５の正方形状の垂直面には、ボタン開口８３８と接続開口部８３９とが形成されている。しかして、基板カバー８３５の係合突起８３６を中継基板領域８２６の係合溝部８２８に差し込んで係合した後、係止突部８３７と係止爪部８２９とを係合させることにより、簡単に基板カバー８３５で中継基板８３０を被覆することができる。逆に、取り外す場合には、係止爪部８２９を弾性変形させて係止突部８３７との係合を解除すると共に基板カバー８３５を斜め手前側に引いて係合突起８３６と係合溝部８２８との係合を解除することができる。なお、基板カバー８３５を被覆した状態では、ボタン挿通係合穴８２１に係合されている着脱ボタン８２２の頭部がボタン挿通穴８３３，８３４を挿通してボタン開口８３８から外部に僅かに臨んでいる。また、中継基板８３０に接続された配線は、接続開口部８３９から外部に引き出されるようになっている。
【０２１２】
次に、ユニットサブ板８２５に形成されるギヤ領域８４０に設けられるギヤ８４３，８４４，８４７、及び検出円盤８５０について説明する。前述したように、払出モータ８１５のモータ軸８１８の先端は、ユニットサブ板８２５のアルミ放熱板８４１に穿設される軸挿通穴８４２を貫通してユニットサブ板８２５の表面（後面側）に突出しており、その突出した部分に第１ギヤ８４３（駆動ギヤ）が固着されている。第１ギヤ８４３の上方には、該第１ギヤ８４３と噛合する第２ギヤ８４４（回転伝達ギヤ）がギヤカバー８６６の裏面（前面側）に一端が圧入され且つアルミ放熱板８４１に穿設される軸穴８４６に他端が支持される軸８４５に回転自在に設けられ、その第２ギヤ８４４の上方には、該第２ギヤ８４４と噛合する第３ギヤ８４７（回転伝達ギヤ）がユニットサブ板８２５に形成される軸穴８４９に圧入された軸８４８に回転自在に設けられている。更に、第３ギヤ８４７の上方には、該第３ギヤ８４７と噛合するギヤ部８５２（従動ギヤ）を有する検出円盤８５０が前記スプロケット８０７を軸支する回転軸８０８に回転自在に設けられている。なお、図１２９に示すように、モータ軸８１８の先端部がギヤカバー８６６に形成される受穴に遊嵌されている。また、回転軸８０８は、その一端がユニットベース体８０１に形成される軸受筒８０６に圧入されて支持され、その他端がギヤカバー８６６に形成される軸受穴に支持されるものであるが、ギヤ領域８４０の中央よりやや下方に形成された軸貫通穴８６４を貫通して振分空間８０５においてスプロケット８０７を回転自在に軸支し、ユニットサブ板８２５とギヤカバー８６６とによって形成される空間において検出円盤８５０を回転自在に軸支している。ただし、図１２９に示すように、スプロケット８０７の後端部が検出円盤８５０の中心前面部と係合した状態となっているので、スプロケット８０７と検出円盤８５０とは、回転軸８０８を中心として一体的に回転するようになっている。したがって、払出モータ８１５が回転駆動すると、その回転が第１ギヤ８４３、第２ギヤ８４４、第３ギヤ８４７、検出円盤８５０のギヤ部８５２を介してスプロケット８０７を回転するように伝達される。
【０２１３】
検出円盤８５０の外周は、ギヤ部８５２の円よりも一回り大きく形成されており、そのギヤ部８５２よりも外側に突出している外周部分には、スプロケット８０７の凹部と同じ数（図示の場合には、３個）の検出切欠８５１が形成されている。この検出切欠８５１は、ユニットサブ板８２５の表面に形成される基板取付部８５７に挟持支持されるセンサ基板８５４に設けられる投受光方式のセンサ８５５（回転位置検出手段）によって検出されるものである。そして、センサ８５５は、払出動作時において所定のインターバル時間内に検出切欠８５１の検出個数を検出することにより、スプロケット８０７が正常に回転しているか否かを監視するためのものである。仮に、センサ８５５により、異常回転が検出されたとき（多くは、スプロケット８０７による球噛み状態）には、スプロケット８０７を所定回数正逆回転させて異常状態（例えば、球噛み状態）を解消するものである。なお、実際に払いだされた球の個数は、前述した賞球通路８１０に設けられる払出球検出センサ８１２によって検出して計数のために使用している。なお、図１２９に示すように、センサ基板８５４の他端辺もギヤカバー８６６に形成される基板取付部に挟持されるようになっている。
【０２１４】
上述したように、ギヤ領域８４０に設けられる複数のギヤのうち、第２ギヤ８４４だけがギヤカバー８６６側に圧入される回転軸８４５に回転自在に設けられているところ、ギヤ領域８４０を覆うギヤカバー８６６には、前記ユニットベース体８０１に突設されてユニットサブ板８２５の貫通穴８５８を貫通する取付ボス８２３の先端部に対応する位置に穿設される取付穴８６７が形成されている。そして、ギヤカバー８６６側に設けられる第２ギヤ８４４の歯とユニットサブ板８２５側に設けられる第１ギヤ８４３及び第３ギヤ８４７の歯とを噛み合わせながら、取付穴８６７と取付ボス８２３とを一致させた状態でギヤカバー８６６の後面からネジ８６８で螺着することにより、ユニットサブ板８２５を挟持する状態でベースユニット体４５１とギヤカバー８６６とが一体的に固定される。また、ギヤカバー８６６の一側側面には、前記中継基板８３０に接続される配線（例えば、中継基板８３０と後述する払出制御基板１１８６とを接続する配線等）を掛け留めて纏める配線処理片８６９が突設されている。
【０２１５】
以上、賞球ユニット８００の構成について説明してきたが、ユニットベース体８０１とユニットサブ板８２５と中継基板８３０と基板カバー８３５とギヤカバー８６６とを組み付けた状態においては、図１２９に示すように、払い出すべき球が導かれる屈曲通路８０３の下方位置に払出モータ８１５の円筒状の本体部分が収納されるように位置する。また、ユニットベース体８０１には、球通路（屈曲通路８０３、賞球通路８１０、球抜通路８１１）内に配置されたスプロケット８０７と、球通路を避けた位置であって球通路の奥行き幅寸法内に形成されるモータ収納空間８１４に収納された払出モータ８１５と、を設け、ユニットサブ板８２５には、その非閉塞面側に沿って払出モータ８１５のモータ軸８１８の回転をスプロケット８０７の回転軸８０８に伝達する回転伝達部材（第１ギヤ８４３、第２，３ギヤ８４４，８４７、及び検出円盤８５０のギヤ部８５２）を設け、しかも、払出モータ８１５と屈曲通路８０３の振分空間８０５に配置される払出部材としてのスプロケット８０７とをユニットサブ板８２５の後面のギヤ領域８４０に設けられる複数のギヤ８４３，８４４，８４７，８５０（８５２）によって回転駆動するように連結した構造となっている。即ち、ユニットベース体８０１とユニットサブ板８２５との間に形成される球通路（屈曲通路８０３、賞球通路８１０、球抜通路８１１）の奥行き幅内にスプロケット８０７と払出しモータ４６５とを収納し、しかも、スプロケット８０７と払出しモータ４６５とを連結する回転伝達部材（第１ギヤ８４３、第２，３ギヤ８４４，８４７、及び検出円盤８５０のギヤ部８５２）をユニットサブ板８２５の非閉塞面側の所定幅内に沿って設けたので、球通路の外側に払出モータやスプロケットの一部を配置したものに比べて、賞球ユニット８００を薄型化することができる。また、このような賞球ユニット８００は、当該賞球ユニット８００内の球通路（屈曲通路８０３、賞球通路８１０、球抜通路８１１）が一条の通路形状で形成されることにより、より一層の薄型化が図られている。即ち、従来のように、払出モータ８１５を賞球ユニットの前面側又は後面側又は側方側に突出させるものと異なり、本体枠３の右後面枠１９６の後面側に取り付けたときに、賞球ユニット８００のいずれの部分もさらに後方に向かって突出することがない構造とすることができる。なお、図１２９において、払出モータ８１５の前端部分がユニットベース体８０１の後面よりも僅かに突出して構成されているが、この突出部分は、図９９に示すように、軸支側後面壁５４６の下方の払出モータ用逃げ開口部５７２から本体枠３の前方部分に臨むようになっているため、結果的にその突出寸法から軸支側後面壁５４６の板厚寸法を差し引いた寸法だけ突出する程度となり、軸支側後面壁５４６よりも前方に向かう突出量は僅かなものとなっている。また、このような構成をとることにより、本実施形態では、賞球ユニット８００が取り付けられる本体枠３の軸支側後面壁５４６と遊技盤４の裏面との間に、遊技盤４に設けられる遊技装置の後方突出部分を収納する収納空間を奥行き幅方向で大きくとることができる。
【０２１６】
また、上記のように構成される賞球ユニット８００を本体枠３の軸支側後面壁５４６に取り付けるためには、図１２１に示すように、鉤状係合部８２４と係合突片５６５とを対応させて位置合わせした後、賞球ユニット８００の下端を係止溝５７３に掛け止め且つ鉤状係合部８２４と係合突片５６５とを係合させるために賞球ユニット８００を軸支側後面壁５４６に密着させたまま下方に押下げる。このとき、賞球ユニット８００の下端部と係止溝５７３とが係合し且つ鉤状係合部８２４と係合突片５６５とが係合しているので、取付自体は完了しているが、賞球ユニット８００を上方に移動させることにより簡単に上記のそれぞれの係合状態が解除されてしまうため、これを防止するために、ロック用弾性爪５６４がボタン挿通係合穴８２１に係合するようになっている。つまり、ロック用弾性爪５６４とボタン挿通係合穴８２１とが係合することにより、取付状態で賞球ユニット８００の上方への移動を防止している。このように、賞球ユニット８００を取り付けた後に、球通路ユニット７７０の連結蓋部材７８６を前述したように回動して係止弾性爪８２０で係止することにより、球通路ユニット７７０の球落下通路７７２下流端と賞球ユニット８００の屈曲通路８０３の上流端とを一対の通路壁７９０によって構成される通路を介して連通化することができる。また、賞球ユニット８００を取り付けた状態では、賞球通路８１０の下流端と後に詳述する満タンユニット９００の賞球入口９２７とが接続され、球抜通路８１１の下流端が球抜接続通路８８０の上流端と接続される。
【０２１７】
一方、賞球ユニット８００を取り外すときは、係止弾性爪８２０による係合を解除して連結蓋部材７８６を手前側に回動し、その後、着脱ボタン８２２を押圧してロック用弾性爪５６４を前面側に移動させてロック用弾性爪５６４とボタン挿通係合穴８２１との係合を解除させ、その後着脱ボタン８２２を押圧したままの状態で賞球ユニット８００を上方に引き上げて賞球ユニット８００の下端部と係止溝５７３との係合及び鉤状係合部８２４と係合突片５６５との係合を解除して賞球ユニット８００を手前側に引き出すことにより、賞球ユニット８００を簡単に取り外すことができる。
【０２１８】
<満タンユニット>
上記した賞球ユニット８００の下流側に配置される満タンユニット９００について、主として図１３０乃至図１３６を参照して説明する。図１３０は、賞球ユニット８００と満タンユニット９００との関係を示す斜視図であり、図１３１は、満タンユニット９００の斜視図であり、図１３２は、満タンユニット９００の正面から見た分解斜視図であり、図１３３は、満タンユニット９００の背面から見た分解斜視図であり、図１３４は、満タンユニット９００とファール口６１０との関係を示す一部破断斜視図であり、図１３５は、満タンユニット９００に設けられる底面揺動板９０７部分で切断した横断面図であり、図１３６は、満タンユニット９００とファール口６１０との関係を示す断面図である。
【０２１９】
満タンユニット９００は、前述したように本体枠３の満タンユニット載置部５３１に載置固定されるものであり、図１３２に示すように、上面が開放したボックス状に形成されるボックス主体９０１と、該ボックス主体９０１の上面を覆う蓋体９２６とから構成されている。ボックス主体９０１は、賞球通路８１０の下流端から流入した球が内部をジグザグ状に誘導されて出口９２１から排出されるようになっている。このため、その上流部に蓋体９２６に形成される賞球入口９２７から流入した球を一端から他端に向かって側方に誘導する側方誘導通路９０２が形成されている。側方誘導通路９０２の賞球入口９２７の直下の一端部には、球を側方に向かって誘導するように凹円弧状に形成される側方誘導受部９０３が設けられ、側方誘導通路９０２の他端内面に側方誘導通路９０２を流れてきた球の衝撃を受け止めて該球を下流側に誘導する緩衝部材９０４が設けられている。
【０２２０】
また、側方誘導通路９０２の他端内面に設けられる緩衝部材９０４に衝突した球は、向きを下流側に変えた後、側方誘導通路９０２の球の流れと逆方向に流れるように誘導される逆側方誘導通路９０５が形成されている。逆側方誘導通路９０５を流れた球は、その後、前方に向かって形成される前方誘導通路９２０に導かれて該前方誘導通路９２０の流下端に形成される出口９２１から前述した皿ユニット３００の賞球連絡樋４５１に導かれる。
【０２２１】
ところで、前記逆側方誘導通路９０５の上流側の底面には、その底面の全域に亘って開口する底面開口９０６が形成され、その底面開口９０６を底面揺動板９０７が揺動自在に閉塞している。底面開口９０６は、上面が開放されたほぼ正方形の凹状に形成され、その内部の正面から見て前後方向の側壁に一対の軸支突起９１１が突設されている。また、底面開口９０６の凹状の底面にバネ９１３の下端を位置決めするための円形状のバネ載置凹部９１２が形成されている。一方、底面開口９０６を閉塞する底面揺動板９０７は、ほぼ正方形状に形成され、その裏面下流側に正面から見て前記軸支突起９１１に嵌合することにより軸支される半円形状の軸受部９０８が突設形成されている。また、底面揺動板９０７の裏面中央には、図１３５に示すように、バネ９１３の上端が係止されるバネ係止突起９１０が下方に向かって突設されている。したがって、底面揺動板９０７は、バネ９１３の付勢力によりその上流側が常に上方へ揺動された方向に付勢されている。そして、バネ９１３は、通常の賞球の払出個数（例えば、１５個）が一度に底面揺動板９０７上に載置したときでも底面揺動板９０７が下方に揺動せず、賞球の払出個数以上の所定個数の球が底面揺動板９０７上に載置したときに下方に揺動するようなバネ係数を有するバネ部材によって形成されている。更に、底面揺動板９０７の上流側に検出突片９０９が前方に向かって突出されている。この検出突片９０９は、底面揺動板９０７の軸受部９０８を軸支突起９１１に嵌合軸支したときに、連通孔９２９を貫通して次に説明するスイッチ収納空間９１４に位置するようになっている。
【０２２２】
また、逆側方誘導通路９０５の上流端部の側壁の外側には、満タンスイッチ９１６を収納するためのスイッチ収納空間９１４が一体的に形成されている。スイッチ収納空間９１４に満タンスイッチ９１６を取り付けるために、スイッチ収納空間９１４の上部であって逆側方誘導通路９０５の上流端部の側壁の外側面にスイッチ取付部９１８が形成され、そのスイッチ取付部９１８に満タンスイッチ９１６を保持するスイッチホルダー９１５の取付片９１７がネジ９１９によって止着されている。満タンスイッチ９１６は、投光器と受光器とからなるスイッチとして構成され、その受光器と投光器との間を検出突片９０９が上下に揺動することによりＯＮ・ＯＦＦを検出するものである。
【０２２３】
更に、逆側方誘導通路９０５の下流側の一側方にファール球通路９２２が形成されている。ファール球通路９２２は、その上流側のファール球入口９２３が図１３４に示すように、前述したファール口６１０に連通し、その下流側が前方誘導通路９２０の上流側に連通するように屈曲して形成されている。このため、ファール口６１０に取り入れられたファール球は、ファール球入口９２３から屈曲したファール球通路９２２を通って前方誘導通路９２０に導かれ、さらに出口９２１及び賞球連絡樋４５１を通って皿ユニット３００に戻される。
【０２２４】
また、ボックス主体９０１には、前記出口９２１の両側方と前記ファール球入口９２３の一側方に前記満タンユニット載置部５３１に形成されるユニット係合溝５３２に係合される係合片９２４が突設されると共に、蓋体９２６に形成される掛止片９２８と係合する掛止突起９２５が形成されている。この掛止突起９２５は、ボックス主体９０１の左右後方の側壁上部に適宜形成されている。
【０２２５】
一方、蓋体９２６は、ボックス主体５２０の側方誘導通路９０２、逆側方誘導通路９０５、前方誘導通路９２０、及びファール球通路９２２の上面を覆うような板形状に形成され、前記側方誘導通路９０２に上流端に対応する位置に正方形状の賞球入口９２７が開口されている。また、蓋体９２６の周囲には、ボックス主体９０１の前記掛止突起９２５と係合するための掛止片９２８が下方に向かって突設されている。
【０２２６】
上記のように構成される満タンユニット９００においては、図１３０に示すように、賞球ユニット８００の賞球通路８１０から払出された球が賞球入口９２７から側方誘導通路９０２の上流側に入って側方誘導受部９０３によって側方に向かって誘導されて緩衝部材９０４に衝突する。緩衝部材９０４に衝突した球は、そのまま下流側に向かって逆側方誘導通路９０５を前記側方誘導通路９０２の誘導方向と逆方向に誘導されて前方誘導通路９２０に導かれ、前方誘導通路９２０の出口９２１から賞球口３９を通って皿ユニット３００に導かれる。また、ファール球入口９２３から入ったファール球も屈曲したファール球通路９２２によって球の勢いを弱められて前方誘導通路９２０に合流し、前方誘導通路９２０の出口９２１から賞球連絡樋４５１を通って皿ユニット３００に導かれる。
【０２２７】
そして、通常時、満タンユニット９００内を球が自然に流れているときには、側方誘導通路９０２から逆側方誘導通路９０５に球が移動する際に、底面揺動板９０７に落下するが、通常の賞球の払出個数程度では、バネ９１３の弾発力が強いので、底面揺動板９０７が揺動することがなく、図１３５の実線で示すように、検出突片９０９が投受光方式の満タンスイッチ９１６の投光器と受光器との間に入ってスイッチが導通しない状態（ＯＦＦ）となっている。これに対し、皿ユニット３００に賞球が貯留されて満タンユニット９００内にも球が充満してきたときには、前方誘導通路９２０及び逆側方誘導通路９０５の上流側の全域に形成される底面揺動板９０７上に貯留された球の圧力により底面揺動板９０７がバネ９１３の付勢力に抗して下方に揺動し、図１３５の二点鎖線で示すように、検出突片９０９が投受光方式の満タンスイッチ９１６の投光器と受光器との間から外れてスイッチが導通した状態（ＯＮ）となる。満タンスイッチ９１６がＯＮすると、賞球ユニット８００の払出モータ８１５の回転駆動が停止（所定個数の賞球を払出している最中にＯＮ信号が導出された場合には、その所定個数の賞球が払出されてから停止）するようになっている。
【０２２８】
上記したように、満タンユニット９００においては、球が流下する通路（図示の場合には、逆側方誘導通路９０５）の通路底面の幅とほぼ同じ幅の底面揺動板９０７によって満タンスイッチ９１６を作動させるようにすると共に、通常時の球の流れによって揺動せずある程度の球が載置したときに底面揺動板９０７揺動するように付勢部材（バネ９１３）で付勢したので、従来のように一部の通路の底面等に球が載置したことにより球詰まりを検出するものに比べて、その一部の通路部分における球の載置が球詰まりによって検出されない事態を確実に防止することができる。このことは、球の満タンを確実に検出することができるものである。
【０２２９】
上記したように、本実施形態に係る満タンユニット９００においては、本体枠３の満タンユニット載置部５３１に着脱自在に取り付けるものであるため、従来のように、満タン装置を本体枠に形成された払出通路の内部に組み付けるものに比べて、本体枠に満タン構造のための通路を形成する必要がない。また、満タンユニット９００の内部をジグザグ状の通路とすることにより、賞球ユニット８００の賞球通路８１０から払出された球の勢いを弱めながら皿ユニット３００に誘導することができるので、払い出された賞球が皿ユニット３００から外に飛び出すこともない。更に、本実施形態に係る満タンユニット９００は、ファール球を導くファール球通路９２２が賞球を払い出す前方誘導通路９２０の途中に球の勢いを弱めて合流するようになっているので、賞球の流れを阻害することなくファール球を合流させることができる。
【０２３０】
〔満タンユニットの他の実施形態〕
上記した実施形態（以下、「第１実施形態に係る満タンユニット」という。）に係る満タンユニット９００は、満タンスイッチ９１６を作動させる底面揺動板９０７を逆側方誘導通路９０５の上流側の底面のほぼ全域に設けたものを示したが、満タンスイッチの配置位置を球が通る誘導通路の底面に設けなくても、満タン時により確実に満タン検出することができる満タンユニットに係る実施形態（以下、「第２実施形態に係る満タンユニット」という。）について、図１３７乃至図１４２を参照して説明する。図１３７は、賞球ユニット８００と満タンユニット９４０との関係を示す斜視図であり、図１３８は、満タンユニット９４０の分解斜視図であり、図１３９は、満タンユニット９４０内の球の流れを示す斜視図であり、図１４０は、満タン揺動板９５１の作用を説明するための平面図であり、図１４１は、満タンユニット９４０とファール口６１０との関係を示す一部破断斜視図であり、図１４２は、同じく満タンユニット９４０とファール口６１０との関係を示す断面図である。
【０２３１】
第２実施形態に係る満タンユニット９４０も、本体枠３の満タンユニット載置部５３１に載置固定されるものであり、図１３８に示すように、上面が開放したボックス状に形成されるボックス主体９４１と、該ボックス主体９４１の上面を覆う蓋体９６３とから構成されている。ボックス主体９４１は、賞球通路８１０の下流端から流入した球が内部をジグザグ状に誘導されて出口９５８から排出されるようになっている。このため、その上流部に蓋体９６３に形成される賞球入口９６４から流入した球を一端から他端に向かって側方に誘導する側方誘導通路９４２が区画壁９４６によって形成されている。側方誘導通路９４２の賞球入口９６４の直下の一端部には、球を側方に向かって誘導するように凹円弧状に形成される側方誘導受部９４３が設けられ、側方誘導通路９４２の他端内面に側方誘導通路９４２を流れてきた球の衝撃を受け止めて該球を下流側に誘導する緩衝部材９４４が設けられている。
【０２３２】
また、側方誘導通路９４２の他端内面に設けられる緩衝部材９４４に衝突した球は、向きを下流側に変えた後、その下流側に形成される傾斜側壁９４７によって側方誘導通路９４２の球の流れと逆方向に流れるように誘導される。つまり、区画壁９４６と傾斜側壁９４７とにより逆側方誘導通路９４５が形成されている。逆側方誘導通路９４５を流れた球は、その後前方に向かって形成される前方誘導通路９５７に導かれて該前方誘導通路９５７の流下端に形成される出口９５８から前述した皿ユニット３００の賞球連絡樋４５１に導かれる。
【０２３３】
ところで、前記緩衝部材９４４の下流側で逆側方誘導通路９４５の一端部には、スイッチ収納空間９４８が外側に突出するように形成されている。このスイッチ収納空間９４８の前方下部位置には、支軸ピン９４９が突設され、該支軸ピン９４９に満タン揺動板９５１の軸穴９５３が挿通されて満タン揺動板９５１が揺動自在に設けられている。満タン揺動板９５１は、逆側方誘導通路９４５の一端側壁を形成するように板状に形成され、その板状の下端に軸穴９５３が形成されると共にその裏面に検出片９５２が一体的に形成されている。検出片９５２は、満タン揺動板９５１の裏面に連結される扇状の連結板の後端部分を上下方向に突設することにより形成され、その突設した検出片９５２が後に詳述する投受光方式の満タンスイッチ９６６の投光器と受光器との間を遮蔽したり導通させたりすることにより満タンスイッチ９６６のＯＮ・ＯＦＦを検出するようになっている。なお、支軸ピン９４９には、軸スプリング９５０も挿通され、その軸スプリング９５０の一端が満タン揺動板９５１の裏面に係止され、他端が支軸ピン９４９の後方に立設されるバネ係止ピン９５５に係止されることにより、満タン揺動板９５１の上端部が常時逆側方誘導通路９４５側に付勢されている。ただし、スイッチ収納空間９４８の上部には、側方誘導通路９４２の他端側壁の下流側延長位置とその後方位置とに２つのストッパー片５３４が形成されているため、満タン揺動板５３１の上端部は、この２つのストッパー片９５４の間で支軸ピン９４９を中心にして揺動するだけである。なお、スイッチ収納空間９４８の上部側壁の後方部分には、満タンスイッチ９６６からの配線９６７を外部に引き出すための配線引き出し凹部９５６が形成されている。
【０２３４】
更に、逆側方誘導通路９４５の下流側の一側方にファール球通路９５９が形成されている。ファール球通路９５９は、その上流側のファール球入口９６０が図１４１に示すように、前述したファール口６１０に連通し、その下流側が前方誘導通路９５７の上流側に連通するように屈曲して形成されている。このため、ファール口６１０に取り入れられたファール球は、ファール球入口９６０から屈曲したファール球通路９５９を通って前方誘導通路９５７に導かれ、さらに出口９５８及び賞球連絡樋４５１を通って皿ユニット３００に戻される。
【０２３５】
また、ボックス主体９４１には、前記出口９５８の両側方と前記ファール球入口９６０の一側方に前記満タンユニット載置部５３１に形成されるユニット係合溝５３２に係合される係合片９６１が突設されると共に、蓋体９６３に形成される掛止片９６８と係合する掛止突起９６２が形成されている。この掛止突起９６２は、ボックス主体９４１の左右後方の側壁上部に適宜形成されている。
【０２３６】
一方、蓋体９６３は、ボックス主体９４１の側方誘導通路９４２、逆側方誘導通路９４５、スイッチ収納空間９４８、前方誘導通路９５７、及びファール球通路９５９の上面を覆うような板形状に形成され、前記側方誘導通路９４２の上流端に対応する位置に正方形状の賞球入口９６４が開口されている。また、スイッチ収納空間９４８に対応する位置には、投受光方式の満タンスイッチ９６６を取り付けるためのスイッチ取付部９６５が形成されている。満タンスイッチ９６６のスイッチ取付部９６５への取り付けは、蓋体９６３の下面から満タンスイッチ９６６の形成される係止爪をスイッチ取付部９６５の係止部に係止させることにより簡単に取り付けるようになっている。更に、蓋体９６３の周囲には、ボックス主体９４１の前記掛止突起９６２と係合するための掛止片９６８が下方に向かって突設されている。
【０２３７】
上記のように構成される満タンユニット９４０においては、図１３９に示すように、賞球ユニット８００の賞球通路８１０から払出された球が賞球入口９６４から側方誘導通路９４２の上流側に入って側方誘導受部９４３によって側方に向かって誘導されて緩衝部材９４４に衝突する。緩衝部材９４４に衝突した球は、そのまま下流側に向かって傾斜側壁９４７に当たって逆側方誘導通路９４５を前記側方誘導通路９４２の誘導方向と逆方向に誘導されて前方誘導通路９５７に導かれ、前方誘導通路９５７の出口９５８から賞球連絡樋４５１を通って皿ユニット３００に導かれる。また、ファール球入口９６０から入ったファール球も屈曲したファール球通路９５９によって球の勢いを弱められて前方誘導通路９５７に合流し、前方誘導通路９５７の出口９２１から賞球連絡樋４５１を通って皿ユニット３００に導かれる。
【０２３８】
上記のように、満タンユニット９４０内を球が自然に流れているときには、図１４０（Ａ）に示すように、側方誘導通路９４２から逆側方誘導通路９４５に球が移動するときに、緩衝部材９４４に当たって傾斜側面９４７のほぼ中央位置に向かって反射されるため、球が満タン揺動板９５１に当たることはほとんどない。このため、軸スプリング９５０の付勢力により満タン揺動板９５１の上端が前方のストッパー片９５４に当接した状態となっているため、検出片９５２が投受光方式の満タンスイッチ９６６の投光器と受光器との間に入ってスイッチが導通しない状態（ＯＦＦ）となっている。これに対し、皿ユニット３００に賞球が貯留されて満タンユニット９４０内にも球が充満してきたときには、図１４０（Ｂ）に示すように、前方誘導通路９５７及び逆側方誘導通路９４５に貯留された球の圧力により満タン揺動板９５１が軸スプリング９５０の付勢力に抗して時計回転方向に揺動して後のストッパー片９５４に当接した状態となる。この状態では、検出片９５２が投受光方式の満タンスイッチ９６６の投光器と受光器との間から外れてスイッチが導通した状態（ＯＮ）となる。満タンスイッチ９６６がＯＮすると、賞球ユニット８００の払出モータ８１５の回転駆動が停止（所定個数の賞球を払出している最中にＯＮ信号が導出された場合には、その所定個数の賞球が払出されてから停止）するようになっている。なお、前方誘導通路９５７及び逆側方誘導通路９４５に球が貯留された状態であっても、ファール球通路９５９の底面の傾斜が極めて強いため、貯留している球がファール球通路９５９を逆流してファール球入口９６０から逆流することはない。
【０２３９】
上記したように、第２実施形態に係る満タンユニット９４０においては、本体枠３の満タンユニット載置部５３１に着脱自在に取り付けるものであるため、従来のように、満タン装置を本体枠に形成された払出通路の内部に組み付けるものに比べて、本体枠に満タン構造のための通路を形成する必要がない。また、満タンユニット９４０の内部をジグザグ状の通路とすることにより、賞球ユニット８００の賞球通路８１０から払出された球の勢いを弱めながら皿ユニット３００に誘導することができるので、払い出された賞球が皿ユニット３００から外に飛び出すこともない。また、満タンスイッチ９６６を作動させる満タン揺動板９５１が通常の球の流れによって影響を受けることのない側方誘導通路９４２の流下端の下方の位置に設けられているので、通常時に満タンによる賞球の払出停止状態となることはなく、満タン時にだけ確実に賞球の払出停止状態とすることができる。更に、第２実施形態に係る満タンユニット９４０は、ファール球を導くファール球通路９５９が賞球を払い出す前方誘導通路９５７の途中に球の勢いを弱めて合流するようになっているので、賞球の流れを阻害することなくファール球を合流させることができる。
【０２４０】
<錠装置>
次に、本体枠３の開放側の裏側端辺に沿って垂直方向に取り付けられる錠装置１０００について主として図１４３乃至図１５１を参照して説明する。図１４３は、錠装置１０００と本体枠３との関係を示す背面斜視図であり、図１４４は、錠装置１０００の本体枠３への掛け止め構造を示す拡大側方断面図であり、図１４５は、パチンコ遊技機１の縦方向中央よりやや下方の位置で水平方向に切断した一部断面図であり、図１４６は、錠装置１０００と本体枠３の側壁５４０，５４１との詳細な関係を示す拡大断面図であり、図１４７は、錠装置１０００の側面図（Ａ）、前面側から見た斜視図（Ｂ）であり、図１４８は、錠装置１０００の背面側から見た斜視図（Ａ）、錠装置１０００のコ字状基体１００１の内部に摺動自在に設けられる扉枠用摺動杆１０４０と本体枠用摺動杆１０５０の斜視図（Ｂ），（Ｃ）であり、図１４９は、錠装置１０００の分解斜視図であり、図１５０は、扉枠用摺動杆１０４０と本体枠用摺動杆１０５０の作用を説明するための正面図であり、図１５１は、不正防止部材１０２３，１０３２の作用を説明するための正面図である。
【０２４１】
錠装置１０００は、本体枠３の開放側の第１側面壁５４０に沿って本体枠３のほぼ上端から下端にかけて取り付けられるものであり、図１４３に示すように、本体枠３の外周側辺と第１側面壁５４０の立ち上がり部との間の上下端近い部分及び中程に形成される複数（図示の場合、３個）の錠係止穴５４８と、第１側面壁５４０の垂直面の上部と中程に切り欠けられて形成される錠取付穴５４７とシリンダー錠貫通穴５２６の上部近傍に形成される錠取付穴５４７と、によって次に説明する錠装置１０００のコ字状基体１００１が支持固定されるものである。そこで、以下、錠装置１０００の構造について詳細に説明する。
【０２４２】
図１４７乃至図１４９に示すように、錠装置１０００は、断面コ字状に形成される錠基体としてのコ字状基体１００１と、該コ字状基体１００１内に摺動自在に設けられる扉枠用摺動杆１０４０と、前記コ字状基体１００１内に摺動自在に設けられる本体枠用摺動杆１０５０と、該本体枠用摺動杆１０５０の摺動を不正に行うことができないようにコ字状基体１００１の下部に取り付けられる不正防止部材１０２３，１０３２と、からなる。
【０２４３】
コ字状基体１００１は、金属を断面コ字状となるように折り曲げ、その内部に扉枠用摺動杆１０４０と本体枠用摺動杆１０５０とを摺動可能に設けるものであるが、その横幅寸法は従来の断面Ｌ字状に成形された基体に集約される錠装置に比べて極めて薄いものとなっている。これは、前述したように遊技盤４の左右方向及び上下方向の大きさを極めて大きくすると共に、本体枠３の側面壁５４０〜５４３で囲まれる空間を大きくしたため、側面壁５４０と本体枠３の外周辺との間の寸法が極めて小さくなっていることにより、本実施形態に係る錠装置１０００の横幅寸法を小さく形成して錠装置１０００を本体枠３の裏側に取り付けることができるような取付構造として改良したためである。そして、コ字状基体１００１の断面コ字状の開放側が本体枠３の裏面に対面するように取り付けられるため、錠装置１０００が本体枠３に取り付けられた状態では、内部に設けられる扉枠用摺動杆１０４０と本体枠用摺動杆１０５０とが、それぞれのフック部１０４１、１０５４，１０６５を除いてコ字状基体１００１に完全に被覆された状態の不正防止構造となっている。
【０２４４】
まず、コ字状基体１００１の開放側と反対の閉塞側上下に本体枠用摺動杆１０５０のフック部１０５４，１０６５が貫通される長方形状のフック貫通開口１００２が開設されると共に、閉塞側であって第１側面壁５４０と密着する側面１００１ｂ（図１４９参照）上部と中程に水平方向にビス止め部１００３が突設され、更に、開放側の第１側面壁５４０と密着しない側面１００１ａ（図１４９参照）の上端部及び中間部と、開放側の両側面１００１ａ，１００１ｂの下端部に係止突起１００４が突設形成されている。ビス止め部１００３と係止突起１００４は、錠装置１０００を本体枠３の裏面に取り付けるためのものであり、係止突起１００４を本体枠３の錠係止穴５４８に差し込んで上方に移動させ（図１４４参照）、その状態でビス止め部１００３と錠取付穴５４７とが一致するため、その一致した穴に図示しないビスを螺着することにより、錠装置１０００を本体枠３に強固に固定することができる。なお、錠装置１０００のビスによる取付けは、上部と中程のビス止め部１００３だけではなく、後述する錠取付片１００８に形成されるビス止め部１００３と前記シリンダー錠貫通穴５２６の上方近傍に形成される錠取付穴５４７とを対応させて図示しないビスで止着することにより、錠装置１０００の下方も取り付けられるようになっている。
【０２４５】
また、その取り付けに際し、コ字状基体１００１の開放側（前方部）の上中下の３箇所に形成される係止突起１００４を錠係止穴５４８に差し込んで位置決め係止し、コ字状基体１００１の閉塞側（後方部）の上中の２箇所に形成されたビス止め部１００３及びコ字状基体１００１の開放側（前方部）に形成されたビス止め部１００３を錠取付穴５４７にビスで固定する構造であるため、錠装置１０００の前方部を係止突起１００４と錠係止穴５４８で係止し、錠装置１０００の後方部をビス止め部１００３と錠取付穴５４７で固定し且つ錠装置１０００の下方部をビス止め部１００３と錠取付穴５４７で固定するので、極めて簡単な構造で錠装置１０００を本体枠３に強固に固定することができるものである。換言するならば、錠装置１０００を極めて横幅寸法の薄いコ字状基体１００１に集約して構成した場合でも、錠装置１０００の前方部と後方部との係止及び固定により、錠装置１０００を本体枠３に強固に固定することができるものである。特に、本実施形態の場合には、前方部の係止構造（固定構造でもよい）を構成する係止突起１００４がコ字状基体１００１の第１側面壁５４０と密着しない側面１００１ａに突設形成される一方、後方部の固定構造を構成するビス止め部１００３及びビス止め部１００３がコ字状基体１００１の第１側面壁５４０と密着する側面１００１ｂから水平方向に突設形成される構造であるため、前方部の係止構造が第１側面壁５４０と密着する側面１００１ｂに形成される場合に比べて、ガタ付きが生じないように錠装置１０００を本体枠３に固定することができるものである。
【０２４６】
また、コ字状基体１００１の両側面１００１ａ，１００１ｂの上部、中程、下部に挿通穴１００５が形成され、コ字状基体１００１に扉枠用摺動杆１０４０及び本体枠用摺動杆１０５０を収納した状態で挿通穴１００５にリベット１００６を差込んでかしめることにより、コ字状基体１００１の内部に扉枠用摺動杆１０４０及び本体枠用摺動杆１０５０を摺動自在に取り付けることができる。即ち、扉枠用摺動杆１０４０の上中下の３箇所に形成されるリベット用長穴１０４２と本体枠用摺動杆１０５０の上フック部材１０５１及び下フック部材１０５２にそれぞれ１つずつ形成されるリベット用長穴１０５５，１０６１にリベット１００６を貫通させることにより、扉枠用摺動杆１０４０が上方に移動できるようにし、本体枠用摺動杆１０５０が下方に移動できるようになっている。したがって、図１４８（Ｂ）に示すように本体枠用摺動杆１０５０のリベット用長穴１０５５，１０６１の下端部にリベット１００６が貫通しており、図１４８（Ｃ）に示すように扉枠用摺動杆１０４０のリベット用長穴１０４２の上端部にリベット１００６が貫通している。
【０２４７】
更に、コ字状基体１００１の下方部には、その閉塞側面に不正防止切欠部１００７が形成されると共に、その開放側の本体枠３の第１側面壁５４０と密着する側面１００１ｂの前端部にシリンダー錠１０１０を取り付けるための錠取付片１００８が側方に向かって突設され、更に、第１側面壁５４０と密着する側面１００１ｂに挿入縦開口１０２０、バネ係止片１０２１、及び逃げ横穴１０２２がそれぞれ形成されている。不正防止切欠部１００７は、後に説明する第１不正防止部材１０２３のストッパー片部１０２７が進退するようになっている。この点については、後に詳述する。また、錠取付片１００８は、錠装置１０００を本体枠３の裏面に取り付けた状態で、遊技盤設置凹部５１０の下端辺よりも下方の位置となるようにコ字状基体１００１の側面１００１ｂの前端部から側方に向かって突設されるが、この錠取付片１００８には、シリンダー錠１０１０が貫通する錠挿通穴１００９が形成されると共にシリンダー錠１０１０の錠取付基板１０１１に形成される取付穴１０１３をビス１０１２で取り付けるための取付穴１０１４が上下２箇所に穿設され、更に、錠装置１０００の下部を本体枠３の裏面に取り付けるためのビス止め部１００３が穿設されている。また、挿入縦開口１０２０は、シリンダー錠１０１０に固定される係合カム１０１６の第１係合突片１０１７及び第２係合突片１０１８がシリンダー錠１０１０の回動時に侵入するための開口であり、バネ係止片１０２１は、不正防止部材１０２３，１０３２に設けられるバネ１０３５が係止されるものであり、逃げ横穴１０２２は、連結ピン１０３４の移動の邪魔をしないように逃げ穴を構成するものである。この点については後に詳述する。
【０２４８】
上記した錠取付片１００８に取り付けられるシリンダー錠１０１０について説明すると、シリンダー錠１０１０は、錠取付基板１０１１の前方に円筒状のシリンダー錠本体が固定され、そのシリンダー錠本体の錠軸１０１５が錠取付基板１０１１より後面に出ており、その錠軸１０１５の後端に係合カム１０１６がビス１０１９によって固定されている。係合カム１０１６は、ブーメラン形状に形成され、その一端辺が回動時に本体枠用摺動杆１０５０の下降係合穴１０６２に係合する第１係合突片１０１７となっており、その他端辺が回動時に扉枠用摺動杆１０４０の上昇係合穴１０４５に係合する第２係合突片１０１８となっている。そして、上記のように構成されるシリンダー錠１０１０は、円筒状のシリンダー錠本体部分を錠挿通穴１００９に挿通して錠取付基板１０１１の上下２箇所に形成される取付穴１０１３と錠取付片１００８の取付穴１０１４とを一致させてビス１０１２で螺着することにより、シリンダー錠１０１０をコ字状基体１００１に固定することができる。
【０２４９】
次に、コ字状基体１００１に取り付けられる不正防止部材１０２３，１０３２，について図１４９を参照して説明する。不正防止部材１０２３，１０３２は、シリンダー錠１０１０を正式な鍵で回動せずに、例えばピアノ線や針金等で不正に本体枠用摺動杆１０５０を下降させることを防止するためのものである。しかして、不正防止部材１０２３，１０３２は、第１不正防止部材１０２３と第２不正防止部材１０３２とを連結ピン１０３４で連結した構造となっている。第１不正防止部材１０２３は、上端の揺動軸穴１０２５を中心にして揺動自在に構成される縦長の板状に形成され、その揺動軸穴１０２５を前述したコ字状基体１００１の内部に扉枠用摺動杆１０４０及び本体枠用摺動杆１０５０を摺動自在に取り付けるための挿通穴１００５及びリベット１００６のうち、最下方の挿通穴１００５及びリベット１００６によって取り付けられる。
【０２５０】
また、第１不正防止部材１０２３には、その板状面に前記挿入縦開口１０２０と重複する縦長な突片挿入穴１０２６が開設され、この突片挿入穴１０２６に第２係合突片１０１８が挿入し得るようになっている。つまり、突片挿入穴１０２６と挿入縦開口１０２０を第２係合突片１０１８が貫通することにより、コ字状基体１００１の内部に設けられる扉枠用摺動杆１０４０の上昇係合穴１０４５と第２係合突片１０１８とが係合するようになっている。また、第１不正防止部材１０２３の突片挿入穴１０２６の開設位置の斜め上方の外形線が傾斜部１０２４となっている。この傾斜部１０２４は、係合カム１０１６の回動時に第１係合突片１０１７の後面側と当接するもので、係合カム１０１６の回動時に第１係合突片１０１７と傾斜部１０２４とが当接することにより第１不正防止部材１０２３が揺動軸穴１０２５を中心として揺動（図１５１（Ｂ）において時計回転方向）するようになっている。
【０２５１】
更に、第１不正防止部材１０２３には、前記突片挿入穴１０２６の斜め下方の外形線上にストッパー片部１０２７が突設され、そのストッパー片部１０２７の下方に規制突片１０３１が突設され、該規制突片１０３１の前方部にピン穴１０２９と連結穴１０３０とが上下に形成されている。ストッパー片部１０２７は、本体枠用摺動杆１０５０の施錠時に前記不正防止切欠部１００７及び本体枠用摺動杆１０５０の係合切欠部１０６６に侵入係合して本体枠用摺動杆１０５０が不正に摺動しないようにするものである。また、規制突片１０３１は、第１不正防止部材１０２３と第２不正防止部材１０３２とはバネ１０３５によって連結されるが、そのバネ１０３５で連結されたときに第２不正防止部材１０３２の付勢方向への移動を規制するものである。ピン穴１０２９は、ガイドピン１０２８が固定されるものであり、ガイドピン１０２８が第１不正防止部材１０２３の裏面側からピン穴１０２９に固定された状態で、そのガイドピン１０２８を前記挿入縦開口１０２０の最下端部に形成される横長状開口部に係合させることにより、第１不正防止部材１０２３をコ字状基体１００１の側面１００１ｂに沿って案内するものである。更に、連結穴１０３０は、第１不正防止部材１０２３と第２不正防止部材１０３２とを連結ピン１０３４で連結するためのものである。
【０２５２】
上記した第１不正防止部材１０２３に連結される第２不正防止部材１０３２は、逆「て」字状の板材で形成され、その上部一端に連結穴１０３３が形成され、その上部他端にバネ係止穴１０３６が穿設され、下方端部に当接部１０３７が設けられている。連結穴１０３３は、第１不正防止部材１０２３の連結穴１０３０と一致させて連結ピン１０３４で連結するためのものであり、バネ係止穴１０３６は、一端がコ字状基体１００１のバネ係止片１０２１に係止されるバネ１０３５の他端を係止するものである。また、当接部１０３７は、本体枠３の閉鎖時に外枠２の内側下部に固定される閉鎖用突起４１と当接するものである。なお、上記した第１不正防止部材１０２３及び第２不正防止部材１０３２の作用については、後に詳述する。
【０２５３】
次に、コ字状基体１００１の内部に摺動自在に設けられる扉枠用摺動杆１０４０及び本体枠用摺動杆１０５０について説明する。まず、扉枠用摺動杆１０４０は、縦長の金属製の板状部材から構成され、その一側縦辺の上中下の３箇所に扉枠用フック部１０４１が前方に向かって一体的に突設されている。この扉枠用フック部１０４１は、コ字状基体１００１内に収納したときに、その開放側から前方に突出しているもので、錠装置１０００を本体枠３の裏面に固定したときに、本体枠３に形成される扉用フック穴５４９（図９５及び図９６参照）から前方に突出し、扉枠５の裏面に形成されるフックカバー２２７（図２９参照）に係止するものである。なお、扉枠用フック部１０４１は、下向きの係合爪形状となっているため、扉枠用摺動杆１０４０を上昇させることにより扉枠用フック部１０４１とフックカバー２２７との係止状態を解除することができる。
【０２５４】
また、扉枠用摺動杆１０４０の上中下の側面中央に、前記リベット１００６が挿通される縦長のリベット用長穴１０４２が形成され、該リベット用長穴１０４２のうちの最上部のリベット用長穴１０４２の下方及び扉枠用摺動杆１０４０の最下端にガイド突起１０４３が突設されている。リベット用長穴１０４２は、コ字状基体１００１の挿通穴１００５に挿通されるリベット１００６が貫通されるものであり、しかも、このリベット１００６が扉枠用摺動杆１０４０の上昇動作を邪魔しないように縦長に形成されている。そして、通常状態においては、リベット用長穴１０４２の上端部にリベット１００６が貫通当接した状態となっている。また、ガイド突起１０４３は、本体枠用摺動杆１０５０の上フック部材１０５１及び下フック部材１０５２に形成される突片移動穴１０５６，１０６４に挿通されるものであり、扉枠用摺動杆１０４０と本体枠用摺動杆１０５０との相互の摺動動作を案内するようになっている。
【０２５５】
また、扉枠用摺動杆１０４０の上端部にスプリングフック部１０４６が形成され、このスプリングフック部１０４６にスプリング１０４８の一端が係止され、そのスプリング１０４８の他端が本体枠用摺動杆１０５０の上フック部材１０５１に形成されるスプリングフック部１０５７に係止される。これにより、扉枠用摺動杆１０４０が下方向に、本体枠用摺動杆１０５０が上方向に、それぞれ相互に付勢されている。扉枠用摺動杆１０４０の中程には、当接弾性片１０４７が凸状に形成されている。この当接弾性片１０４７は、扉枠用摺動杆１０４０の一側側面からプレスで打ち出して凸状に形成したものであり、コ字状基体１００１の内側面に当接して内部で扉枠用摺動杆１０４０がガタつかないようにするものである。更に、扉枠用摺動杆１０４０の下方部分の側面には、共に縦長な遊び穴１０４４と上昇係合穴１０４５とが形成されている。遊び穴１０４４は、係合カム１０１６の第１係合突片１０１７が差し込まれて回動するときに、その回動動作の邪魔にならないように第１係合突片１０１７の先端部が移動しえる空間を構成するものである。また、上昇係合穴１０４５は、係合カム１０１６の第２係合突片１０１８が差し込まれて回動するときに、その回動動作によって扉枠用摺動杆１０４０が上昇するように係合するためのものである。なお、扉枠用摺動杆１０４０の縦辺下部後方には、前記不正防止切欠部１００７よりも上下方向に大きな切欠である逃げ切欠部１０４９が形成されている。この逃げ切欠部１０４９は、第１不正防止部材１０２３のストッパー片部１０２７を確実に不正防止切欠部１００７及び係合切欠部１０６６に係合させるために邪魔しないように形成されるものである。
【０２５６】
一方、本体枠用摺動杆１０５０は、金属板製の上フック部材１０５１と、金属板製の下フック部材１０５２と、上フック部材１０５１と下フック部材１０５２とを連結する連結線杆１０５３と、から構成されている。つまり、本体枠用摺動杆１０５０は、従来のように１つの金属製の縦長板で構成されているわけではなく、フック部１０５４，１０６５を有する上フック部材１０５１と下フック部材１０５２とを金属製の板材をプレスで形成し、その金属製の上フック部材１０５１と下フック部材１０５２とを細い金属製の連結線杆１０５３で連結したものである。このため、狭いコ字状基体１００１の空間に扉枠用摺動杆１０４０と本体枠用摺動杆１０５０とを効率よく収納することができる。
【０２５７】
ところで、上フック部材１０５１には、その上端部に後方に向かってフック部１０５４が突設され、その板面部にリベット用長穴１０５５と突片移動穴１０５６とが形成され、また、その前方の縦辺下端部にスプリングフック部１０５７と連結穴１０５８とが形成され、さらに、その上辺及び下辺に当接部１０５９が形成されている。フック部１０５４は、コ字状基体１００１の上方のフック貫通開口１００２を貫通して外枠２の開放側内側の上部に設けられる閉鎖用突起３８に係合するもので上向きに係止爪部が形成されている。リベット用長穴１０５５は、扉枠用摺動杆１０４０の上部に形成されるリベット用長穴１０４２に対応するものであり、このリベット用長穴１０５５にリベット１００６が貫通された通常の状態では、リベット１００６がリベット用長穴１０５５の最下端部を貫通した状態となっている。これにより、上フック部材１０５１が下方に向かって移動することができるようになっている。突片移動穴１０５６は、前述したように扉枠用摺動杆１０４０の上方のガイド突片１０４３が挿入されて、扉枠用摺動杆１０４０と本体枠用摺動杆１０５０との相互の移動を案内するようになっている。スプリングフック部１０５７は、前述したようにスプリング１０４８の他端が係止されるものである。また、連結穴１０５８は、連結線杆１０５３の上端が折り曲げられて挿入されるものである。更に、当接部１０５９は、コ字状基体１００１に収納されたときに、該コ字状基体１００１の内部側壁に当接して上フック部材１０５１の摺動動作においてガタつきがなくスムーズに行われるようにするためのものである。
【０２５８】
一方、下フック部材１０５２には、その下端部に後方に向かってフック部１０６５が突設され、その板面部の上方から下方にかけてリベット用長穴１０６１と下降係合穴１０６２と遊び穴１０６３と突片移動穴１０６４とが順次形成され、また、その前方の縦辺上端部に連結穴１０６０が、その後方の縦辺下部に係合切欠部１０６６がそれぞれ形成され、さらに、その上辺及び下辺に当接部１０６７が形成されている。フック部１０６５は、コ字状基体１００１の下方のフック貫通開口１００２を貫通して外枠２の開放側内側の下部に設けられる閉鎖用突起４１に係合するもので上向きに係止爪部が形成されている。リベット用長穴１０６１は、扉枠用摺動杆１０４０の下部に形成されるリベット用長穴１０４２に対応するものであり、このリベット用長穴１０６１にリベット１００６が貫通された通常の状態では、リベット１００６がリベット用長穴１０６１の最下端部を貫通した状態となっている。これにより、下フック部材１０５２が下方に向かって移動することができるようになっている。下降係合穴１０６２は、係合カム１０１６の第１係合突片１０１７が差し込まれて回動するときに、その回動動作によって本体枠用摺動杆１０５０が下降するように係合するためのものである。また、遊び穴１０６３は、係合カム１０１６の第２係合突片１０１８が差し込まれて回動するときに、その回動動作の邪魔にならないように第２係合突片１０１８の先端部が移動し得る空間を構成するものである。突片移動穴１０６４は、前述したように扉枠用摺動杆１０４０の下方のガイド突片１０４３が挿入されて、扉枠用摺動杆１０４０と本体枠用摺動杆１０５０との相互の移動を案内するようになっている。また、連結穴１０６０は、連結線杆１０５３の下端が折り曲げられて挿入されるものである。更に当接部１０６７は、コ字状基体１００１に収納されたときに、該コ字状基体１００１の内部側壁に当接して下フック部材１０５２の摺動動作においてガタつきがなくスムーズに行われるようにするためのものである。
【０２５９】
以上、錠装置１０００を構成する各部材について説明してきたが、この錠装置１０００を組み付けるには、本体枠用摺動杆１０５０の上フック部材１０５１と下フック部材１０５２とを連結線杆１０５３で連結し、その状態で扉枠用摺動杆１０４０のガイド突片１０４３を上フック部材１０５１と下フック部材１０５２の突片移動穴１０５６，１０６４に挿入すると共に、相互のリベット長穴１０４２とリベット用長穴１０５５，１０６１を位置合わせして重ね合わせ、その重ね合わせた状態で上フック部材１０５１のフック部１０５４と下フック部材１０５２のフック部１０６５とをコ字状基体１００１のフック貫通開口１００２に貫通させながら扉枠用摺動杆１０４０及び本体枠用摺動杆１０５０をコ字状基体１００１のコ字状の空間に挿入する。その後、挿通穴１００５からリベット１００６を差し込む。この際、リベット１００６がリベット用長穴１０５５，１０６１、１０４２を貫通するように差し込む。ただし、最下端のリベット１００６を差し込むときには、第１不正防止部材１０２３の揺動軸穴１０２５にもリベット１００６を差し込んで第１不正防止部材１０２３をコ字状基体１００１に同時に取り付ける必要がある。なお、第１不正防止部材１０２３をコ字状基体１００１に取り付ける前に、第１不正防止部材１０２３と第２不正防止部材１０３２とを連結ピン１０３４で連結し且つガイドピン１０２８をピン穴１０２９に図示しないビスで止着しておき、さらにガイドピン１０２８を挿入縦開口１０２０の最下端の開口部に挿入しておく必要がある。
【０２６０】
リベット１００６で扉枠用摺動杆１０４０及び本体枠用摺動杆１０５０をコ字状基体１００１内に収納固定した状態で、スプリング１０４８をスプリングフック部１０４６，１０５７相互間に掛け渡し、扉枠用摺動杆１０４０と本体枠用摺動杆１０５０とを相互に反対方向に付勢し、さらに、バネ１０３５をバネ係止片（穴）１０２１，１０３６に掛け渡して第２不正防止部材１０３２が規制突片１０３１に当接した状態とする。その後、錠取付片１００８の錠挿通穴１００９にシリンダー錠１０１０の円筒状本体部分を挿入してシリンダー錠１０１０をビス１０１２で取付穴１０１４に固定する。なお、このとき係合カム１０１６の第１係合突片１０１７の先端部が傾斜部１０２４の外側で且つ挿入縦開口１０２０に僅かに挿入し、係合カム１０１６の第２係合突片１０１８の先端部が第１不正防止部材１０２３の突片挿入穴１０２６及び挿入縦開口１０２０に僅かに挿入した状態となるようにシリンダー錠１０１０を錠取付片１００８に取り付ける。
【０２６１】
上記のようにして組み付けた錠装置１０００を本体枠３の裏面に取り付けるためには、前述したように、扉枠用摺動杆１０４０の扉枠用フック部１０４１を本体枠３に形成される扉用フック穴５４９に差し込みながら、鉤型に突出する係止突起１００４を本体枠３の錠係止穴５４８に差し込んで上方に移動させ、その状態で水平方向に突出したビス止め部１００３及びビス止め部１００３を錠取付穴５４７に一致させ、その一致した穴に図示しないビスを螺着することにより、図１４３に示すように、錠装置１０００を本体枠３の裏面に強固に固定することができる。特に、本実施形態の場合には、前方部の係止構造を構成する係止突起１００４がコ字状基体１００１の第１側面壁５４０と密着しない側面１００１ａに突設形成される一方、後方部の固定構造を構成するビス止め部１００３及びビス止め部１００３がコ字状基体１００１の第１側面壁５４０と密着する側面１００１ｂから水平方向に突設形成される構造であるため、前方部の係止構造が第１側面壁５４０と密着する側面１００１ｂに形成される場合に比べて、ガタ付きが生じないように錠装置１０００を本体枠３に固定することができるものである。
【０２６２】
ところで、本体枠３の裏面に取り付けられた錠装置１０００の作用について図１５０及び図１５１を参照して説明する。まず、図１５０を参照して本体枠３の開閉動作と扉枠５の開閉動作について説明する。本体枠３が外枠２に対して閉じ且つ扉枠５が本体枠３に対して閉じている状態においては、図１５０（Ａ）に示すように、外枠２の閉鎖用突起３８，４１と本体枠用摺動杆１０５０のフック部１０５４，１０６５とが係止し且つ扉枠用摺動杆１０４０の扉枠用フック部１０４１と扉枠５のフックカバー２２７とが係止した状態となっている。その状態でシリンダー錠１０１０に図示しない鍵を差し込んで係合カム１０１６の第１係合突片１０１７が挿入縦開口１０２０内に侵入する方向に回動すると、図１５０（Ｂ）に示すように、第１係合突片１０１７の先端が本体枠用摺動杆１０５０の下降係合穴１０６２に係合してスプリング１０４８の付勢力に抗して下フック部材１０５２を下方に押下げ、これと連結されている連結線杆１０５３と上フック部材１０５１も押下げられて下降する。このため、外枠２の閉鎖用突起３８，４１と本体枠用摺動杆１０５０のフック部１０５４，１０６５とが係止状態が解除されるため、本体枠３を前面側に引くことにより本体枠３を外枠２に対して開放することができる。なお、本体枠３を閉じる場合には、フック部１０５４，１０６５がスプリング１０４８の付勢力により上昇した状態（図１５０（Ａ）に示す状態と同じ上昇した位置）となっているが、フック部１０５４，１０６５の上辺が外側に向かって下り傾斜しているため、強制的に本体枠３を外枠２に対して押圧することにより、フック部１０５４，１０６５の上辺傾斜部が閉鎖用突起３８，４１の下端部と当接するので、本体枠用摺動杆１０５０が下方に下降し、遂には、フック部１０５４，１０６５の上向き爪部と閉鎖用突起３８，４１とが再度係止した状態となって本体枠用摺動杆１０５０が上昇して係止状態に戻る。
【０２６３】
一方、シリンダー錠１０１０に図示しない鍵を差し込んで係合カム１０１６の第２係合突片１０１８が挿入縦開口１０２０内に侵入する方向に回動すると、図１５０（Ｃ）に示すように、第２係合突片１０１８の先端が扉枠用摺動杆１０４０の上昇係合穴１０４５に係合してスプリング１０４８の付勢力に抗して扉枠用摺動杆１０４０を上方に押し上げ上昇する。このため、扉枠５のフックカバー２２７と扉枠用摺動杆１０４０の扉枠用フック部１０４１とが係止状態が解除されるため、扉枠５を前面側に引くことにより扉枠５を本体枠３に対して開放することができる。なお、扉枠５を閉じる場合には、扉枠用フック部１０４１がスプリング１０４８の付勢力により下降した状態（図１５０（Ａ）に示す状態と同じ下降した位置）となっているが、扉枠用フック部１０４１の下辺が外側に向かって上り傾斜しているため、強制的に扉枠５を本体枠３に対して押圧することにより、扉枠用フック部１０４１の下辺傾斜部がフックカバー２２７の上端部と当接するので、扉枠用摺動杆１０４０が上方に上昇し、遂には、扉枠用フック部１０４１の下向き爪部とフックカバー２２７とが再度係止した状態となって扉枠用摺動杆１０４０が下降して係止状態に戻る。なお、本実施形態における扉枠用摺動杆１０４０は、コ字状基体１００１の全長とほぼ同じ長さに形成されると共に、そのコ字状基体１００１が本体枠３の縦方向の側面のほぼ全長に亘って取り付けられ、しかも、扉枠５との係止部である扉枠用フック部１０４１が扉枠用摺動杆１０４０の上端部、中央部、下端部の３箇所に形成されているため、扉枠５と本体枠３の縦方向の全長における施錠が確実に行われ、扉枠５と本体枠３との間を無理やりこじ開けてその間からピアノ線等の不正具を挿入する不正行為を行うことができないという利点もある。
【０２６４】
上記したように、本実施形態に係る錠装置１０００は、シリンダー錠１０１０に差し込んだ鍵を一方向に回動することにより、外枠２に対する本体枠３の施錠を解除し、他方向に回動することにより、本体枠３に対する扉枠５の施錠を解除することができる。この場合、シリンダー錠１０１０に鍵を差し込むことなく本体枠用摺動杆１０５０のフック部１０５４，１０６５にピアノ線等を引っ掛けてこれを下降させる不正行為が行われることがあるが、本実施形態においては、このような不正行為を行うことができないようになっている。このような不正行為を防止する構造の第１番目が第１不正防止部材１０２３と第２不正防止部材１０３２とから構成されるロック機構であり、第２番目の不正防止構造がコ字状基体１００１の閉鎖空間に扉枠用摺動杆１０４０及び本体枠用摺動杆１０５０が収納される構造である。
【０２６５】
まず、第１番目の不正防止構造であるロック機構の作用について図１５１を参照して説明する。まず、外枠２と本体枠３とが閉じている状態においては、図１５１（Ａ）に示すように、外枠２の閉鎖用突起４１と第２不正防止部材１０３２の当接部１０３７とが当接した状態となっている。この状態においては、バネ１０３５の付勢力により第１不正防止部材１０２３が反時計方向に回動してストッパー片部１０２７が不正防止切欠部１００７内に侵入し、ストッパー片部１０２７が不正防止切欠部１００７に対応する位置にある本体枠用摺動杆１０５０の下フック部材１０５２に形成される係合切欠部１０６６と係合した状態となっている。このため、本体枠用摺動杆１０５０にピアノ線等を引っ掛けて引き降ろそうとしても、ストッパー片部１０２７と係合切欠部１０６６とが係合しているので、本体枠用摺動杆１０５０を不正に下方に引き降ろすこと（解錠すること）が不能となり、本体枠３を開放するという不正行為を行うことができない。
【０２６６】
一方、シリンダー錠１０１０に鍵を差し込んで正規に本体枠３を開錠する場合には、図１５１（Ｂ）に示すように、鍵を回動させることにより係合カム１０１６の第１係合突片１０１７が挿入縦開口１０２０内に侵入するように回動される。この第１係合突片１０１７の回動時に、第１不正防止部材１０２３の傾斜部１０２４と第１係合突片１０１７の側面とが当接するため、第１不正防止部材１０２３が揺動軸穴１０２５を中心として図示の時計回転方向に回転を始め、ストッパー片部１０２７も不正防止切欠部１００７から退避するように移動する。このため、ストッパー片部１０２７と係合切欠部１０６６との係合が解除された状態となる。このとき、第２不正防止部材１０３２は、バネ１０３５を伸ばして当接部１０３７が後退した位置となっている。この状態でさらに係合カム１０１６を回動させて第１係合突片１０１７も回動させると、第１係合突片１０１７の先端が下フック部材１０５２の下降係合穴１０６２に係合して本体枠用摺動杆１０５０の全体を下降させるので、フック部１０５４，１０６５と外枠２の閉鎖用突起３８，４１との係止状態が解除されて本体枠３を外枠２に対して開放することができる。
【０２６７】
なお、本体枠３を外枠２に対して閉じるときには、第２不正防止部材１０３２は、規制突片１０３１に当接した状態となっているため、第１不正防止部材１０２３と第２不正防止部材１０３２との位置関係は、図１５１（Ａ）に示す状態とほぼ同じ位置関係になっている。この状態で本体枠３を閉めると、外枠２の閉鎖用突起４１と第２不正防止部材１０３２の当接部１０３７とが正面から当接し、最終的に図１５１（Ａ）に示す状態となる。このため、第１不正防止部材１０２３と第２不正防止部材１０３２とが本体枠３を閉じるときに邪魔になることはない。また、本実施形態においては、第１不正防止部材１０２３と第２不正防止部材１０３２とが本体枠用摺動杆１０５０の下降動作だけが不正に行われないように防止しているのは、本体枠用摺動杆１０５０を不正に開放すれば、解放後に扉枠用摺動杆１０４０を手動で簡単に開けることができることと、ピアノ線等で摺動杆を上昇させる不正行為は事実上行い難いという理由により、本体枠用摺動杆１０５０に対する不正操作ができないように工夫されている。
【０２６８】
また、上記した第１番目の不正防止構造であるロック機構であっても、第１不正防止部材１０２３をピアノ線等で揺動させることにより、ロック機構の機能を無力化することも不可能ではない。そこで、万一ロック機構のロック機能が不正な行為により無力化される場合を想定すると、本実施形態においては、錠装置１０００が本体枠３に取り付けられた状態では、内部に設けられる扉枠用摺動杆１０４０と本体枠用摺動杆１０５０とが、それぞれのフック部１０４１、１０５４，１０６５を除いてコ字状基体１００１の閉鎖空間に収納されて完全に被覆された状態となっているので、ピアノ線等を差し込んでコ字状基体１００１の閉鎖空間の内部に設けられる本体枠用摺動杆１０５０を引き下げようとしても、コ字状基体１００１の両側面１００１ａ，１００１ｂによって不正具の閉鎖空間への侵入が阻止されるため、不正行為を簡単に行うことができない構造となっている。
【０２６９】
以上、詳述したように、本実施形態に係る錠装置１０００は、その横幅寸法が従来のＬ字状基体に集約される錠装置に比べて極めて薄いコ字状基体１００１の内部に扉枠用摺動杆１０４０と本体枠用摺動杆１０５０とを摺動可能に設け且つ錠装置１０００を操作するためのシリンダー錠１０１０のコ字状基体１００１への取付位置を遊技盤の下端辺よりも下方となる位置としたので、遊技盤４の左右方向及び上下方向の大きさを極めて大きくすると共に、本体枠３の側面壁５４０〜５４３で囲まれる空間を大きくしても、錠装置１０００を本体枠３の裏側に強固に取り付けることができる。そして、断面コ字状の開放側が本体枠３の裏面に対面するように取り付けられるため、錠装置１０００が本体枠３に取り付けられた状態では、内部に設けられる扉枠用摺動杆１０４０と本体枠用摺動杆１０５０とが、それぞれのフック部１０４１、１０５４，１０６５を除いてコ字状基体１００１に完全に被覆された状態となっているので、ピアノ線等を差し込んで内部に設けられる本体枠用摺動杆１０５０を引き下げる等の不正行為を簡単に行うことができない。また、錠装置１０００の取り付けに際し、コ字状基体１００１の開放側（前方部）の上中下の３箇所に形成される係止突起１００４を錠係止穴５４８に差し込んで位置決め係止し、コ字状基体１００１の閉塞側（後方部）の上中下の３箇所に形成されたビス止め部１００３及びビス止め部１００３を錠取付穴５４７にビスで固定する構造であるため、錠装置１０００の前方部を係止突起１００４と錠係止穴５４８で係止し、錠装置１０００の後方部をビス止め部１００３及びビス止め部１００３と錠取付穴５４７で固定するので、極めて簡単な構造で錠装置１０００を本体枠３に強固に固定することができるものである。
【０２７０】
なお、上記した実施形態においては、コ字状基体１００１の下方部をビス止めする構造として錠取付片１００８に形成されたビス止め部１００３と本体枠３のシリンダー錠貫通穴５２６の上部近傍に形成した錠取付穴５４７とを螺着する構造としたが、これに代えて、シリンダー錠１０１０を錠取付片１００８に取り付けるビス１０１２を利用して、該ビス１０１２の先端が錠取付片１００８を貫通して螺着される錠取付穴をシリンダー錠貫通穴５２６の上下に形成する構造でも良い。また、コ字状基体１００１の下方部をビス止めしなくても、錠装置１０００の後方部のビス止め部１００３と錠取付穴５４７との固定だけでも、錠装置１０００を本体枠３の裏面に強固に固定されることを確認している。更に、上記した実施形態においては、扉枠用摺動杆１０４０及び本体枠用摺動杆１０５０を左右の側面１００１ａ，１００１ｂを有するコ字状基体１００１で完全に被覆するものとしたが、例えば、扉枠用摺動杆１０４０及び本体枠用摺動杆１０５０を第１側面壁５４０に密着しない反対側の側面１００１ａに摺動自在にリベット等で装着し、第１側面壁５４０に密着する側面１００１ｂを省略したＬ字状基体（錠基体）とし、そのＬ字状基体（錠基体）の側面１００１ａと第１側面壁５４０とによって形成される閉鎖空間に扉枠用摺動杆１０４０及び本体枠用摺動杆１０５０を収納する構造としてもよい。この場合でも、実施形態と同じような取付構造及び不正防止構造とすることができる。
【０２７１】
<基板ユニット>
次に、本体枠３の裏面下部に取り付けられる基板ユニット１１００について、主として図１５２乃至図１６２を参照して説明する。図１５２は、基板ユニット１１００を背面側から見た斜視図であり、図１５３は、基板ユニット１１００の背面側から見た分解斜視図であり、図１５４は、基板ユニット１１００を前面側から見た斜視図であり、図１５５は、基板ユニット１１００の前面側から見た分解斜視図であり、図１５６は、基板ユニット１１００の主体をなす枠用基板ホルダー１１０１の前面側から見た正面図であり、図１５７は、枠用基板ホルダー１１０１の背面図であり、図１５８は、基板ユニット１１００の背面図であり、図１５９は、払出制御基板ボックス１１０５及び端子基板ボックス１１０４を取り外した状態の基板ユニット１１００の背面図であり、図１６０は、基板ユニット１１００に設けられる各基板の接続関係を示す平面図であり、図１６１は、図１６２の断面図の断面箇所を説明するための遊技盤４の正面図であり、図１６２は、図１６１のＣ−Ｃ断面図である。
【０２７２】
基板ユニット１１００は、本体枠３の裏面下部に複数形成されるホルダー用の取付穴部５２７（図９６，図９８参照）に取り付けられるものであり、図１５２及び図１５３に示すように、合成樹脂成形された枠用基板ホルダー１１０１に、扉中継基板１１０２、電源基板ボックス１１０３、端子基板ボックス１１０４、払出制御基板ボックス１１０５、主ドロワ中継基板１１０７、及び副ドロワ中継基板１１０８の各種基板を取り付けることにより構成されている。上記の基板のうち、扉中継基板１１０２、電源基板ボックス１１０３、端子基板ボックス１１０４、及び払出制御基板ボックス１１０５は、枠用基板ホルダー１１０１の後面側に前後方向に重複して取り付けられ、主ドロワ中継基板１１０７及び副ドロワ中継基板１１０８は、枠用基板ホルダー１１０１の前面側に取り付けられるものである。なお、払出制御基板ボックス１１０５の裏面には、電源基板等からの電磁波の影響を防止するためにシールド板１１０６が取り付けられ、また、主ドロワ中継基板１１０７及び副ドロワ中継基板１１０８は、基板カバー１１０９に被覆されて取り付けられている。以下、基板ユニット１１００を構成する各部材について詳細に説明する。
【０２７３】
まず、枠用基板ホルダー１１０１は、横長状に合成樹脂で成形され、図１５３及び図１５６に示すように、その後面側一側部（図１５６において右側部）に配線用開口１１２４が形成され、該配線用開口１１２４の内側に扉中継基板１１０２を取り付けるための中継基板用凹部１１１０が形成されている。この中継基板用凹部１１１０は、ほぼ正方形状の扉中継基板１１０２の外形に合致するように正方形状の凹部として形成され、この中継基板用凹部１１１０内の上下辺には、扉中継基板１１０２の裏面を支える当接突部１１１３が突設されると共に、中継基板用凹部１１１０に扉中継基板１１０２を収納した状態で扉中継基板１１０２の一側縦辺の表面と係止する止め爪１１１１が形成されている。また、中継基板用凹部１１１０の外側寄りの上下には、電源基板ボックス１１０３の一端辺に形成される係合係止穴１１４３に係合されて図示しないビスで止着するための取付ボス１１１２が突設されている。
【０２７４】
また、枠用基板ホルダー１１０１の後面側において、上記した中継基板用凹部１１１０よりも中央寄りに内部に通す配線を係止して纏めるための２つの配線処理片１１１４が形成されている。この配線処理片１１１４は、垂直面に対して側方から見たときにＬ字状に突出形成されるもので、その垂直面とＬ字状突片との間に配線を掛け止めるようになっている。更に、枠用基板ホルダー１１０１の前記中継基板用凹部１１１０の上部からほぼ中央よりやや他端側に近い部分までが電源基板ボックス１１０３を取り付けるための領域（次に説明する右側の低い領域）となっており、その上下辺に電源基板ボックス１１０３の裏面と当接する当接突部１１１５が突設されている。したがって、この電源基板ボックス取付領域に電源基板ボックス１１０３を当接突部１１１５に当接するように取り付けた状態では、電源基板ボックス１１０３の裏面と枠用基板ホルダー１１０１の垂直面との間に空間が形成され、この空間内に基板相互を接続する配線が収納されることになり、この収納された配線を係止して纏めるものが２つの前記配線処理片１１１４である。
【０２７５】
なお、電源基板ボックス１１０３を取り付ける領域の他端辺から枠用基板ホルダー１１０１の他端辺（図１５６において左側辺）までは、後方への突出量が大きく形成されている。つまり、枠用基板ホルダー１１０１は、背面から見たときに、中央よりやや左側の位置で左側が高く右側が低い段差状に形成されており、その右側の低い領域が前記電源基板ボックス１１０３を取り付けるための領域（以下、「電源基板ボックス取付領域」という場合がある。）となっている。そして、この電源基板ボックス取付領域の他端辺側には、電源基板ボックス１１０３の他端辺上下に突設される挿入突起１１４２が挿入される挿入口１１１６が形成されている。このため、電源基板ボックス１１０３を取り付けるためには、挿入突起１１４２を挿入口１１１６に差し込んだ後、電源基板ボックス１１０３の一端辺上下に形成される係合係止穴１１４３を取付ボス１１１２に上から差し込んで図示しないビスで止着することにより、電源基板ボックス１１０３を枠用基板ホルダー１１０１に固定することができる。
【０２７６】
更に、枠用基板ホルダー１１０１の背面側において、上記した段差状の高い領域は、払出制御基板ボックス１１０５を取り付けるための領域（以下、「払出制御基板ボックス取付領域」という場合がある。）の一部を構成するものであり、この段差状の高い領域の一部には、横Ｌ字状の凹状の配線引き廻し空間１１１７が形成されている。この配線引き廻し空間１１１７の底面には、配線用開口１１２５（図１５５〜図１５９参照）が形成されており、前記電源基板ボックス取付領域内の２つの配線処理片１１１４に掛け止められた配線を配線引き廻し空間１１１７及び配線用開口１１２５から枠用基板ホルダー１１０１の前面側に引き出すようになっている。また、払出制御基板ボックス取付領域の他端側（図１５３の左端部側）には、払出制御基板ボックス１１０５の係合弾性片１１８５が係合するための係止突部１１１８が突設形成されている。
【０２７７】
次に、枠用基板ホルダー１１０１の前面側の構成について説明すると、図１５４、図１５５、図１５７に示すように、枠用基板ホルダー１１０１の前面側のほぼ中央には、アウト球通路１１１９が逆さＬ字状に形成されている。このアウト球通路１１１９は、前述したアウト口６０６（図１０５参照）、球抜排出通路５２４（図９６参照）の下流側、及び落下口６２９（図１０３参照）と対応するように上方が幅広く形成され、下流側が球を列状に排出するように幅狭く形成されている。したがって、基板ユニット１１００を本体枠３に取り付けたときには、図９９に示すように、アウト球通路１１１９の幅広上流部がアウト口６０６の下面を支持する通路支持突起５１３の後方に位置するようになっている。そして、アウト球通路１１１９の下流端からアウト球や入賞球、あるいは球抜き球がパチンコ遊技機の外部（一般的に、島の回収樋）に向かって放出されるものである。
【０２７８】
また、枠用基板ホルダー１１０１の前面側であって前記払出制御基板ボックス取付領域に対応する前面側には、その上方領域に主ドロワ中継基板１１０７と副ドロワ中継基板１１０８とを横方向に所定間隔を空けて並列状に取り付けるドロワ取付領域１１２１が形成されている。ドロワ取付領域１１２１には、それぞれの中継基板１１０７，１１０８に形成された支持穴１２０４が貫通されて各中継基板１１０７，１１０８を支持するためのドロワ取付ボス１１２０が突設されると共に、それぞれの中継基板１１０７，１１０８の中間位置の上下に接合案内孔１１２７と案内孔１１２６が穿設されている。この接合案内孔１１２７は、図１６２に示すように、遊技盤４を本体枠３に装着する作業に伴って、基板ユニット１１００側に設けられるドロワコネクタ１２００，１２０２（ホルダー側コネクタ）と遊技盤４側に設けられるドロワコネクタ６２６，６２７（遊技盤側コネクタ）とが自然に接続されるように遊技盤４の盤用基板ホルダー６２３に形成される接合案内突起６２８（図１０６参照）が挿入されるものである。一方、案内孔１１２６は、基板ユニット１１００を本体枠３に取り付ける際に、本体枠３に突設される案内突起５２５（図９６参照）が挿入されるもので、基板ユニット１１００の位置決めを行うと共に装着作業の容易化を図っているものである。また、枠用基板ホルダー１１０１の左右両辺及び下辺には、基板ユニット１１００を本体枠３に取り付けるための取付片１１２２が外側に向かって突設され、該取付片１１２２を本体枠３の前記取付穴部５２７（図９６参照）に対応させて図示しないビスで止着することにより、基板ユニット１１００が本体枠３の背面下部に取り付けられる。なお、取付穴部５２７は、図９８に示すように、取付片１１２２の外形形状に合致する外周壁を有して形成されている。更に、枠用基板ホルダー１１０１の他端側（図１５４の右側）側壁の外側に、配線を係止するための配線掛止片１１２３が突設形成されている。
【０２７９】
枠用基板ホルダー１１０１の構成は、概ね上記した通りであるが、そのような構成を有する枠用基板ホルダー１１０１に取り付けられる各種の基板の構成について説明する。まず、枠用基板ホルダー１１０１の後面側の前記中継基板用凹部１１１０に装着される扉中継基板１１０２について説明すると、扉中継基板１１０２には、図１５３に示すように、多ピンコネクタ形式の内部接続端子１１３０と扉枠用接続端子１１３１とが設けられている。扉枠用接続端子１１３１は、枠用基板ホルダー１１０１にすべての基板を取り付けた状態においても、図１５８に示すように、背面から見て外部から視認できるようになっており、扉枠５に設けられるランプ及びＬＥＤからなる電飾部品やスピーカ等の扉枠用配線１２２０（図１６０参照）が配線用開口１１２４を通って扉枠用接続端子１１３１に接続されるものである。また、内部接続端子１１３０は、副ドロワ中継基板１１０８に設けられる扉枠用コネクタ１２０３に内部配線１２２１（図１６０参照）によって接続されるものである。ただし、この内部配線１２２１は、前述した配線処理片１１１４及び配線引き廻し空間１１１７、配線用開口１１２４を敷設されるように枠用基板ホルダー１１０１の内部に設けられている。
【０２８０】
また、枠用基板ホルダー１１０１の後面側の前記電源基板ボックス取付領域に取り付けられる電源基板ボックス１１０３は、電源基板１１４４（図１５９参照）を固定するボックス主体１１４０と、該ボックス主体１１４０を被覆するカバー体１１４１と、から構成されている。ボックス主体１１４０には、その一端部の上下に前記取付ボス１１１２と係合する係合係止穴１１４３が一体的に形成され、その他端部の上下に前記挿入口１１１６に挿入される挿入突起１１４２が一体的に形成されている。また、電源基板１１４４のカバー体１１４１に被覆されない部分（図１５９の右側部と左下部）には、図１５９に示すように、電源スイッチ１１４５と電源線コネクタ１１４６とＣＲユニット電源コネクタ１１４７とアース用コネクタ１１４８と払出制御基板用電源コネクタ１１４９とが設けられている。電源スイッチ１１４５は、パチンコ遊技機１の全ての電気機器に電源を供給するためのスイッチであり、パチンコ遊技機１を使用する際にＯＮとするものである。また、電源線コネクタ１１４６は、島内に供給されている１００Ｖ又は２４Ｖの電源用配線からの電源配線を接続するためのコネクタである。ＣＲユニット電源コネクタ１１４７は、パチンコ遊技機１に隣接されるカード式球貸器（図示しない；一般的に、ＣＲユニットと言われている。）への電源を供給するためのコネクタである。アース用コネクタ１１４８は、パチンコ遊技機１に設けられる帯電防止用のアース装置（例えば、前述したアース線接続具５５７）からのアース線が接続されて電源基板１１４４及び電源線コネクタ１１４６を介して外部に静電気がアースされるようになっている。更に、払出制御基板用電源コネクタ１１４９には、図１６０に示すように、電源供給用配線１２２２が接続され、該電源供給用配線１２２２が払出制御基板１１８６の電源用端子１１９３に接続されている。そして、この電源供給用配線１２２２により、払出制御基板１１８６を介して他の制御基板（例えば、液晶表示制御基板ボックス６２２に収納される液晶表示制御基板や遊技制御基板ボックス６２４に収納される遊技制御基板）等に電源を供給するようになっている。なお、電源供給用配線１２２２は、払出制御基板用電源コネクタ１１４９から前記配線引き廻し空間１１１７に導かれ払出制御基板ボックス１１０５の裏面から後方に引き出されて電源用端子１１９３に接続されるようになっている。つまり、この電源供給用配線１２２２も枠用基板ホルダー１１０１の内部に敷設された状態となっている。
【０２８１】
ところで、電源基板ボックス１１０３のカバー体１１４１の後面は、図１５３に示すように、段差状に形成され、その段差の高い領域が端子基板ボックス１１０４を取り付けるための取付領域１１５０となっており、段差の低い領域が払出制御基板ボックス１１０５を取り付けるための取付領域１１５１となっている。取付領域１１５１は、枠用基板ホルダー１１０１の前述した払出制御基板ボックス取付領域と一緒になって横長の払出制御基板ボックス１１０５を取り付けるための取付領域を構成するものである。なお、上記した段差部のほぼ中央には、払出制御基板ボックス１１０５の後述する係合片１１８４（図１５５参照）が係合挿入される係合穴１１５４が形成されている。
【０２８２】
端子基板ボックス１１０４を取り付けるための取付領域１１５０を構成するカバー体１１４１には、端子基板ボックス１１０４の裏面側に形成される位置決めピン１１６１及び係合片部１１６０とそれぞれ位置決め若しくは係合する位置決め穴１１５３及び取付係合穴１１５２が形成されている。係合片部１１６０は、断面Ｌ字状に形成される一方、取付係合穴１１５２は、幅広部と幅狭部とが連続する穴状に形成されているので、係合片部１１６０を取付係合穴１１５２の幅広部に挿入した後、一方向（図示の場合は、枠用基板ホルダー１１０１の中央方向）にスライド移動させることにより、Ｌ字状の係合片部１１６０と取付係合穴１１５２の幅狭部とが係合するようになっている。なお、端子基板ボックス１１０４の他側辺の下部に掛止片１１６２が突設され、端子基板ボックス１１０４がカバー体１１４１にスライド移動係合されたときに、掛止片１１６２が払出制御基板ボックス１１０５のボックス主体１１８０の一部と係合するようになっている。なお、この係合は、少し力を入れて端子基板ボックス１１０４を非係合方向にスライド移動させることにより、簡単に外れる程度の係合状態である。
【０２８３】
また、端子基板ボックス１１０４には、図１５８に示すように、複数の外部情報端子１１６５と払出制御基板用端子１１７０とが設けられる情報端子基板１１６３と、度数表示器用端子１１６６と電源アース端子１１６７とＣＲユニット用端子１１６８と払出制御基板用端子１１６９とが設けられるＣＲユニット端子基板１１６４と、の２つの基板が上下方向に並列状に収納されている。情報端子基板１１６３に設けられる複数の外部情報端子１１６５は、扉開放情報信号、大当り情報信号や始動情報信号等のパチンコ遊技機１の管理に必要な各種の情報信号を外部（例えば、遊技場に設置してある管理コンピュータ）に導出するためのコネクタであり、それらの情報信号のうち扉開放情報信号を除く情報信号は、主として遊技制御基板ボックス６２４に収納されている遊技制御基板から後に詳述する主ドロワ中継コネクタ１２００を介して払出制御基板１１８６に伝送され、さらに払出制御基板１１８６に設けられる情報端子基板用端子１１８９と前記払出制御基板用端子１１７０との接続により、最終的に複数の外部情報端子１１６５のそれぞれに伝達される。ＣＲユニット端子基板１１６４の度数表示器用端子１１６６は、パチンコ遊技機１の、例えば皿ユニット３００に設けられるプリペイドカードの残度数表示器、貸球スイッチ、及び返却スイッチとの配線が接続されるものである。また、電源アース端子１１６７は、２つのコネクタから構成され、一方のコネクタ（図１５８の左側）には電源基板１１４４のＣＲユニット電源コネクタ１１４７からの配線が接続され、他方のコネクタには電源基板１１４４の複数のアース用コネクタ１１４８のうちの１つのアース用コネクタ１１４８からの配線が接続されるものである。更に、ＣＲユニット用端子１１６８は、図示しないＣＲユニットからの配線が接続されるものであり、払出制御基板１１８６のＣＲ端子基板用端子１１９０と前記払出制御基板用端子１１６９とが接続されることにより、払出制御基板１１８６とＣＲユニットとが接続されることになる。
【０２８４】
上記したように、端子基板ボックス１１０４は、遊技制御基板ボックス６２４に収納される遊技制御基板からの遊技情報を外部に導出する情報端子基板１１６３と、払出制御基板１１８６とＣＲユニットとの接続を中継するＣＲユニット端子基板１１６４と、の両方の基板を収納するものであり、これらは従来別々の基板ボックスに収納されてパチンコ遊技機１の裏面に別々の位置に設けられていたが、本実施形態においては、１つの端子基板ボックス１１０４に纏めて枠用基板ホルダー１１０１に装着したものである。このため、特に、本実施形態の場合、遊技制御基板と情報端子基板１１６３とを直接配線で接続することなく、払出制御基板１１８６を介して接続した独特な構成を有するものとなっている。
【０２８５】
次に、枠用基板ホルダー１１０１の払出制御基板ボックス取付領域と電源基板ボックス１１０３のカバー体１１４１に形成される取付領域１１５１とにわたって取り付けえる払出制御基板ボックス１１０５について、主として図１５３、図１５５及び図１５８を参照して説明する。払出制御基板ボックス１１０５は、横長の長方形状の払出制御基板１１８６が図示しないビス等で固定されるボックス主体１１８０と、該ボックス主体１１８０に取り付けられて払出制御基板１１８６の表面を覆うカバー体１１８１と、から構成されている。ボックス主体１１８０とカバー体１１８１とは、その一側辺（図１５８の右側辺）を係合させ、その他側辺（図１５８の左側辺）に分離切断部１１８３でカシメ固定している。これによってボックス主体１１８０とカバー体１１８１とを分離するためには、分離切断部１１８３を切断しないと分離できないようになっている。ただし、分離切断部１１８３におけるカシメ固定は、複数箇所（図示の場合は、１〜４の数字で示す４箇所）のうち、いずれかをカシメ部材でカシメれば良く、例えば、検査等で分離する必要がある場合には、３回まで行うことができる。もちろん、不正に分離した場合には、切断した痕跡が残ることになるので、不正行為があったか否かを直ちに知ることができる。また、ボックス主体１１８０の一側短辺中央には、電源基板ボックス１１０３のカバー体１１４１に形成される係合穴１１５４に差し込まれる係合片１１８４が突設形成され、他側短辺下部には、枠用基板ホルダー１１０１に形成される係止突部１１１８に弾性係合する係合弾性片１１８５が形成されている。したがって、払出制御基板ボックス１１０５を枠用基板ホルダー１１０１に取り付けるには、係合片１１８４を係合穴１１５４に差し込んだ後、係合弾性片１１８５を係止突部１１１８に係合させることにより、簡単に取り付けることができる。そして、枠用基板ホルダー１１０１の払出制御基板ボックス取付領域と電源基板ボックス１１０３のカバー体１１４１に形成される取付領域１１５１とにわたって払出制御基板ボックス１１０５を取り付けた状態においては、それらの取付領域１１５１内に払出制御基板ボックス１１０５が収納された状態となり左右方向にも上下方向にも移動できないように固定された状態となっている。逆に、取り外す場合には、係合弾性片１１８５を弾性方向と逆方向に押圧して係合弾性片１１８５と係止突部１１１８との係合を外して払出制御基板ボックス１１０５を引き上げながら、係合穴１１５４から係合片１１８４を引き抜くことにより、払出制御基板ボックス１１０５を枠用基板ホルダー１１０１から外すことができる。
【０２８６】
また、上記したボックス主体１１８０とカバー体１１８１とによって被覆される払出制御基板１１８６には、その一側部（図１５８の右側部）に扉開放スイッチ用端子１１８７、賞球ユニット用端子１１８８、情報端子基板用端子１１８９、ＣＲ端子基板用端子１１９０、及び満タンスイッチ用端子１１９１が設けられ、その他側下部（図１５８の左側部）に検査用出力端子１１９２、電源用端子１１９３、発射モータ用端子１１９４、操作ハンドル用端子１１９５、及び内部接続端子１１９６が設けられている。
【０２８７】
扉開放スイッチ用端子１１８７は、扉枠５を開放したことを検出するスイッチ（図示しないが、本体枠３の開放側前面に設けられる）からの配線が接続されるコネクタである。賞球ユニット用端子１１８８は、前述した賞球ユニット８００の中継基板８３０からの配線が接続される多ピンコネクタである。情報端子基板用端子１１８９は、前述したように情報端子基板１１６３の払出制御基板用端子１１７０に接続される多ピンコネクタである。ＣＲ端子基板用端子１１９０は、前述したようにＣＲユニット端子基板１１６４の払出制御基板用端子１１６９に接続される多ピンコネクタである。満タンスイッチ用端子１１９１は、満タンユニット９００の満タンスイッチ９１６からの配線が接続されるコネクタである。検査用出力端子１１９２は、払出制御基板１１８６を検査する際に検査機器に接続するためのコネクタであり、検査用の各種の出力信号を出力するための端子である。電源用端子１１９３は、前述したように電源基板１１４４の払出制御基板用電源コネクタ１１４９に電源供給用配線１２２２によって接続されるコネクタである。発射モータ用端子１１９４は、打球発射装置６５０の発射モータ６９５からの配線が接続されるコネクタである。操作ハンドル用端子１１９５は、ハンドル装置４６０の操作ハンドル部４６１の内部に設けられるタッチセンサ４７０及びマイクロスイッチ４７２からの配線が接続されるコネクタである。内部接続端子１１９６は、主ドロワ中継基板１１０７に設けられる払出制御基板用コネクタ１２０１に信号電源配線１２２３によって接続されるコネクタである。
【０２８８】
次に、枠用基板ホルダー１１０１の前面側に形成されるドロワ取付領域１１２１に取り付ける主ドロワ中継基板１１０７と副ドロワ中継基板１１０８について説明する。図１５５に示すように、主ドロワ中継基板１１０７には、遊技盤４の裏面側に取り付けられる中継端子板６２５に設けられる主ドロワコネクタ６２６（遊技盤側コネクタ；図１０６参照）と接続される主ドロワ中継コネクタ１２００（ホルダー側コネクタ）と、払出制御基板１１８６の内部接続端子１１９６と信号電源配線１２２３を介して接続される払出制御基板用コネクタ１２０１とが上下に設けられている。また、副ドロワ中継基板１１０８には、遊技盤４の裏面側に取り付けられる中継端子板６２５に設けられる副ドロワコネクタ６２７（遊技盤側コネクタ；図１０６参照）と接続される副ドロワ中継コネクタ１２０２（ホルダー側コネクタ）と、扉中継基板１１０２の内部接続端子１１３０と内部配線１２２１を介して接続される扉枠用コネクタ１２０３とが上下に設けられている。また、主ドロワ中継基板１１０７及び副ドロワ中継基板１１０８には、各基板の左右両側に支持穴１２０４が穿設され、該支持穴１２０４をドロワ取付領域１１２１に突設されるドロワ取付ボス１１２０に差し込むことにより、主ドロワ中継基板１１０７及び副ドロワ中継基板１１０８をドロワ取付領域１１２１内に位置決め支持され、その後、基板カバー１１０９で被覆することにより、堅固に固定される。
【０２８９】
ところで、基板カバー１１０９には、主ドロワ中継基板１１０７に設けられる主ドロワ中継コネクタ１２００及び払出制御基板用コネクタ１２０１と、副ドロワ中継基板１１０８に設けられる副ドロワ中継コネクタ１２０２及び扉枠用コネクタ１２０３とが基板カバー１１０９の外側に突出するための長方形状のコネクタ用開口１２０５，１２０６，１２０７，１２０８が開設され、また、基板カバー１１０９の裏面側に、ドロワ取付ボス１１２０の先端部が挿通されるピン挿通穴１２１０（図１５３参照）が形成されると共に、左右両端に基板カバー１１０９を枠用基板ホルダー１１０１に図示しないビスで止着するための止め穴１２１１が形成されている。このため、主ドロワ中継基板１１０７及び副ドロワ中継基板１１０８の支持穴１２０４をドロワ取付領域１１２１に突設されるドロワ取付ボス１１２０に差し込み、ドロワ取付ボス１１２０の先端部をピン挿通穴１２１０に挿通しながら基板カバー１１０９で被覆し、止め穴１２１１に図示しないビスで止着することにより、主ドロワ中継基板１１０７及び副ドロワ中継基板１１０８をドロワ取付領域１１２１内に堅固に固定することができる。なお、基板カバー１１０９には、枠用基板ホルダー１１０１の案内孔１１２６、接合案内孔１１２７に対応する位置に案内孔１２１２、接合案内孔１２１３がそれぞれ形成されている。
【０２９０】
以上、基板ユニット１１００の構成について説明してきたが、本実施形態の場合には、パチンコ遊技機１を駆動制御するために必要な各種の基板のうち、遊技盤４の変更に伴って交換される遊技制御基板及び表示装置制御基板以外の基板である扉中継基板１１０２、電源基板ボックス１１０３に収納された電源基板１１４４、端子基板ボックス１１０４に収納された情報端子基板１１６３及びＣＲユニット端子基板１１６４、払出制御基板ボックス１１０５に収納された払出制御基板１１８６を、枠用基板ホルダー１１０１に予め組み付けてユニット化し、その組み付けてユニット化した基板ユニット１１００を本体枠３の背面側下部に取り付けるだけの簡単な作業によって、従来別々に本体枠３の背面側に取り付けていた各種の基板取付作業に比べ、作業能率を向上することができる。また、この場合、基板ユニット１１００にユニット化される各基板同士の配線も枠用基板ホルダー１１０１の内部に収めることができるので、基板同士を接続する配線が乱雑に入り乱れることがなく、整然と敷設することができる。
【０２９１】
また、本実施形態においては、基板ユニット１１００の前面に主ドロワ中継コネクタ１２００（ホルダー側コネクタ）を有する主ドロワ中継基板１１０７と副ドロワ中継コネクタ１２０２（ホルダー側コネクタ）を有する副ドロワ中継基板１１０８とが設けられているので、図１６２に示すように、本体枠３に遊技盤４をその前面側から装着する作業に伴って、遊技盤４の裏面側に設けられる中継端子板６２５の主ドロワコネクタ６２６と副ドロワコネクタ６２７（遊技盤側コネクタ）がそれぞれ対応する主ドロワ中継コネクタ１２００と副ドロワ中継コネクタ１２０２（ホルダー側コネクタ）とに接続されるので、遊技盤４の装着と基板間の接続とを同時に行うことができる。このため、遊技盤４の交換作業を手際よく行うことができる。
【０２９２】
更に、本実施形態においては、基板ユニット１１００を本体枠３の裏面に固定した後に、本体枠３に設けられる各種の電気機器との配線の接続作業が必要な払出制御基板ボックス１１０５と、外部のＣＲユニットや管理コンピュータとの接続作業が必要な端子基板ボックス１１０４と、を基板ユニット１１００の最も後方の視認し易い位置に並列状に配置する一方、外部との接続作業の必要性が少ない電源基板ボックス１１０３や扉中継基板１１０２を内部に配置しているので、複数の基板を前後方向に効率よく重複配置することができ、基板ユニット１１００の大きさを最小限に設計することができる。ただし、内部に配置される電源基板ボックス１１０３や扉中継基板１１０２においても、外部に接続される端子部分は、すべて外部から視認できるようになっているので、それらの接続作業が手探りになるという問題はない。
【０２９３】
<カバー体>
次に、カバー体１２５０について、図６、図９８及び図１０２を参照して説明する。カバー体１２５０は、本体枠３の後面開口５８０を覆うものであり、その一側の上中下の３箇所に本体枠３の背面一側に形成されるカバー体支持筒部５７５に上方から挿入される軸支ピン１２５１が形成され、その他側のほぼ中央に球通路ユニット７７０に形成されるカバー体係合溝７８５と係合する係合片１２５２が形成されている。しかして、カバー体１２５０の軸支ピン１２５１をカバー体支持筒部５７５に差し込むことにより、カバー体１２５０を本体枠３に開閉自在に軸支し、係合片１２５２をカバー体係合溝７８５に係止することにより、カバー体１２５０を本体枠３に閉じた状態とすることができ、遊技盤４に設けられる各種部品の背面を保護することができる。なお、開放する場合には、係合片１２５２とカバー体係合溝７８５との係合を解除すればよい。
【０２９４】
また、図示の場合のカバー体１２５０においては、開放側の係合片１２５２の上下に止め穴１２５３が形成され、また、本体枠３の施錠壁５６９に突設される施錠用突出鉤片５７０を貫通させる貫通穴１２５４が形成され、更に詳細に図示しないが、次に説明する第２実施形態に係るカバー体１２７０と同じように、接続操作用開口１２５５、立壁、当接突起、補強リブが形成されている。これら接続操作用開口１２５５、立壁、当接突起、補強リブは、第２実施形態に係るカバー体１２７０の接続操作用開口１２８３、立壁１２８４、当接突起１２８５、補強リブ１２８６と同じ位置に設けられて同じ機能を奏するものである。しかして、カバー体１２５０を閉じた状態で、カバー体１２５０の止め穴１２５３と本体枠３側の止め穴５６８とを一致させて図示しないビスで止着することにより、カバー体１２５０によって本体枠３の後面開口５８０を閉塞固定することができる。そして、本体枠３に対してカバー体１２５０を閉じた状態で施錠用突出鉤片５７０がカバー体１２５０の貫通穴１２５４を貫通しているので、例えば、南京錠等の錠を施錠用突出鉤片５７０に掛け止めることにより、南京錠の鍵を有する責任者しかカバー体１２５０を開放することができないようにすることができる。
【０２９５】
<カバー体の他の実施形態>
上記した図６、図９８及び図１０２に示したカバー体１２５０（以下、「第１実施形態に係るカバー体１２５０」という。）は、施錠用突出鉤片５７０を南京錠で施錠する構造のものを示したが、他の施錠構造を有するカバー体であっても良い。このようなカバー体１２７０（以下、「第２実施形態に係るカバー体１２７０」という。）を取り付けたパチンコ遊技機について、図１６３乃至図１７４を参照して説明する。図１６３は、第２実施形態に係るカバー体８００を取り付けたパチンコ遊技機１であってカバー体８００を開放した状態の背面から見た斜視図であり、図１６４は、第２実施形態に係るカバー体８００を取り付けたパチンコ遊技機１の側面図であり、図１６５は、第２実施形態に係るカバー体８００を取り付けたパチンコ遊技機１であってカバー体８００の開放側から見た斜視図であり、図１６６は、第２実施形態に係るカバー体８００を取り付けたパチンコ遊技機１であってカバー体８００の軸支側から見た斜視図であり、図１６７は、第２実施形態に係るカバー体８００を取り付けたパチンコ遊技機１の背面図であり、図１６８は、第２実施形態に係るカバー体８００を取り外した状態のパチンコ遊技機１の背面図であり、図１６９は、第２実施形態に係るカバー体８００の下辺部と重合当接する払出制御基板ボックス１１０５の斜視図であり、図１７０は、第２実施形態に係るカバー体８００の内側から見た斜視図であり、図１７１は、第２実施形態に係るカバー体８００に設けられるシリンダー錠８０９の作用を説明するための背面図であり、図１７２は、図１６７のＡ−Ａ断面図であり、図１７３は、図１６７のＢ−Ｂ断面図であり、図１７４は、図１６７のＣ−Ｃ断面図である。なお、図１６３〜図１７４において、それ以前の図面に表示される構成と同じ機能を奏する構成には、同一の符号を付した。
【０２９６】
まず、図１７０を参照して第２実施形態に係るカバー体１２７０について説明する。カバー体１２７０は、やや縦長長方形状の周辺の側壁が立ち上がった皿状に合成樹脂によって形成され（側壁部や長方形板部の上半分には、多数の空気穴が形成されている。）、その縦辺一側の側壁に本体枠３に形成される前記カバー体支持筒部５７５に挿入されて軸支される複数（図示の場合には４個）の軸支ピン１２７１が一体的に形成され、その縦辺他側の側壁のやや上部寄りに球通路ユニット７７０に形成される前記カバー体係合溝７８５に係合する係合片１２７２が一体的に形成されている。この軸支ピン１２７１と係合片１２７２は、第１実施形態に係るカバー体１２５０と同様に、カバー体１２７０の軸支ピン１２７１をカバー体支持筒部５７５に差し込むことにより、カバー体１２７０を本体枠３に開閉自在に軸支し、係合片１２７２をカバー体係合溝７８５に係止することにより、カバー体１２７０を本体枠３に閉じた状態とすることができ、遊技盤４に設けられる遊技制御基板ボックス６２４を含む各種部品の背面を保護することができるものである。そして、この第２実施形態に係るカバー体１２７０が第１実施形態に係るカバー体１２５０と異なる点は、施錠機構として南京錠に変えてシリンダー錠１２８９が設けられる点である。そこで、これらの第２実施形態に係るカバー体１２７０の特徴的な構成（この構成は、第１実施形態に係るカバー体１２５０も有している。）について以下説明する。
【０２９７】
まず、接続操作用開口１２８３について説明すると、接続操作用開口１２８３は、カバー体１２７０の下辺の補強リブ１２８６の上部に長方形状に形成されており、その大きさは、図１６７に示すように遊技制御基板ボックス６２４に外部に露出して設けられるＲＡＭクリアボタン６３０と検査機器が接続される試験用端子６３１，６３２とが臨む大きさに開設されている。また、接続操作用開口１２８３の内側には、閉じた状態で遊技制御基板ボックス６２４の外周面に当接する立壁１２８４と当接突起１２８５とが突設されている。立壁１２８４は、接続操作用開口１２８３の左右開口縁に沿って比較的高く形成され、当接突起１２８５は、接続操作用開口１２８３の上開口縁から一側開口縁に沿って比較的低く突設形成されており、これらの立壁１２８４と当接突起１２８５は、図１７２及び図１７３に示すように、遊技制御基板ボックス６２４の外周面（遊技制御基板ボックス６２４に収納される遊技制御基板の表面を含む）との間に隙間が生じないようにして接続操作用開口１２８３から不正具を差し込んで遊技制御基板ボックス６２４に対して不正な行為が行えないようにしている。
【０２９８】
次に、カバー体１２７０の下辺に形成される補強リブ１２８６について説明すると、カバー体１２７０を本体枠３に対して閉じたときに、補強リブ１２８６は、図１７３及び図１７４に示すように、枠側基板ホルダー１１００に取り付けられる払出制御基板ボックス１１０５のカバー体１１８１の上辺部分に当接するようになっている。このため、第２実施形態に係るカバー体１２７０が取り付けられるパチンコ遊技機１の枠側基板ホルダー１１００に装着される払出制御基板ボックス１１０５のカバー体１１８１の上辺部には、図１６９に示すように、表面より一段と低く形成される当接低段面１１８２が形成されている。しかして、枠側基板ホルダー１１００に取り付けられる払出制御基板ボックス１１０５は、図１６８に示すように、枠用基板ホルダー１１０１の払出制御基板ボックス取付領域と電源基板ボックス１１０３のカバー体１１４１に形成される取付領域１１５１とにわたって取り付けられた状態において、それらの取付領域１１５１内に払出制御基板ボックス１１０５が収納された状態となり左右方向にも上下方向にも移動できないように固定された状態となっている。このため、払出制御基板ボックス１１０５のカバー体１１８１の上面の一部である当接低段面１１８２がカバー体１２７０の補強リブ１２８６によって当接被覆されることによって、カバー体１２７０を開放しない限り、払出制御基板ボックス１１０５を枠側基板ホルダー１１００から取り外すことができない構成となっている。
【０２９９】
次に、シリンダー錠１２８９に関連する構成について説明する。図１７０において、カバー体１２７０の下方側の下方寄りにシリンダー錠１２８９を貫通するための楕円形状の錠穴１２８８が開設されている。この錠穴１２８８にシリンダー錠１２８９の断面楕円状のネジ部１２９０が貫通され、この貫通したネジ部１２９０に内側からナット１２９２が螺着されることによりシリンダー錠１２８９が錠穴１２８８に固定される。また、シリンダー錠１２８９には、ネジ部１２９０の中心から錠軸１２９１がカバー体１２７０の内側に向かって突設され、その錠軸１２９１を楕円形状の施錠片１２９３の下方部に穿設されるネジ穴１２９４に貫通させてナット１２９５で締着することにより、施錠片１２９３をシリンダー錠１２８９の後端部に固着している。この構成により、シリンダー錠１２８９に鍵（遊技場の管理責任者等が所持している）を差し込んで回動することにより施錠片１２９３を９０度の範囲で回動することができるようになっている。また、錠穴１２８８の下部には、カバー体１２７０を閉じる際に、開閉を案内するための案内突起１２９６が内側に向かって突設されている。更に、カバー体１２７０の開放側の上方部であって前記係合片１２７２の上下にネジを螺着するためのネジ止め穴１２８７が形成されている。
【０３００】
一方、上記したネジ止め穴１２８７、施錠片１２９３、及び案内突起１２９６に対応するように、本体枠３側には、止め穴８３０、施錠穴１３０１、及び案内孔８３３が形成されている。この構成について図１６８を参照して説明すると、本体枠３の前述した軸支側後面壁５４６には、前述したようにカバー体当接溝５６７が形成されているが、このカバー体当接溝５６７の上下部（球通路ユニット７７０のカバー体係合溝７８５を挟んだ上下）に前記ネジ止め穴１２８７に対応する止め穴５６８が形成されている。更に、本体枠３の軸支側後面壁５４６の下方部には、図１７１に示すように、施錠壁１３００が本体枠３の縦中心線方向に向かって延設されており、その施錠壁１３００の上下に施錠穴１３０１と案内孔５７１とが開設されている。施錠穴１３０１は、楕円形状に形成されて前記施錠片１２９３が貫通するようになっていると共に、施錠穴１３０１の前面側周囲の施錠壁１３００は、補強用のリブが突設されている。
【０３０１】
しかして、カバー体１２７０を開放状態から閉止状態に回動させることにより、図１７１（Ａ）に示すように、案内突起１２９６が案内孔８３３に挿入されつつ、シリンダー錠１２８９の施錠片１２９３が施錠穴１３０１を貫通した状態となる。その状態でシリンダー錠１２８９に鍵を差し込んで回動することにより、図１７１（Ｂ）に示すように、施錠片１２９３が９０度回転し、施錠片１２９３の一端部が施錠壁１３００の前面側と係合する。このため、カバー体１２７０が本体枠３に対して施錠されることになる。また、シリンダー錠１２８９によるカバー体１２７０の施錠は、カバー体１２７０の下方部であるため、カバー体１２７０の上方部を本体枠３に固定するために、閉じた状態で合致しているネジ止め穴１２８７と止め穴５６８に図示しないネジを螺着することにより、カバー体１２７０の上方部も本体枠３に固定される。なお、カバー体１２７０の上方部にもシリンダー錠を設けて、上下でシリンダー錠によってカバー体１２７０を本体枠３に施錠しても良い。
【０３０２】
また、第２実施形態に係るカバー体１２７０は、図１６４に示すように、閉じた状態で、その背面側が賞球タンク７２０の最後端部（本実施形態の場合には、排出口７３０の後面壁）、及びタンクレール部材７４０の後端壁と側方から見たときに同一垂直面となっている。このため、パチンコ遊技機１の背面から見たときに、背面側の上部から下方までに凹凸がなく、きわめてスッキリした形状となっているため、パチンコ遊技機１を運搬するときに全体の厚みが均一で把握し易いため、積み込みや重ね合わせ作業が行いやすく、また、実際に遊技場の島台に設置する際も、背向列設されるパチンコ遊技機１の背面において、相手方のパチンコ遊技機の背面に突出する配線等を気にすることなく、きわめてスムーズに設置することができるものである。この点は、第１実施形態に係るカバー体１２５０を使用したパチンコ遊技機１においても、図４に示すように同一の効果を奏するものである。
【０３０３】
なお、上記した第２実施形態において、カバー体１２７０の閉止状態を上方のネジと下方のシリンダー錠１２８９との両方で行った理由は、第一の理由として、被覆面積が縦方向に大きくなっているため、カバー体１２７０の中央だけで閉止状態を保持すると上下部分が熱によって変形するおそれがあるため、上下の２箇所で閉止状態を保持する構成にしたこと。第二の理由として、前述したようにカバー体１２７０の補強リブ１２８６によって払出制御基板ボックス１１０５の上辺部に当接するようにしたので、特に、カバー体１２７０の下辺部をこじ開けることができないようにカバー体１２７０の下方部の閉止状態を強固に維持することが必要であり、結果的にカバー体１２７０の上方部も閉止せざるを得ないこと。そして、この第二の理由により、特に下辺部の閉止状態を維持するためにシリンダー錠１２８９等の施錠装置（シリンダー錠に限らず、遊技場の管理者しか解錠できない施錠装置であれば良い。）を用いることが望ましい。
【０３０４】
以上、第２実施形態に係るカバー体１２７０について説明してきたが、この第２実施形態に係るカバー体１２７０は、カバー体１２７０を本体枠３に対して閉じたときに、カバー体１２７０の下辺部である補強リブ１２８６が枠側基板ホルダー１１００に取り付けられる払出制御基板ボックス１１０５のカバー体１１８１の上辺部分に当接被覆するようになっているため、カバー体１２７０を開放しない限り、払出制御基板ボックス１１０５を枠側基板ホルダー１１００から取り外すことができない構成となっている。そして、カバー体１２７０がシリンダー錠１２８９によって施錠されるため、カバー体１２７０に被覆される遊技制御基板ボックス６２４に対する不正行為はもちろん、カバー体１２７０に被覆されない払出制御基板ボックス１１０５に対する不正行為も防止することができる。また、カバー体１２７０を閉じた状態で且つシリンダー錠１２８９を施錠した状態であっても、カバー体１２７０に接続操作用開口１２８３が開設されているため、試験用の試験用端子６３１，６３２に検査機器を接続したり、あるいはソフトウエア等が暴走して復旧する際に、ＲＡＭクリアボタン６３０を操作することができる。そして、この接続操作用開口１２８３の内側には、立壁１２８４や当接突起１２８５が形成されて遊技制御基板ボックス６２４との間に隙間が生じないようにされているので、接続操作用開口１２８３からピアノ線等を挿入して遊技盤４の裏面に対する不正行為を防止することができる。
【０３０５】
更に、第２実施形態に係るカバー体１２７０は、閉じた状態で、その背面側が賞球タンク７２０の最後端部、及びタンクレール部材７４０の後端壁と側方から見たときに同一垂直面となっているため、パチンコ遊技機１の背面から見たときに、背面側の上部から下方までに凹凸がなく、きわめてスッキリした形状となっており、パチンコ遊技機１を運搬するときに全体の厚みが均一で把握し易いため、積み込みや重ね合わせ作業が行いやすく、また、実際に遊技場の島台に設置する際も、背向列設されるパチンコ遊技機１の背面において、相手方のパチンコ遊技機の背面に突出する配線等を気にすることなく、きわめてスムーズに設置することができる。
【０３０６】
以上、実施形態について説明してきたが、上記した実施形態では、扉枠５に皿ユニット３００が１つだけ設けられるものを示したが、必ずしも、１つでなくてもよく、従来と同じように上皿と下皿を有するパチンコ遊技機において、扉枠と本体枠とが分離可能で扉枠に操作ハンドル部を設け、本体枠に打球発射装置を設けたものにも適用することができる。また、上記した実施形態では、ハンドル装置４６０を構成する操作ハンドル部４６１及びジョイントユニット４８０を扉枠５に設けたものを示したが、本体枠３の前面下部に固着される取付板に操作ハンドル部４６１とジョイントユニット４８０とを設けても良い。また、この場合には、ジョイントユニット４８０とスライド部材７１０とを一体的に形成したような構造としても良い。また、ジョイントユニット４８０のスライド突片４９２とスライド部材７１０の挿入空間７１４との形状的な構成も図示した実施形態に限ることはなく、例えば、スライド突片４９２に変えて円柱状のスライド突起を用い、このスライド突起が挿入空間７１４に形成される円錐形状の穴部に係合するような構造としても良い。更に、上記した実施形態においては、ジョイントユニット４８０のスライド突片４９２のスライド移動をスライド部材７１０及び揺動片６７２を介してスライド杆６７７に伝達する構成を示したが、この構成に限ることはなく、例えば、スライド部材７１０及び揺動片６７２を省略して、ジョイントユニットのスライド突片がスライド杆に直接連結する構成となるようにしてもよい。この場合においても、スライド突片とスライド杆との係合がスムーズに行われるように、スライド突片を円柱状のスライド突起に形成し、スライド杆に円錐形状の穴部を形成して、スライド突起と円錐形状の穴部との係合がスムーズに行なわれるようにすれば良い。
【図面の簡単な説明】
【０３０７】
【図１】実施形態に係るパチンコ遊技機の外枠に対して本体枠を開放し、本体枠に対して扉枠を開放した状態を示す斜視図である。
【図２】パチンコ遊技機の正面から見た斜視図である。
【図３】パチンコ遊技機の正面図である。
【図４】パチンコ遊技機の側面図である。
【図５】パチンコ遊技機の平面図である。
【図６】パチンコ遊技機の背面図である。
【図７】パチンコ遊技機を構成する外枠、本体枠、遊技盤、扉枠の後方から見た分解斜視図である。
【図８】パチンコ遊技機を構成する外枠、本体枠、遊技盤、扉枠の前方から見た分解斜視図である。
【図９】外枠の正面斜視図である。
【図１０】外枠の正面から見た分解斜視図である。
【図１１】外枠の正面図である。
【図１２】外枠の背面図である。
【図１３】図１１のＢ−Ｂ断面図（Ａ）と図１３（Ａ）のＣ−Ｃ断面図（Ｂ）、Ｄ−Ｄ断面図（Ｃ）、Ｅ−Ｅ断面図（Ｄ）である。
【図１４】他の実施形態に係る外枠の正面図である。
【図１５】同外枠の背面図である。
【図１６】同外枠の正面から見た斜視図である。
【図１７】同外枠の正面図（Ａ）、正面図のＢ−Ｂ線で切断した断面図（Ｂ）、正面図のＡ−Ａ線で切断した側枠板１２の端面図（Ｃ）である。
【図１８】本体枠の上軸支金具と外枠の上支持金具との脱着構造を説明するための斜視図である。
【図１９】外枠の上支持金具の裏面に設けられるロック部材の取付状態を示す分解斜視図（Ａ）と下方から見た斜視図（Ｂ）である。
【図２０】軸支ピンとロック部材との関係を説明するための上支持金具部分の裏面図である。
【図２１】ロック部材の作用を説明するための上支持金具部分の裏面図である。
【図２２】扉枠の正面図である。
【図２３】扉枠の背面図である。
【図２４】図２２に表示されるＡ−Ａ断面図である。
【図２５】図２２に表示されるＢ−Ｂ断面図である。
【図２６】図２２に表示されるＣ−Ｃ断面図である。
【図２７】図２２に表示されるＤ−Ｄ断面図である。
【図２８】図２３に表示されるＥ−Ｅ断面図である。
【図２９】図２３に表示されるＦ−Ｆ断面図である。
【図３０】図２９と同じ断面図の部位における従来の補強板金の開放側外折曲突片の形状を示す断面図である。
【図３１】扉枠の正面から見た分解斜視図である。
【図３２】扉枠の背面から見た分解斜視図である。
【図３３】扉枠の前面側に取り付けられる扉レンズユニットの正面から見た分解斜視図である。
【図３４】扉レンズユニットに設けられるベースユニットと冷陰極管との関係を示す平面図である。
【図３５】冷陰極管の支持構造を説明するための拡大平面図である。
【図３６】ベースユニットと冷陰極管との関係を示す斜視図である。
【図３７】扉レンズユニットのレンズカバーと皿ユニットに設けられるレンズカバーとの関係を示すパチンコ遊技機の正面斜視図である。
【図３８】扉枠の防犯カバーを取り外した状態の背面図である。
【図３９】扉枠とガラスユニットとの関係を示す分解斜視図である。
【図４０】扉枠に着脱自在に取り付けられるガラスユニットの正面図（Ａ）・背面図（Ｂ）である。
【図４１】ガラスユニットの分解斜視図である。
【図４２】ガラスユニットの乾燥剤挿入部分の拡大斜視図である。
【図４３】図４２の乾燥剤挿入部分の断面図である。
【図４４】扉枠に取り付けられる防犯カバーの正面から見た斜視図（Ａ）と背面から見た斜視図（Ｂ）である。
【図４５】扉枠の一側上部に設けられるスピーカを覆うスピーカカバー部分の拡大正面図である。
【図４６】スピーカの斜視図である。
【図４７】扉枠の一側上部に設けられるスピーカ部分の背面から見た従来例（Ａ）と本実施形態例（Ｂ）の拡大斜視図である。
【図４８】スピーカカバー及び装飾部材を構成する部材のうち、ＬＥＤに照射される部材を取り除いた場合の扉枠の正面図である。
【図４９】一方のスピーカカバー及び装飾部材の前面から見た斜視図である。
【図５０】一方のスピーカカバー及び装飾部材の背面から見た斜視図である。
【図５１】扉枠の前面に設けられる皿ユニットの正面図である。
【図５２】図５１に表示されるＡ−Ａ断面図である。
【図５３】図５１に表示されるＢ−Ｂ断面図である。
【図５４】図５１に表示されるＣ−Ｃ断面図である。
【図５５】皿ユニットの正面から見た分解斜視図である。
【図５６】皿ユニットの背面から見た分解斜視図である。
【図５７】皿ユニットの内部に設けられる下部スピーカユニットの正面図（Ａ）・平面図（Ｂ）・背面図（Ｃ）である。
【図５８】下部スピーカユニットの右側面図（Ａ）・正面から見た斜視図（Ｂ）・背面から見た斜視図（Ｃ）である。
【図５９】下部スピーカユニットの正面から見た分解斜視図である。
【図６０】下部スピーカユニットの背面から見た分解斜視図である。
【図６１】下部スピーカボックスの正面図（Ａ）とその正面図中に表示されるＢ−Ｂ断面図（Ｂ）である。
【図６２】下部スピーカボックスとその上部に位置する皿体との関係を示す背面から見た斜視図である。
【図６３】皿体の背面図である。
【図６４】下部スピーカボックスと皿体とを組み付けた状態での背面から見た斜視図である。
【図６５】下部スピーカボックスと皿体とを組み付けた状態での背面図である。
【図６６】皿体に設けられる第２球抜弁と第２球抜ボタンとの関係を示す正面から見た斜視図である。
【図６７】皿体に設けられる第２球抜弁と第２球抜ボタンとの関係を示す平面図である。
【図６８】皿体に設けられる第２球抜弁と第２球抜ボタンとの関係を示す背面から見た斜視図である。
【図６９】第２球抜弁と第２球抜ボタンとを連結するためのリンク機構を示す背面図である。
【図７０】第２球抜弁と第２球抜ボタンの作用を説明するための平面図である。
【図７１】皿ユニットに設けられる操作ボタンユニットの斜視図である。
【図７２】皿ユニットを組み立てる工程を説明するための背面から見た斜視図である。
【図７３】同じく、皿ユニットを組み立てる工程を説明するための背面から見た斜視図である。
【図７４】同じく、皿ユニットを組み立てる工程を説明するための背面から見た斜視図である。
【図７５】皿ユニットへの操作ボタンユニットの組み付けを説明するための斜視図（Ａ）・正面図（Ｂ）である。
【図７６】皿ユニットへの操作ボタンユニットの組み付けを説明するための断面図である。
【図７７】パチンコ遊技機の正面図である。
【図７８】図７７に表示されるＡ−Ａ断面図である。
【図７９】図７７に表示されるＢ−Ｂ断面図である。
【図８０】図７７に表示されるＣ−Ｃ断面図である。
【図８１】図７７に表示されるＤ−Ｄ断面図である。
【図８２】図７７に表示されるＥ−Ｅ断面図である。
【図８３】図７７に表示されるＦ−Ｆ断面図である。
【図８４】図７７に表示されるＧ−Ｇ断面図である。
【図８５】図７７に表示されるＨ−Ｈ断面図である。
【図８６】図７７に表示されるＩ−Ｉ断面図である。
【図８７】図７７に表示されるＪ−Ｊ断面図である。
【図８８】扉枠の取り付けられるハンドル装置の断面図である。
【図８９】ハンドル装置を構成する操作ハンドル部とジョイントユニットとの関係を示す斜視図である。
【図９０】操作ハンドル部の分解斜視図である。
【図９１】ジョイントユニットの斜視図（Ａ）、分解斜視図（Ｂ）である。
【図９２】操作ハンドル部とジョイントユニットの動作を説明するための動作図である。
【図９３】ハンドル装置と本体枠に設けられる打球発射装置との関係を示す斜視図である。
【図９４】ハンドル装置と打球発射装置とを連結する状態を説明するための断面図である。
【図９５】部品を取り付ける前の本体枠主体の正面図である。
【図９６】部品を取り付ける前の本体枠主体の背面図である。
【図９７】部品を取り付ける前の本体枠主体の側面図である。
【図９８】部品を取り付ける前の本体枠主体の背面から見た斜視図である。
【図９９】部品を取り付けた本体枠の前方から見た斜視図である。
【図１００】部品を取り付けた本体枠を外枠に軸支した状態を前方から見た斜視図である。
【図１０１】部品を取り付けた本体枠の背面図である。
【図１０２】部品を取り付けた本体枠の背面から見た斜視図である。
【図１０３】パチンコ遊技機の中程（遊技制御基板ボックス部分）の水平線で切断したパチンコ遊技機の断面平面図である。
【図１０４】遊技盤の正面から見た斜視図である。
【図１０５】遊技盤の正面図である。
【図１０６】遊技盤の背面図である。
【図１０７】遊技盤の平面図である。
【図１０８】遊技盤に形成される取り外し防止機構部分の拡大斜視図である。
【図１０９】遊技盤の取り外し防止機構に対する本体枠側の構造を示す本体枠の部分斜視図である。
【図１１０】打球発射装置の全体の斜視図（Ａ），発射モータ部分を取り外した状態の斜視図（Ｂ）である。
【図１１１】打球発射装置の分解斜視図である。
【図１１２】打球発射装置と発射レールとの関係を示す正面図（Ａ），発射モータ部分の斜視図（Ｂ）である。
【図１１３】操作ハンドル部を操作していない状態における打球発射装置と発射レールとの関係を示す背面図である。
【図１１４】操作ハンドル部を操作している状態における打球発射装置と発射レールとの関係を示す背面図である。
【図１１５】打球発射装置に設けられるスライド部材の平面図（Ａ），正面図（Ｂ），正面から見た斜視図（Ｃ），正面図（Ｂ）のＡ−Ａ断面図（Ｄ）である。
【図１１６】賞球タンクの斜視図（Ａ）、平面図（Ｂ）、側面図（Ｃ）である。
【図１１７】従来の賞球タンク（Ａ），（Ｂ）と本実施形態に係る賞球タンク（Ｃ）との排出口部分における球の圧力状態を示す平面図である。
【図１１８】賞球タンク、タンクレール部材、球通路ユニット、賞球ユニット、及び満タンユニットの関係を示すパチンコ遊技機１の背面側から見た斜視図である。
【図１１９】賞球タンク、タンクレール部材、球通路ユニット、賞球ユニット、及び満タンユニットの関係を示すパチンコ遊技機１の正面側から見た斜視図である。
【図１２０】タンクレール部材の下流部と球通路ユニットの上流部との関係を示す断面図（Ａ）と平面図（Ｂ）である。
【図１２１】本体枠と球通路ユニット及び賞球ユニットとの関係を示す分解斜視図である。
【図１２２】球通路ユニット及び賞球ユニットとの関係を示す背面図である。
【図１２３】球通路ユニットの背面から見た斜視図である。
【図１２４】球通路ユニットの正面図である。
【図１２５】球通路ユニットと賞球ユニットとの連結構造を説明するための側面図である。
【図１２６】賞球ユニットの背面側から見た分解斜視図である。
【図１２７】払出モータと払出部材としてのスプロケットとの関係を説明するための背面図である。
【図１２８】賞球ユニットの通路と駆動関係を説明するための背面図である。
【図１２９】図１２８のＡ−Ａ断面図である。
【図１３０】賞球ユニットと満タンユニットとの関係を示す斜視図である。
【図１３１】満タンユニットの斜視図である。
【図１３２】満タンユニットの正面から見た分解斜視図である。
【図１３３】満タンユニットの背面から見た分解斜視図である。
【図１３４】満タンユニットとファール口との関係を示す一部破断斜視図である。
【図１３５】満タンユニットに設けられる底面揺動板部分で切断した横断面図である。
【図１３６】満タンユニットとファール口との関係を示す断面図である。
【図１３７】第２実施形態に係る賞球ユニットと満タンユニットとの関係を示す斜視図である。
【図１３８】第２実施形態に係る満タンユニットの分解斜視図である。
【図１３９】第２実施形態に係る満タンユニット内の球の流れを示す斜視図である。
【図１４０】第２実施形態に係る満タン揺動板の作用を説明するための平面図である。
【図１４１】第２実施形態に係る満タンユニットとファール口との関係を示す一部破断斜視図である。
【図１４２】同じく第２実施形態に係る満タンユニットとファール口との関係を示す断面図である。
【図１４３】錠装置と本体枠との関係を示す背面斜視図である。
【図１４４】錠装置の本体枠への掛け止め構造を示す拡大側方断面図である。
【図１４５】パチンコ遊技機の縦方向中央よりやや下方の位置で水平方向に切断した一部断面図である。
【図１４６】錠装置と本体枠の側壁との詳細な関係を示す拡大断面図である。
【図１４７】錠装置の側面図（Ａ）、前面側から見た斜視図（Ｂ）である。
【図１４８】錠装置の背面側から見た斜視図（Ａ）、錠装置のコ字状基体の内部に摺動自在に設けられるガラス扉用摺動杆と本体枠用摺動杆の斜視図（Ｂ），（Ｃ）である。
【図１４９】錠装置の分解斜視図である。
【図１５０】ガラス扉用摺動杆と本体枠用摺動杆の作用を説明するための正面図である。
【図１５１】不正防止部材の作用を説明するための正面図である。
【図１５２】基板ユニットを背面側から見た斜視図である。
【図１５３】基板ユニットの背面側から見た分解斜視図である。
【図１５４】基板ユニットを前面側から見た斜視図である。
【図１５５】基板ユニットの前面側から見た分解斜視図である。
【図１５６】基板ユニットの主体をなす枠用基板ホルダーの前面側から見た正面図である。
【図１５７】枠用基板ホルダーの背面図である。
【図１５８】基板ユニットの背面図である。
【図１５９】払出制御基板ボックス及び外部端子基板ボックスを取り外した状態の基板ユニットの背面図である。
【図１６０】基板ユニットに設けられる各基板の接続関係を示す平面図である。
【図１６１】図１６２の断面図の断面箇所を説明するための遊技盤の正面図である。
【図１６２】は、図１６１のＣ−Ｃ断面図である。
【図１６３】第２実施形態に係るカバー体８を取り付けたパチンコ遊技機であってカバー体を開放した状態の背面から見た斜視図である。
【図１６４】第２実施形態に係るカバー体を取り付けたパチンコ遊技機の側面図である。
【図１６５】第２実施形態に係るカバー体を取り付けたパチンコ遊技機であってカバー体の開放側から見た斜視図である。
【図１６６】第２実施形態に係るカバー体を取り付けたパチンコ遊技機であってカバー体の軸支側から見た斜視図である。
【図１６７】第２実施形態に係るカバー体を取り付けたパチンコ遊技機の背面図である。
【図１６８】第２実施形態に係るカバー体を取り外した状態のパチンコ遊技機の背面図である。
【図１６９】第２実施形態に係るカバー体の下辺部と重合当接する払出制御基板ボックスの斜視図である。
【図１７０】第２実施形態に係るカバー体の内側から見た斜視図である。
【図１７１】第２実施形態に係るカバー体に設けられるシリンダー錠の作用を説明するための背面図である。
【図１７２】図１６７のＡ−Ａ断面図である。
【図１７３】図１６７のＢ−Ｂ断面図である。
【図１７４】図１６７のＣ−Ｃ断面図である。
【符号の説明】
【０３０８】
１  パチンコ遊技機
２  外枠
３  本体枠
４  遊技盤
５  扉枠
１０  上枠板
１１  下枠板
１２  （左）側枠板
１３  （右）側枠板
１００  扉枠本体
１０１  遊技窓
１２０  扉レンズユニット
１５０  レンズカバー
１５１  上レンズカバー部
１５６  （左）側方レンズカバー部
１５７  （右）側方レンズカバー部
３００  皿ユニット
３８０  皿体
３８１  貯留部
３９３  第２球抜ユニット（球抜き機構）
４２０  第２球抜リンクユニット（球抜き機構）
４２１  第２球抜ボタン（球抜き機構）
５００  本体枠主体
５４０  第１側面壁（前側面壁）
５４１  第２側面壁（後側面壁）
５４２  第３側面壁（後側面壁）
５４３  第４側面壁（後側面壁）
５４４  開放側後面壁（側後面壁）
５４５  上後面壁
５４６  軸支側後面壁（側後面壁）
５４７  錠取付穴（後方固定手段）
５４８  錠係止穴（前方固定手段）
６００  ベニヤ盤
６０１  飾り枠
６０５  遊技領域
７２０  賞球タンク
７２２  後面壁
７２８  貯留部
７３０  排出口
７４０  タンクレール部材
７７０  球通路ユニット
８００  賞球ユニット
１０００  錠装置
１００１  コ字錠基体
１００３  ビス止め部
１００４  係止突起
１０１０  シリンダー錠
１０４０  扉枠用摺動杆
１０４１  扉枠用フック部
１０５０  本体枠用摺動杆
１０５４  フック部
１０６５  フック部
【図１】
2008183303.tif 000003
【図２】
2008183303.tif 000004
【図３】
2008183303.tif 000005
【図４】
2008183303.tif 000006
【図５】
2008183303.tif 000007
【図６】
2008183303.tif 000008
【図７】
2008183303.tif 000009
【図８】
2008183303.tif 000010
【図９】
2008183303.tif 000011
【図１０】
2008183303.tif 000012
【図１１】
2008183303.tif 000013
【図１２】
2008183303.tif 000014
【図１３】
2008183303.tif 000015
【図１４】
2008183303.tif 000016
【図１５】
2008183303.tif 000017
【図１６】
2008183303.tif 000018
【図１７】
2008183303.tif 000019
【図１８】
2008183303.tif 000020
【図１９】
2008183303.tif 000021
【図２０】
2008183303.tif 000022
【図２１】
2008183303.tif 000023
【図２２】
2008183303.tif 000024
【図２３】
2008183303.tif 000025
【図２４】
2008183303.tif 000026
【図２５】
2008183303.tif 000027
【図２６】
2008183303.tif 000028
【図２７】
2008183303.tif 000029
【図２８】
2008183303.tif 000030
【図２９】
2008183303.tif 000031
【図３０】
2008183303.tif 000032
【図３１】
2008183303.tif 000033
【図３２】
2008183303.tif 000034
【図３３】
2008183303.tif 000035
【図３４】
2008183303.tif 000036
【図３５】
2008183303.tif 000037
【図３６】
2008183303.tif 000038
【図３７】
2008183303.tif 000039
【図３８】
2008183303.tif 000040
【図３９】
2008183303.tif 000041
【図４０】
2008183303.tif 000042
【図４１】
2008183303.tif 000043
【図４２】
2008183303.tif 000044
【図４３】
2008183303.tif 000045
【図４４】
2008183303.tif 000046
【図４５】
2008183303.tif 000047
【図４６】
2008183303.tif 000048
【図４７】
2008183303.tif 000049
【図４８】
2008183303.tif 000050
【図４９】
2008183303.tif 000051
【図５０】
2008183303.tif 000052
【図５１】
2008183303.tif 000053
【図５２】
2008183303.tif 000054
【図５３】
2008183303.tif 000055
【図５４】
2008183303.tif 000056
【図５５】
2008183303.tif 000057
【図５６】
2008183303.tif 000058
【図５７】
2008183303.tif 000059
【図５８】
2008183303.tif 000060
【図５９】
2008183303.tif 000061
【図６０】
2008183303.tif 000062
【図６１】
2008183303.tif 000063
【図６２】
2008183303.tif 000064
【図６３】
2008183303.tif 000065
【図６４】
2008183303.tif 000066
【図６５】
2008183303.tif 000067
【図６６】
2008183303.tif 000068
【図６７】
2008183303.tif 000069
【図６８】
2008183303.tif 000070
【図６９】
2008183303.tif 000071
【図７０】
2008183303.tif 000072
【図７１】
2008183303.tif 000073
【図７２】
2008183303.tif 000074
【図７３】
2008183303.tif 000075
【図７４】
2008183303.tif 000076
【図７５】
2008183303.tif 000077
【図７６】
2008183303.tif 000078
【図７７】
2008183303.tif 000079
【図７８】
2008183303.tif 000080
【図７９】
2008183303.tif 000081
【図８０】
2008183303.tif 000082
【図８１】
2008183303.tif 000083
【図８２】
2008183303.tif 000084
【図８３】
2008183303.tif 000085
【図８４】
2008183303.tif 000086
【図８５】
2008183303.tif 000087
【図８６】
2008183303.tif 000088
【図８７】
2008183303.tif 000089
【図８８】
2008183303.tif 000090
【図８９】
2008183303.tif 000091
【図９０】
2008183303.tif 000092
【図９１】
2008183303.tif 000093
【図９２】
2008183303.tif 000094
【図９３】
2008183303.tif 000095
【図９４】
2008183303.tif 000096
【図９５】
2008183303.tif 000097
【図９６】
2008183303.tif 000098
【図９７】
2008183303.tif 000099
【図９８】
2008183303.tif 000100
【図９９】
2008183303.tif 000101
【図１００】
2008183303.tif 000102
【図１０１】
2008183303.tif 000103
【図１０２】
2008183303.tif 000104
【図１０３】
2008183303.tif 000105
【図１０４】
2008183303.tif 000106
【図１０５】
2008183303.tif 000107
【図１０６】
2008183303.tif 000108
【図１０７】
2008183303.tif 000109
【図１０８】
2008183303.tif 000110
【図１０９】
2008183303.tif 000111
【図１１０】
2008183303.tif 000112
【図１１１】
2008183303.tif 000113
【図１１２】
2008183303.tif 000114
【図１１３】
2008183303.tif 000115
【図１１４】
2008183303.tif 000116
【図１１５】
2008183303.tif 000117
【図１１６】
2008183303.tif 000118
【図１１７】
2008183303.tif 000119
【図１１８】
2008183303.tif 000120
【図１１９】
2008183303.tif 000121
【図１２０】
2008183303.tif 000122
【図１２１】
2008183303.tif 000123
【図１２２】
2008183303.tif 000124
【図１２３】
2008183303.tif 000125
【図１２４】
2008183303.tif 000126
【図１２５】
2008183303.tif 000127
【図１２６】
2008183303.tif 000128
【図１２７】
2008183303.tif 000129
【図１２８】
2008183303.tif 000130
【図１２９】
2008183303.tif 000131
【図１３０】
2008183303.tif 000132
【図１３１】
2008183303.tif 000133
【図１３２】
2008183303.tif 000134
【図１３３】
2008183303.tif 000135
【図１３４】
2008183303.tif 000136
【図１３５】
2008183303.tif 000137
【図１３６】
2008183303.tif 000138
【図１３７】
2008183303.tif 000139
【図１３８】
2008183303.tif 000140
【図１３９】
2008183303.tif 000141
【図１４０】
2008183303.tif 000142
【図１４１】
2008183303.tif 000143
【図１４２】
2008183303.tif 000144
【図１４３】
2008183303.tif 000145
【図１４４】
2008183303.tif 000146
【図１４５】
2008183303.tif 000147
【図１４６】
2008183303.tif 000148
【図１４７】
2008183303.tif 000149
【図１４８】
2008183303.tif 000150
【図１４９】
2008183303.tif 000151
【図１５０】
2008183303.tif 000152
【図１５１】
2008183303.tif 000153
【図１５２】
2008183303.tif 000154
【図１５３】
2008183303.tif 000155
【図１５４】
2008183303.tif 000156
【図１５５】
2008183303.tif 000157
【図１５６】
2008183303.tif 000158
【図１５７】
2008183303.tif 000159
【図１５８】
2008183303.tif 000160
【図１５９】
2008183303.tif 000161
【図１６０】
2008183303.tif 000162
【図１６１】
2008183303.tif 000163
【図１６２】
2008183303.tif 000164
【図１６３】
2008183303.tif 000165
【図１６４】
2008183303.tif 000166
【図１６５】
2008183303.tif 000167
【図１６６】
2008183303.tif 000168
【図１６７】
2008183303.tif 000169
【図１６８】
2008183303.tif 000170
【図１６９】
2008183303.tif 000171
【図１７０】
2008183303.tif 000172
【図１７１】
2008183303.tif 000173
【図１７２】
2008183303.tif 000174
【図１７３】
2008183303.tif 000175
【図１７４】
2008183303.tif 000176